(57)【要約】  動的スペクトルアービトラージ（ＤＳＡ）システムは、一緒になって異なるネットワークにわたる資源の割り当て及び使用を動的に管理する動的スペクトルポリシコントローラ（ＤＰＣ）及び動的スペクトルコントローラ（ＤＳＣ）を含む。ＤＳＣコンポーネントは、入札エリアの地理的境界内部にある覆域エリアを有するｅＮｏｄｅＢを識別するステップ、識別されたｅＮｏｄｅＢから適格かつアクティブなワイヤレスデバイスのリストを受信するステップ、受信した適格かつアクティブなワイヤレスデバイスのリスト内のワイヤレスデバイスについての測定レポート及び位置情報を受信するステップ、受信した測定レポートに基づいて、ターゲットｅＮｏｄｅＢの信号強度を特定するステップ、ならびにターゲットｅＮｏｄｅＢの特定された信号強度及び地理的境界に対するワイヤレスデバイスの場所に基づいて、受信した適格かつアクティブなデバイスのリストからハンドインするワイヤレスデバイスを選択するステップなどにより、ハンドインするワイヤレスデバイスを知的に選択するように構成され得る。
2016525820.tif 000002
【特許請求の範囲】
【請求項１】
動的スペクトルアービトラージ（ＤＳＡ）システムであって、
動的スペクトルコントローラ（ＤＳＣ）プロセッサを備えるＤＳＣを備え、前記ＤＳＣプロセッサは、
入札エリアの地理的境界内部にある覆域エリアを有するｅＮｏｄｅＢを識別し、
前記識別されたｅＮｏｄｅＢから適格かつアクティブなワイヤレスデバイスのリストを受信し、
前記受信した適格かつアクティブなワイヤレスデバイスのリスト内のワイヤレスデバイスについての測定レポート及び位置情報を受信し、
前記受信した測定レポートに基づいて、ターゲットｅＮｏｄｅＢの信号強度を特定し、
前記ターゲットｅＮｏｄｅＢの前記特定された信号強度と、地理的境界に対する前記ワイヤレスデバイスの場所とに基づいて、前記適格かつアクティブなデバイスのリストからハンドインするワイヤレスデバイスを選択し、
ハンドインに選択された前記ワイヤレスデバイスにサービスしているｅＮｏｄｅＢにハンドイン開始通信メッセージを送信することを含む動作を、プロセッサ実行可能命令を用いて実行するように構成される、動的スペクトルアービトラージ（ＤＳＡ）システム。
【請求項２】
前記ｅＮｏｄｅＢはｅＮｏｄｅＢプロセッサを備え、前記ｅＮｏｄｅＢプロセッサは、
前記ＤＳＣから、前記適格かつアクティブなワイヤレスデバイスのリストに対する要求を受信し、
前記ｅＮｏｄｅＢに取り付けられたアクティブなワイヤレスデバイスの往復遅延（ＲＴＤ）値を計算し、
前記ｅＮｏｄｅＢに取り付けられた前記アクティブなワイヤレスデバイスについての測定レポート及び位置情報を受信し、
前記計算されたＲＴＤ値、前記受信した測定レポート、及び前記受信した位置情報に基づいて、適格かつアクティブなワイヤレスデバイスを識別し、
前記識別されたワイヤレスデバイスを含むように、前記適格かつアクティブなワイヤレスデバイスのリストを生成し、
前記生成された適格かつアクティブなワイヤレスデバイスのリストを前記ＤＳＣに送信することを含む動作を、プロセッサ実行可能命令を用いて実行するように構成される、請求項１に記載のＤＳＡシステム。
【請求項３】
前記ｅＮｏｄｅＢプロセッサは、
前記ハンドイン開始通信メッセージを前記ＤＳＣから受信し、
前記受信したハンドイン開始通信メッセージで識別されるワイヤレスデバイスを前記ターゲットｅＮｏｄｅＢにハンドオーバすることをさらに含む動作を、プロセッサ実行可能命令を用いて実行するように構成される、請求項２に記載のＤＳＡシステム。
【請求項４】
動的スペクトルポリシコントローラ（ＤＰＣ）プロセッサを備えたＤＰＣをさらに備え、前記ＤＰＣプロセッサは、
動的スペクトルアービトラージアプリケーションパート（ＤＳＡＡＰ）プロトコルを使用し、第１の通信リンクを介して前記ＤＳＣと通信することを含む動作を、プロセッサ実行可能命令を用いて実行するように構成される、請求項３に記載のＤＳＡシステム。
【請求項５】
前記ＤＳＣは第１の電気通信ネットワークに含まれ、前記ＤＰＣプロセッサは、
第２の電気通信ネットワーク内の第２のＤＳＣへの第２の通信リンクを確立し、
無線周波数（ＲＦ）スペクトル資源への要求を前記ＤＳＣから受信し、
前記第２の電気通信ネットワーク内の割り当てに利用可能なＲＦスペクトル資源の量を特定し、
前記第２の電気通信ネットワークの利用可能なＲＦスペクトル資源の一部を前記第１の電気通信ネットワークによるアクセス及び使用に動的に割り当て、
割り当てられたＲＦスペクトル資源の使用を開始し得ることを前記ＤＳＣに通知することを含む動作を、プロセッサ実行可能命令を用いて実行するように構成される、請求項４に記載のＤＳＡシステム。
【請求項６】
動的スペクトルアービトラージ（ＤＳＡ）方法であって、
動的スペクトルコントローラ（ＤＳＣ）のプロセッサにおいて、入札エリアの地理的境界内部にある覆域エリアを有するｅＮｏｄｅＢを識別し、
前記識別されたｅＮｏｄｅＢから適格かつアクティブなワイヤレスデバイスのリストを受信し、
前記受信した適格かつアクティブなワイヤレスデバイスのリスト内のワイヤレスデバイスについての測定レポート及び位置情報を受信し、
前記受信した測定レポートに基づいて、ターゲットｅＮｏｄｅＢの信号強度を特定し、
前記ターゲットｅＮｏｄｅＢの前記特定された信号強度と、地理的境界に対する前記ワイヤレスデバイスの場所とに基づいて、前記適格かつアクティブなデバイスのリストからハンドインするワイヤレスデバイスを選択し、
ハンドインに選択された前記ワイヤレスデバイスにサービスしているｅＮｏｄｅＢにハンドイン開始通信メッセージを送信することを含む、動的スペクトルアービトラージ（ＤＳＡ）方法。
【請求項７】
前記ＤＳＣから、ｅＮｏｄｅＢプロセッサにおいて、前記適格かつアクティブなワイヤレスデバイスのリストに対する要求を受信するステップと、
前記ｅＮｏｄｅＢに取り付けられたアクティブなワイヤレスデバイスの往復遅延（ＲＴＤ）値を計算するステップと、
前記ｅＮｏｄｅＢに取り付けられた前記アクティブなワイヤレスデバイスについての測定レポート及び位置情報を受信するステップと、
前記計算されたＲＴＤ値、前記受信した測定レポート、及び前記受信した位置情報に基づいて、適格かつアクティブなワイヤレスデバイスを識別するステップと、
前記識別されたワイヤレスデバイスを含むように、前記適格かつアクティブなワイヤレスデバイスのリストを生成するステップと、
前記生成された適格かつアクティブなワイヤレスデバイスのリストを前記ＤＳＣに送信するステップと
をさらに含む、請求項６に記載のＤＳＡ方法。
【請求項８】
前記ｅＮｏｄｅＢプロセッサにおいて、前記ＤＳＣから送信された前記ハンドイン開始通信メッセージを受信し、
前記受信したハンドイン開始通信メッセージで識別されるワイヤレスデバイスを前記ターゲットｅＮｏｄｅＢにハンドオーバすることをさらに含む、請求項７に記載のＤＳＡ方法。
【請求項９】
動的スペクトルアービトラージアプリケーションパート（ＤＳＡＡＰ）プロトコルを使用し、第１の通信リンクを介して動的スペクトルポリシコントローラ（ＤＰＣ）と前記ＤＳＣとの間で情報を伝達することをさらに含む、請求項８に記載のＤＳＡ方法。
【請求項１０】
無線周波数（ＲＦ）スペクトル資源への要求を、第１の電気通信ネットワークに含まれる前記ＤＳＣから受信し、
第２の電気通信ネットワーク内の第２のＤＳＣへの第２の通信リンクを確立し、
前記第２の電気通信ネットワーク内の割り当てに利用可能なＲＦスペクトル資源の量を特定し、
前記第２の電気通信ネットワークの利用可能なＲＦスペクトル資源の一部を前記第１の電気通信ネットワークによるアクセス及び使用に動的に割り当て、
前記割り当てられたＲＦスペクトル資源の使用を開始し得ることを前記ＤＳＣに通知することをさらに含む、請求項９に記載のＤＳＡ方法。
【請求項１１】
動的スペクトルコントローラ（ＤＳＣ）であって、
ＤＳＣプロセッサを備え、前記ＤＳＣプロセッサは、
入札エリアの地理的境界内部にある覆域エリアを有するｅＮｏｄｅＢを識別し、
前記識別されたｅＮｏｄｅＢから適格かつアクティブなワイヤレスデバイスのリストを受信し、
前記受信した適格かつアクティブなワイヤレスデバイスのリスト内のワイヤレスデバイスについての測定レポート及び位置情報を受信し、
前記受信した測定レポートに基づいて、ターゲットｅＮｏｄｅＢの信号強度を特定し、
前記ターゲットｅＮｏｄｅＢの前記特定された信号強度と、地理的境界に対する前記ワイヤレスデバイスの場所とに基づいて、前記適格かつアクティブなデバイスのリストからハンドインするワイヤレスデバイスを選択し、
ハンドインに選択された前記ワイヤレスデバイスにサービスしているｅＮｏｄｅＢにハンドイン開始通信メッセージを送信することを含む動作を、プロセッサ実行可能命令を用いて実行するように構成される、動的スペクトルコントローラ（ＤＳＣ）。
【請求項１２】
ｅＮｏｄｅＢであって、
ｅＮｏｄｅＢプロセッサを備え、前記ｅＮｏｄｅＢプロセッサは、
動的スペクトルコントローラ（ＤＳＣ）から、前記適格かつアクティブなワイヤレスデバイスのリストに対する要求を受信し、
前記ｅＮｏｄｅＢに取り付けられたアクティブなワイヤレスデバイスの往復遅延（ＲＴＤ）値を計算し、
前記ｅＮｏｄｅＢに取り付けられたワイヤレスデバイスについての測定レポート及び位置情報を受信し、
前記計算されたＲＴＤ値、前記受信した測定レポート、及び前記受信した位置情報に基づいて、適格かつアクティブなワイヤレスデバイスを識別し、
前記識別されたワイヤレスデバイスを含むように、前記適格かつアクティブなワイヤレスデバイスのリストを生成し、
前記生成された適格かつアクティブなワイヤレスデバイスのリストを前記ＤＳＣに送信することを含む動作を、プロセッサ実行可能命令を用いて実行するように構成される、ｅＮｏｄｅＢ。
【請求項１３】
前記ｅＮｏｄｅＢプロセッサは、
前記生成された適格かつアクティブなワイヤレスデバイスのリストの送信に応答して、ハンドイン開始通信メッセージを前記ＤＳＣから受信し、
前記受信したハンドイン開始通信メッセージで識別されるワイヤレスデバイスをターゲットｅＮｏｄｅＢにハンドオーバすることをさらに含む動作を、プロセッサ実行可能命令を用いて実行するように構成される、請求項１２に記載のｅＮｏｄｅＢ。
【発明の詳細な説明】
【技術分野】
【０００１】
本出願は、２０１３年５月２８日に出願された「Ｍｅｔｈｏｄｓ  ａｎｄ  Ｓｙｓｔｅｍｓ  ｆｏｒ  Ｕｓｅｒ  Ｅｑｕｉｐｍｅｎｔ  Ｓｅｌｅｃｔｉｏｎ  ｆｏｒ  Ｈａｎｄ−ｉｎｓ  ｔｏ  ａ  Ｌｅｓｓｅｅ  Ｎｅｔｗｏｒｋ」という名称の米国仮特許出願第６１／８２７，９４５号明細書の優先権の利益を主張し、その内容全体は参照により本明細書に組み込まれる。
【背景技術】
【０００２】
ネットワークにアクセスし、大容量のファイル（例えば、ビデオファイル）をダウンロードするためのワイヤレス通信デバイスの使用が増え続けることで、無線周波数スペクトルに対する需要がますます増えている。あまりにも多くのデバイスがそのようなサービスに割り当てられた有限の無線周波数（ＲＦ）帯域幅へアクセスを試みることにより、通話が途切れたり、インターネットへのアクセス速度が低下するなどの問題が生じ、スマートフォンユーザが不満を抱いている。それにもかかわらず、救急サービス（例えば、警察、消防、救助など）専用のＲＦ帯域などのＲＦスペクトルの一部は、そのような音声・無線通信帯域は非継続的で一時的にしか使用されないため、大部分が未使用のままである。従って、他のネットワークに加入しているワイヤレスデバイスがアクセスしたり使用するために、第１の電気通信ネットワークのうち活用されていない電気通信資源（例えば、ＲＦスペクトルなど）を動的に割り当てるための改善方法及び解決策は、電気通信ネットワーク、サービスプロバイダ及び電気通信サービスの消費者にとって有益となる。
【発明の概要】
【課題を解決するための手段】
【０００３】
様々な実施形態は、動的スペクトルアービトラージ（ＤＳＡ）方法を含み、本方法は、入札エリアの地理的境界内部にある覆域エリアを有するｅＮｏｄｅＢを識別する（動的スペクトルコントローラのプロセッサにより）ステップと、識別されたｅＮｏｄｅＢから適格かつアクティブなワイヤレスデバイスのリストを受信するステップと、受信した適格かつアクティブなワイヤレスデバイスのリスト内のワイヤレスデバイスについての測定レポート及び位置情報を受信するステップと、受信した測定レポートに基づいてターゲットｅＮｏｄｅＢの信号強度を特定するステップと、ターゲットｅＮｏｄｅＢの特定された信号強度と地理的境界に対するワイヤレスデバイスの場所に基づいて、適格かつアクティブなデバイスのリストからハンドインするワイヤレスデバイスを選択するステップと、ハンドインに選択されたワイヤレスデバイスにサービスしているｅＮｏｄｅＢにハンドイン開始通信メッセージを送信するステップとを含む。
【０００４】
一つの実施形態では、本方法は、ｅＮｏｄｅＢプロセッサにおいて、適格かつアクティブなワイヤレスデバイスのリストに対する要求をＤＳＣから受信するステップと、ｅＮｏｄｅＢに取り付けられたアクティブなワイヤレスデバイスの往復遅延（ＲＴＤ）値を計算するステップと、ｅＮｏｄｅＢに取り付けられたアクティブなワイヤレスデバイスについての測定レポート及び位置情報を受信するステップと、計算されたＲＴＤ値、受信した測定レポート、及び受信した位置情報に基づいて、適格かつアクティブなワイヤレスデバイスを識別するステップと、識別されたワイヤレスデバイスを含むように、適格かつアクティブなワイヤレスデバイスのリストを生成するステップと、生成された適格かつアクティブなワイヤレスデバイスのリストをＤＳＣに送信するステップとを含み得る。
【０００５】
一つの実施形態では、本方法は、ｅＮｏｄｅＢプロセッサにおいて、ＤＳＣから送信されたハンドイン開始通信メッセージを受信するステップと、受信したハンドイン開始通信メッセージで識別されるワイヤレスデバイスをターゲットｅＮｏｄｅＢにハンドオーバするステップとを含み得る。一つの実施形態では、本方法は、動的スペクトルアービトラージアプリケーションパート（ＤＳＡＡＰ）プロトコルを使用し、第１の通信リンクを介して動的スペクトルポリシコントローラ（ＤＰＣ）とＤＳＣとの間で情報を伝達するステップを含み得る。一つの実施形態では、本方法は、無線周波数（ＲＦ）スペクトル資源への要求を第１の電気通信ネットワークに含まれるＤＳＣから受信するステップと、第２の電気通信ネットワーク内の第２のＤＳＣへの第２の通信リンクを確立するステップと、第２の電気通信ネットワーク内の割り当てに利用可能なＲＦスペクトル資源の量を特定するステップと、第２の電気通信ネットワークの利用可能なＲＦスペクトル資源の一部を第１の電気通信ネットワークによるアクセス及び使用に動的に割り当てるステップと、割り当てられたＲＦスペクトル資源の使用を開始し得ることをＤＳＣに通知するステップとを含み得る。
【０００６】
さらなる実施形態は、動的スペクトルアービトラージ（ＤＳＡ）システムを含むことができ、本システムは、ｅＮｏｄｅＢと、ＤＳＣプロセッサを有するＤＳＣサーバとを含み、ＤＳＣプロセッサは、入札エリアの地理的境界内部にある覆域エリアを有するｅＮｏｄｅＢを識別するステップと、識別されたｅＮｏｄｅＢから適格かつアクティブなワイヤレスデバイスのリストを受信するステップと、受信した適格かつアクティブなワイヤレスデバイスのリスト内のワイヤレスデバイスについての測定レポート及び位置情報を受信するステップと、受信した測定レポートに基づいてターゲットｅＮｏｄｅＢの信号強度を特定するステップと、ターゲットｅＮｏｄｅＢの特定された信号強度と地理的境界に対するワイヤレスデバイスの場所とに基づいて、適格かつアクティブなデバイスのリストからハンドインするワイヤレスデバイスを選択するステップと、ハンドインに選択されたワイヤレスデバイスにサービスしているｅＮｏｄｅＢにハンドイン開始通信メッセージを送信するステップを含む動作を、プロセッサ実行可能命令を用いて実行するように構成される。
【０００７】
一つの実施形態では、ｅＮｏｄｅＢはｅＮｏｄｅＢプロセッサを含み、ｅＮｏｄｅＢプロセッサは、適格かつアクティブなワイヤレスデバイスのリストに対する要求をＤＳＣから受信するステップと、ｅＮｏｄｅＢに取り付けられたアクティブなワイヤレスデバイスの往復遅延（ＲＴＤ）値を計算するステップと、ｅＮｏｄｅＢに取り付けられたアクティブなワイヤレスデバイスについての測定レポート及び位置情報を受信するステップと、計算されたＲＴＤ値、受信した測定レポート、及び受信した位置情報に基づいて、適格かつアクティブなワイヤレスデバイスを識別するステップと、識別されたワイヤレスデバイスを含むように、適格かつアクティブなワイヤレスデバイスのリストを生成するステップと、生成された適格かつアクティブなワイヤレスデバイスのリストをＤＳＣに送信するステップとを含む動作を、プロセッサ実行可能命令を用いて実行するように構成される。さらなる実施形態では、ｅＮｏｄｅＢプロセッサは、ハンドイン開始通信メッセージをＤＳＣから受信するステップと、受信したハンドイン開始通信メッセージで識別されるワイヤレスデバイスをターゲットｅＮｏｄｅＢにハンドオーバするステップとをさらに含む動作を、プロセッサ実行可能命令を用いて実行するように構成され得る。さらなる実施形態では、本ＤＳＡシステムは、動的スペクトルポリシコントローラ（ＤＰＣ）プロセッサを有するＤＰＣを含むことができ、ＤＰＣプロセッサは、ＤＳＡＡＰプロトコルを使用して第１の通信リンクを介してＤＳＣと通信するステップを含む動作を、プロセッサ実行可能命令を用いて実行するように構成され得る。さらなる実施形態では、ＤＳＣは第１の電気通信ネットワークに含まれることができ、ＤＰＣプロセッサは、第２の電気通信ネットワーク内の第２のＤＳＣへの第２の通信リンクを確立するステップと、無線周波数（ＲＦ）スペクトル資源への要求をＤＳＣから受信するステップと、第２の電気通信ネットワーク内の割り当てに利用可能なＲＦスペクトル資源の量を特定するステップと、第２の電気通信ネットワークの利用可能なＲＦスペクトル資源の一部を第１の電気通信ネットワークによるアクセス及び使用に動的に割り当てるステップと、割り当てられたＲＦスペクトル資源の使用を開始し得ることをＤＳＣに通知するステップとを含む動作を、プロセッサ実行可能命令を用いて実行するように構成され得る。
【０００８】
さらなる実施形態は動的スペクトルコントローラ（ＤＳＣ）プロセッサを有するＤＳＣサーバを含むことができ、ＤＳＣプロセッサは、入札エリアの地理的境界内部にある覆域エリアを有するｅＮｏｄｅＢを識別するステップと、識別されたｅＮｏｄｅＢから適格かつアクティブなワイヤレスデバイスのリストを受信するステップと、受信した適格かつアクティブなワイヤレスデバイスのリスト内のワイヤレスデバイスについての測定レポート及び位置情報を受信するステップと、受信した測定レポートに基づいてターゲットｅＮｏｄｅＢの信号強度を特定するステップと、ターゲットｅＮｏｄｅＢの特定された信号強度と地理的境界に対するワイヤレスデバイスの場所とに基づいて、適格かつアクティブなデバイスのリストからハンドインするワイヤレスデバイスを選択するステップと、ハンドインに選択されたワイヤレスデバイスにサービスしているｅＮｏｄｅＢにハンドイン開始通信メッセージを送信するステップとを含む動作を、プロセッサ実行可能命令を用いて実行するように構成される。
【０００９】
さらなる実施形態はｅＮｏｄｅＢプロセッサを有するｅＮｏｄｅＢを含み、ｅＮｏｄｅＢプロセッサは、適格かつアクティブなワイヤレスデバイスのリストに対する要求を動的スペクトルコントローラ（ＤＳＣ）から受信するステップと、ｅＮｏｄｅＢに取り付けられたアクティブなワイヤレスデバイスの往復遅延（ＲＴＤ）値を計算するステップと、ｅＮｏｄｅＢに取り付けられたワイヤレスデバイスについての測定レポート及び位置情報を受信するステップと、計算されたＲＴＤ値、受信した測定レポート、及び受信した位置情報に基づいて、適格かつアクティブなワイヤレスデバイスを識別するステップと、識別されたワイヤレスデバイスを含むように、適格かつアクティブなワイヤレスデバイスのリストを生成するステップと、生成された適格かつアクティブなワイヤレスデバイスのリストをＤＳＣに送信するステップとを含む動作を、プロセッサ実行可能命令を用いて実行するように構成される。さらなる実施形態では、ｅＮｏｄｅＢプロセッサは、生成された適格かつアクティブなワイヤレスデバイスのリストの送信に応答して、ハンドイン開始通信メッセージをＤＳＣから受信するステップと、受信したハンドイン開始通信メッセージで識別されるワイヤレスデバイスをターゲットｅＮｏｄｅＢにハンドオーバするステップとを含む動作を、プロセッサ実行可能命令を用いて実行するように構成され得る。
【００１０】
さらなる実施形態は、上述した方法に対応する様々な動作を、プロセッサ実行可能命令を用いて実行するように構成されたプロセッサを有する計算デバイスを含み得る。
【００１１】
さらなる実施形態は、上記で論じられる方法操作に対応する機能を実行するための様々な手段を有するコンピューティングデバイスを含み得る。
【００１２】
さらなる実施形態は、上記で論じられる方法操作に対応する様々な動作をプロセッサに実行させるように構成されたプロセッサ実行可能命令がその上に格納された非一時的なプロセッサ可読記憶媒体を含み得る。
【００１３】
本明細書に組み込まれ、本明細書の一部を構成する添付の図面は、本発明の例示的な実施形態を示し、上記で与えられる一般的な説明及び下記で与えられる詳細な説明と共に、本発明の特徴を説明する上で役立つ。
【図面の簡単な説明】
【００１４】
【図１Ａ】様々な実施形態を実装するために使用することができる通信システムの様々な論理及び機能コンポーネントならびに通信リンクを示すシステムブロック図である。
【図１Ｂ】様々な実施形態を実装するために使用することができる通信システムの様々な論理及び機能コンポーネント、ならびに通信リンクを示すシステムブロック図である。
【図１Ｃ】様々な実施形態を実装するために使用することができる通信システムの様々な論理及び機能コンポーネント、ならびに通信リンクを示すシステムブロック図である。
【図１Ｄ】様々な実施形態を実装するために使用することができる通信システムの様々な論理及び機能コンポーネント、ならびに通信リンクを示すシステムブロック図である。
【図１Ｅ】様々な実施形態を実装するために使用することができる通信システムの様々な論理及び機能コンポーネント、ならびに通信リンクを示すシステムブロック図である。
【図２Ａ】実施形態による、動的スペクトルポリシコントローラ（ＤＰＣ）の観点から資源を割り当てるための動的スペクトルアービトラージ（ＤＳＡ）方法を示すプロセスフロー図である。
【図２Ｂ】実施形態による、資源を割り当てる際のＤＳＡ通信システムのコンポーネント間のメッセージ通信を示すメッセージフロー図である。
【図３】ＤＰＣ、２つの動的スペクトルコントローラ（ＤＳＣ）、及びワイヤレスデバイスを含む通信システムにおける資源の割り当て及びアクセスを行うＤＳＡ方法の実施形態を示すプロセスフロー図である。
【図４】ＤＰＣ、２つの動的スペクトルコントローラ（ＤＳＣ）、及びワイヤレスデバイスを含む通信システムにおける資源の割り当て及びアクセスを行うＤＳＡ方法の実施形態を示すプロセスフロー図である。
【図５】ＤＰＣ、２つの動的スペクトルコントローラ（ＤＳＣ）、及びワイヤレスデバイスを含む通信システムにおける資源の割り当て及びアクセスを行うＤＳＡ方法の実施形態を示すプロセスフロー図である。
【図６】ＤＰＣ、２つの動的スペクトルコントローラ（ＤＳＣ）、及びワイヤレスデバイスを含む通信システムにおける資源の割り当て及びアクセスを行うＤＳＡ方法の実施形態を示すプロセスフロー図である。
【図７】ＤＰＣ、２つの動的スペクトルコントローラ（ＤＳＣ）、及びワイヤレスデバイスを含む通信システムにおける資源の割り当て及びアクセスを行うＤＳＡ方法の実施形態を示すプロセスフロー図である。
【図８Ａ】動的スペクトルアービトラージアプリケーションパート（ＤＳＡＡＰ）登録方法の実施形態を示すメッセージフロー図である。
【図８Ｂ】動的スペクトルアービトラージアプリケーションパート（ＤＳＡＡＰ）登録方法の実施形態を示すメッセージフロー図である。
【図８Ｃ】動的スペクトルアービトラージアプリケーションパート（ＤＳＡＡＰ）登録方法の実施形態を示すメッセージフロー図である。
【図９Ａ】ＤＳＡＡＰ広告方法の実施形態を示すメッセージフロー図である。
【図９Ｂ】ＤＳＡＡＰ広告方法の実施形態を示すメッセージフロー図である。
【図１０Ａ】利用可能な資源のリストを伝達するためのＤＳＡＡＰ方法の実施形態を示すメッセージフロー図である。
【図１０Ｂ】利用可能な資源のリストを伝達するためのＤＳＡＡＰ方法の実施形態を示すメッセージフロー図である。
【図１１Ａ】ＤＳＡＡＰ入札方法の実施形態を示すメッセージフロー図である。
【図１１Ｂ】ＤＳＡＡＰ入札方法の実施形態を示すメッセージフロー図である。
【図１２Ａ】入札動作の結果を参加ネットワークに通知するためのＤＳＡＡＰ通知方法の実施形態を示すメッセージフロー図である。
【図１２Ｂ】入札動作の結果を参加ネットワークに通知するためのＤＳＡＡＰ通知方法の実施形態を示すメッセージフロー図である。
【図１２Ｃ】入札動作の結果を参加ネットワークに通知するためのＤＳＡＡＰ通知方法の実施形態を示すメッセージフロー図である。
【図１２Ｄ】入札動作の結果を参加ネットワークに通知するためのＤＳＡＡＰ通知方法の実施形態を示すメッセージフロー図である。
【図１３Ａ】資源を速やかに（又はほぼ速やかに）購入するためのＤＳＡＡＰ購入方法の実施形態を示すメッセージフロー図である。
【図１３Ｂ】資源を速やかに（又はほぼ速やかに）購入するためのＤＳＡＡＰ購入方法の実施形態を示すメッセージフロー図である。
【図１４Ａ】借主ネットワークのコンポーネントによるアクセス及び使用のために貸主ネットワークの資源を割り当てるためのＤＳＡＡＰ割り当て方法の実施形態を示すメッセージフロー図である。
【図１４Ｂ】借主ネットワークのコンポーネントによるアクセス及び使用のために貸主ネットワークの資源を割り当てるためのＤＳＡＡＰ割り当て方法の実施形態を示すメッセージフロー図である。
【図１５Ａ】貸主ネットワークから借主ネットワーク（すなわち、そのホームのＰＬＭＮ）にワイヤレスデバイスを選択的に引き戻すＤＳＡＡＰバックオフ方法の実施形態を示すメッセージフロー図である。
【図１５Ｂ】貸主ネットワークから借主ネットワーク（すなわち、そのホームのＰＬＭＮ）にワイヤレスデバイスを選択的に引き戻すＤＳＡＡＰバックオフ方法の実施形態を示すメッセージフロー図である。
【図１６Ａ】ＤＳＡ動作を終了させるためのＤＳＣ始動ＤＳＡＡＰ登録解除方法の実施形態を示すメッセージフロー図である。
【図１６Ｂ】ＤＳＡ動作を終了させるためのＤＰＣ始動ＤＳＡＡＰ登録解除方法の実施形態を示すメッセージフロー図である。
【図１７Ａ】エラーを報告するためのＤＳＣ始動ＤＳＡＡＰエラー表示方法を示すメッセージフロー図である。
【図１７Ｂ】エラーを報告するためのＤＰＣ始動ＤＳＡＡＰエラー表示方法を示すメッセージフロー図である。
【図１８Ａ】様々な実施形態による、請求規則を生成するステップを含むＤＳＡ資源割り当て方法を示すメッセージフロー図である。
【図１８Ｂ】様々な実施形態による、請求規則を生成するステップを含むＤＳＡ資源割り当て方法を示すメッセージフロー図である。
【図１９Ａ】様々な実施形態による、ワイヤレスデバイスの場所をモニタするための様々な方法を示すメッセージフロー図である。
【図１９Ｂ】様々な実施形態による、ワイヤレスデバイスの場所をモニタするための様々な方法を示すメッセージフロー図である。
【図１９Ｃ】様々な実施形態による、ワイヤレスデバイスの場所をモニタするための様々な方法を示すメッセージフロー図である。
【図１９Ｄ】様々な実施形態による、ワイヤレスデバイスの場所をモニタするための様々な方法を示すメッセージフロー図である。
【図２０】実施形態による、グリッドマップデータ構造によって表すことができるサブユニットに分割された地理的エリアの図解である。
【図２１】実施形態による、グリッドマップデータ構造によって表すことができる論理及び機能要素の図解である。
【図２２】実施形態による、一次グリッド構造のセルサイトのリストを生成又は更新するための方法を示すプロセスフロー図である。
【図２３Ａ】様々な実施形態による、バッファゾーンを決定するための方法を示すプロセスフロー図である。
【図２３Ｂ】様々な実施形態による、バッファゾーンを決定するための方法を示すプロセスフロー図である。
【図２４】実施形態による、状態変化間のヒステリシス間隙を導入するためにアップ及びダウントリガに使用することができる異なる閾値を示すチャート図である。
【図２５】グリッド境界の近くに位置し、ピンポン回避方法の実施形態の実行が有益であり得るワイヤレスデバイスの移動を示すブロック図である。
【図２６】借主セルの覆域のエリアにおける貸主セルからの無線周波数覆域の欠如によって生じる可能性があり、間隙回避方法の実施形態の実行が有益であり得る覆域間隙の図解である。
【図２７】一次グリッド及び追跡エリアに関し、移動方法の実施形態の実行が有益であり得る様々なワイヤレスデバイスの場所の図解である。
【図２８Ａ】ハンドイン動作を実行するＤＳＡ方法の実施形態を示すプロセスフロー図である。
【図２８Ｂ】ハンドイン動作を実行するＤＳＡ方法の実施形態を示すプロセスフロー図である。
【図２９】異なるネットワーク間の資源の割り当て及び割り当て解除を行うＤＳＡ方法の実施形態を示すプロセスフロー図である。
【図３０】異なるネットワーク間の資源の割り当て及び割り当て解除を行うＤＳＡ方法の実施形態を示すプロセスフロー図である。
【図３１】様々な実施形態での使用に適した例示的なワイヤレスデバイスのコンポーネントブロック図である。
【図３２】実施形態での使用に適したサーバのコンポーネントブロック図である。
【発明を実施するための形態】
【００１５】
添付の図面を参照して様々な実施形態について詳細に説明する。可能な限り、図面全体を通じて、同じ又は同様の部分を指すために同じ参照番号を使用する。特定の例及び実装形態への言及は、例示を目的とし、本発明又は請求項の範囲を限定することを意図しない。
【００１６】
本明細書で使用されるように、「モバイルデバイス」、「ワイヤレスデバイス」及び「ユーザ機器（ＵＥ）」という用語は、交換可能に使用することができ、様々なセルラフォン、パーソナルデータアシスタント（ＰＤＡ）、パームトップコンピュータ、ワイヤレスモデムを有するラップトップコンピュータ、ワイヤレス電子メールレシーバ（例えば、Ｂｌａｃｋｂｅｒｒｙ（登録商標）及びＴｒｅｏ（登録商標）デバイス）、マルチメディアインターネット可セルラフォン（例えば、ｉＰｈｏｎｅ（登録商標））及び同様のパーソナル電子デバイスのいずれか１つを指す。ワイヤレスデバイスは、プログラマブルプロセッサ及びメモリを含み得る。好ましい実施形態では、ワイヤレスデバイスは、セルラフォン通信ネットワークを介して通信することができるセルラハンドヘルドデバイス（例えば、ワイヤレスデバイス）である。
【００１７】
本出願で使用されるように、「コンポーネント」、「モジュール」、「エンジン」、「マネージャ」という用語は、これらに限定されないが、特定の動作又は機能を実行するように構成された、ハードウェア、ファームウェア、ハードウェアとソフトウェアの組合せ、ソフトウェア又は実行中のソフトウェアなどのコンピュータ関連の実体を含むことを意図する。例えば、コンポーネントは、これらに限定されないが、プロセッサ上で実行しているプロセス、プロセッサ、オブジェクト、実行可能なもの、実行スレッド、プログラム、コンピュータ、サーバ、ネットワークハードウェアなどであり得る。例示として、コンピューティングデバイス上で実行しているアプリケーション及びコンピューティングデバイスは両方とも、コンポーネントと呼ぶことができる。１つ又は複数のコンポーネントは、プロセス及び／又は実行スレッド内に存在することができ、コンポーネントは、１つのプロセッサもしくはコア上に局在させること及び／又は２つ以上のプロセッサもしくはコア間で分散させることができる。それに加えて、これらのコンポーネントは、様々な命令及び／又はデータ構造がその上に格納される様々な非一時的なコンピュータ可読媒体から実行することができる。
【００１８】
多くの異なるセルラ及びモバイル通信サービス及び規格が将来利用可能であるか又は企図され、サービス及び規格の全てを実装して様々な実施形態から利益を得ることができる。そのようなサービス及び規格は、例えば、第３世代パートナーシッププロジェクト（３ＧＰＰ：ｔｈｉｒｄ  ｇｅｎｅｒａｔｉｏｎ  ｐａｒｔｎｅｒｓｈｉｐ  ｐｒｏｊｅｃｔ）、ロングタームエボリューション（ＬＴＥ：ｌｏｎｇ  ｔｅｒｍ  ｅｖｏｌｕｔｉｏｎ）システム、第３世代ワイヤレスモバイル通信技術（３Ｇ）、第４世代ワイヤレスモバイル通信技術（４Ｇ）、モバイル通信用グローバルシステム（ＧＳＭ(登録商標）：ｇｌｏｂａｌ  ｓｙｓｔｅｍ  ｆｏｒ  ｍｏｂｉｌｅ  ｃｏｍｍｕｎｉｃａｔｉｏｎｓ）、ユニバーサルモバイル電気通信システム（ＵＭＴＳ：ｕｎｉｖｅｒｓａｌ  ｍｏｂｉｌｅ  ｔｅｌｅｃｏｍｍｕｎｉｃａｔｉｏｎｓ  ｓｙｓｔｅｍ）、３ＧＳＭ、汎用パケット無線サービス（ＧＰＲＳ：ｇｅｎｅｒａｌ  ｐａｃｋｅｔ  ｒａｄｉｏ  ｓｅｒｖｉｃｅ）、符号分割多重アクセス（ＣＤＭＡ：ｃｏｄｅ  ｄｉｖｉｓｉｏｎ  ｍｕｌｔｉｐｌｅ  ａｃｃｅｓｓ）システム（例えば、ｃｄｍａＯｎｅ、ＣＤＭＡ２０００（登録商標））、ＧＳＭ進化型高速データレート（ＥＤＧＥ：ｅｎｈａｎｃｅｄ  ｄａｔａ  ｒａｔｅｓ  ｆｏｒ  ＧＳＭ  ｅｖｏｌｕｔｉｏｎ）、先進移動電話システム（ＡＭＰＳ：ａｄｖａｎｃｅｄ  ｍｏｂｉｌｅ  ｐｈｏｎｅ  ｓｙｓｔｅｍ）、デジタルＡＭＰＳ（ＩＳ−１３６／ＴＤＭＡ）、進化データ最適化（ＥＶ−ＤＯ：ｅｖｏｌｕｔｉｏｎ−ｄａｔａ  ｏｐｔｉｍｉｚｅｄ）、デジタル強化コードレス電気通信（ＤＥＣＴ：ｄｉｇｉｔａｌ  ｅｎｈａｎｃｅｄ  ｃｏｒｄｌｅｓｓ  ｔｅｌｅｃｏｍｍｕｎｉｃａｔｉｏｎｓ）、マイクロ波アクセスのための世界規模の相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ワイヤレスローカルエリアネットワーク（ＷＬＡＮ：ｗｉｒｅｌｅｓｓ  ｌｏｃａｌ  ａｒｅａ  ｎｅｔｗｏｒｋ）、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、Ｗｉ−Ｆｉ保護アクセスＩ＆ＩＩ（ＷＰＡ、ＷＰＡ２）、Ｂｌｕｅｔｏｏｔｈ（登録商標）、統合デジタル強化ネットワーク（ｉｄｅｎ：ｉｎｔｅｇｒａｔｅｄ  ｄｉｇｉｔａｌ  ｅｎｈａｎｃｅｄ  ｎｅｔｗｏｒｋ）、陸上移動無線（ＬＭＲ：ｌａｎｄ  ｍｏｂｉｌｅ  ｒａｄｉｏ）及び進化型ユニバーサル地上無線アクセスネットワーク（Ｅ−ＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）を含む。これらの技術の各々は、例えば、音声、データ、信号及び／又はコンテンツメッセージの送信及び受信に関与する。特に請求項の用語での記述がない限り、個々の電気通信規格又は技術に関連する専門用語及び／又は技術詳細へのいかなる言及も、単なる例示を目的とし、請求項の範囲を特定の通信システム又は技術に限定することを意図しないことを理解すべきである。
【００１９】
いかなる緊急事態又は災害状況にも応じる最優先事項は、効果的な通信を確立することである。大規模な緊急事態又は災害状況（人的と自然の両方）では、緊急事態に効果的に応答し、緊急事態を管理し、制御するために全ての第１の応答者と救急隊員との間の通信を維持することが最も重要である。第１の応答者及び他の救急隊員間の効果的な通信がない場合は、資源が最も必要とされるエリアに資源を効果的に結集することができない。大して緊急を要する事態ではない場合（例えば、交通事故及び火事）でさえ、第１の応答者は支援資産を要請し、他のサービス（例えば、公益事業、病院など）と連携を取ることができなければならない。
【００２０】
ワイヤレスデバイスの所有権及び使用の遍在によって、商用のセルラ通信ネットワークを使用したワイヤレスデバイスを介する緊急通信は、救急救命要員及び資源を結集するための最も効率的で効果的な手段である場合が多い。ワイヤレスデバイスによる効果的な緊急通信の提供を可能にすることにより、様々な第１の応答機関（例えば、警察、消防、救急車、ＦＥＭＡ、公益事業など）間の無線周波数の調整における技術的な課題及び費用を未然に防ぐ。また、非番の又は普段は無線を装着していない事故に対する有資格の第１の応答者（例えば、医師、看護師、元警察又は軍人）は、ワイヤレスデバイスを持つか又は素早く借りることができる。
【００２１】
しかし、セルラ通信ネットワーク上での緊急通信に問題がないわけではない。セルラ及び他の電気通信ネットワーク（「ネットワーク」）は、特定のセルのワイヤレスデバイスの総数のうちのごく一部からのアクセス要求のみに対応するように設計される。緊急事態又は危機の発生時、その状況に対する予測可能な人間の応答により、特定のセル内の並外れた数のワイヤレスデバイスユーザがネットワークに同時にアクセスするように促され、ネットワーク資源が酷使される可能性がある。ワイヤレスデバイスユーザは、緊急事態について救急隊員に警告すること（９１１緊急通報など）、又は、ユーザは緊急事態のエリアにいるが無事であることを友人又は家族に警告することを試みることができる。一部のユーザは、緊急状態（火事、事故など）の画像を通信社又は友人に送信している場合がある。大規模な状況では、緊急通信のためにワイヤレスデバイスを使用する救急応答者は、通話量を増加させることになる。それにもかかわらず、緊急事態の間の通話量の予測可能な増加は、特に緊急事態が及んでいるセルゾーンにおいて、商用のセルラ通信ネットワークを制圧する可能性があり、従って、救急救命要員の通信使用に対して、ネットワークは信頼できないものになる。
【００２２】
既存のソリューションのこれらの及び他の制限を克服するため、様々な実施形態は、第１の応答者のためのサービス品質（ＱｏＳ）及びサービス程度（ＧｏＳ）に基づくワイヤレスデバイス通信を届けるための階層式の優先アクセス（ＴＰＡ）能力を提供するように構成されたコンポーネントを含む。例示的なＴＰＡシステムの詳細な説明は、その内容全体が全体として及び全ての目的で、参照により本明細書に組み込まれる、２１０２年９月２５日付けの米国特許第８，２７５，３４９号明細書で提供されている。
【００２３】
概観すると、ＴＰＡシステム又はソリューションは、大混雑の間又は緊急事態の際に最優先ユーザ（例えば、救急隊員）へのワイヤレス通信資源を調整する、利用可能にする及び／又は提供するために様々なＴＰＡ動作を実行するように構成された様々なコンポーネントを含み得る。例えば、ＴＰＡコンポーネントは、ワイヤレスネットワークの通話量をモニタし、ワイヤレスネットワークの通話量が第１の既定の閾値を超えるかどうかを判断し、ワイヤレスネットワークの通話量が第１の既定の閾値を超える際に、優先度に基づいてワイヤレスネットワーク資源を分配し、最優先利用（すなわち、認可された救急隊員のワイヤレスデバイスによる使用）のために分配された資源の一部を確保するように構成することができる。ＴＰＡコンポーネントは、最優先デバイスから電話がかかってきているかどうか又は最優先デバイスに電話をかけているかどうかを判断するために（事前登録されたワイヤレスデバイスもしくは認可された救急隊員のワイヤレスデバイスに、又は、事前登録されたワイヤレスデバイスもしくは認可された救急隊員のワイヤレスデバイスから）、電話の着信及び発信をモニタし、最優先デバイスから電話がかかってきていない又は最優先デバイスに電話をかけていない限り、ワイヤレスネットワーク資源への一般アクセスを可能にし、最優先デバイスから電話がかかってきている又は最優先デバイスに電話をかけているという判断に応答して、ワイヤレスネットワーク資源への一般アクセスを制限するようにさらに構成することができる。従って、ＴＰＡソリューションは、電気通信システムが利用可能な資源をより多く使用できるようにし、最優先ユーザが、必要な時にシステムへのアクセス及びシステムの使用を行えることを保証する。
【００２４】
様々な実施形態では、これらの及び他のＴＰＡ動作は、２つ以上のネットワーク間（例えば、貸主ネットワークと借主ネットワークとの間）の電気通信資源（例えば、ＲＦスペクトルなど）の利用可能性、割り当て、アクセス及び使用を動的に管理するように構成された動的スペクトルアービトラージ（ＤＳＡ）システムで実行することができる。例示的なＤＳＡシステムの詳細な説明は、その内容全体が全体として及び全ての目的で、参照により本明細書に組み込まれる、２０１４年４月２９日付けの米国特許第８，７１１，７２１号明細書で提供されている。
【００２５】
簡潔には、ＤＳＡシステムは、２つ以上のネットワーク間（例えば、貸主ネットワークと借主ネットワークとの間）のＤＳＡ動作及び相互作用を管理するように構成された動的スペクトルポリシコントローラ（ＤＰＣ）を含み得る。ＤＰＣは、１つ又は複数の動的スペクトルコントローラ（ＤＳＣ）コンポーネントを通じてネットワークプロバイダネットワークの様々なネットワークコンポーネントと通信することができ、コンポーネントは、ＤＳＡ通信に参加しているネットワークに含めるか又は追加することができる。ＤＳＣコンポーネントは、ｅＮｏｄｅＢへの有線又は無線接続、移動性管理実体（ＭＭＥ）コンポーネント／サーバ、様々な衛星システム及び他のネットワークコンポーネントを含み得る。ＤＳＣは、他のネットワークに及び他のネットワークから資源を申し出る、割り当てる、要求する及び／又は受け取るため、ＤＰＣコンポーネントと通信することができる。これにより、２つ以上のネットワークは、協働し、ネットワークの資源をより良く活用することができる（例えば、大混雑の時間の間に資源を借り、資源を使用していない時に貸し出すことによって）。
【００２６】
様々な実施形態では、資源を割り当てる又は貸し出し、リース資源の使用をモニタし、入札特有の閉鎖された加入者グループ識別子に基づく（すなわち、ＣＳＧ−ＩＤに基づく）請求規則を生成、インストール又は実施することによってリース資源の使用の口座に自動的に請求するように、ＤＳＡシステムを構成することができる。
【００２７】
一つの実施形態では、ＤＳＡシステムは、ワイヤレスデバイスが利用可能な／リース資源に対して移動する過程において、ワイヤレスデバイスの取り扱い（例えば、ハンドオフ、ハンドイン、バックオフなど）をより良く管理し、調整するためにモビリティー管理動作を実行するように構成されたＤＳＡコンポーネント（例えば、ＤＰＣ、ＤＳＣ、ｅＮｏｄｅＢなど）を含み得る。
【００２８】
一つの実施形態では、ＤＳＡコンポーネントは、ワイヤレスデバイスの場所をより良くモニタし、ＤＳＡ決定をより良く且つより多く情報を得たものにするため、ＤＳＡコンポーネントの動作を調整し、情報を伝達するように構成することができる。例えばＤＳＣコンポーネントは、電気通信資源に関するワイヤレスデバイスの正確な場所を決定するためにＭＭＥコンポーネントと通信するように構成することができる。ＤＳＣコンポーネントは、この場所情報（すなわち、ワイヤレスデバイスの正確な場所）を使用して、ハンドオフ、ハンドイン、バックオフ及び移動動作のための候補デバイスをより良く特定することができる。
【００２９】
それに加えてＤＳＡコンポーネントは、ワイヤレスデバイスが利用可能な資源に対して参加ネットワーク間を移動する過程において、ワイヤレスデバイスのモビリティーをさらにサポートするために様々な特別な機能を実行するように構成することができる。これらの特別な機能は、資源グリッドを特定すること、グリッドのバッファゾーンを決定すること、地理的境界又はワイヤレスデバイスの移動中の境界を見つけること、接続されたワイヤレスデバイスに対するネットワーク間ハンドオーバを実行すること、ワイヤレスデバイスの近辺をモニタすること、ワイヤレスデバイスがアイドル状態であるかどうかを判断すること、アイドル状態のデバイスに対して移動動作を実行すること、混雑状態変化を判断することなどを含み得る。また、特別な機能は、ハンドイン、ハンドオフ又はバックオフ手順の間のセルの機能停止又はブラックリスト入りに起因する覆域間隙を取り扱うことも含み得る。特別な機能は、オペレータポリシを特定すること、グリッドマップを介してブラックリスト及び動的な変化を決定すること、及び、ハンドイン、ハンドオフ又はバックオフ手順を事前に計画することをさらに含み得る。また、特別な機能は、モビリティーに基づく、混雑に基づく、入札に基づく、又は有効期限に基づくバックオフ動作を実行することも含み得る。
【００３０】
様々な実施形態は、地理的エリアに基づいてワイヤレスネットワークによる資源の割り当て、転移及び／又は使用を管理するように構成されたＤＳＡシステムも含み得る。例えば、ＤＳＡシステムは、地理的エリアの落札者（２つの全ネットワーク、領域、セルサイト、セクタ、サブセクタなどを含み得る）をもたらすオークション／アービトレーション動作を実行するように構成することができる。地理的エリアに基づいて資源を割り当てるように構成された例示的なＤＳＡシステムの詳細な説明は、その内容全体が全体として及び全ての目的で、参照により本明細書に組み込まれる、２０１３年８月８日付けの米国特許出願公開第２０１３／０２０３４３５号明細書で提供されている。
【００３１】
様々な実施形態は、利用可能な／リースされた資源に対するワイヤレスデバイスのモビリティーに基づいて、地理的エリアに基づいて資源を割り当てるための改善された方法を提供する。例えば一つの実施形態では、ＤＳＡコンポーネントは、関連する地理的エリアをサブユニットに分割し、これらの地理的サブユニットを識別するグリッドマップ情報構造を生成し、グリッドマップデータ構造を使用して利用可能な資源に対するワイヤレスデバイスの地理的場所に基づいて資源の割り当て、割り当て解除及び再割り当てを行うように構成することができる。利用可能な資源は、借主資源と貸主資源の両方を含み得る。
【００３２】
一つの実施形態では、ＤＳＡコンポーネントは、一次グリッド及びバッファゾーンを含むグリッドマップ構造を生成するように構成することができ、その各々は、セル／セクタ及びその覆域ゾーンの特定に適した情報を含む／格納する情報構造であり得る。一次グリッド構造は、そのセル／セクタを内部又は境界セルとして分類することができ、バッファゾーンは、一次グリッドの境界セルへのセル／セクタの近接度に基づいて、そのセル／セクタを層、ゾーン又は階層に分類することができる。一つの実施形態では、一次グリッド構造は、ＤＳＡ動作の一部として借主ネットワークによって購入されるか又は落札された地理的エリアにあるセル／セクタを含むように生成することができる。次いで、ＤＳＡコンポーネントは、一次グリッド及び／又はバッファゾーンによって特定されたセル／セクタに関するワイヤレスデバイス１０２の場所及び移動を利用して、ネットワーク内及び／又はネットワーク間のハンドオーバ動作を開始する（すなわち、借主ネットワークから貸主ネットワークに（逆もまた同様）デバイスを引き渡す）かどうかを判断することができる。様々な実施形態では、ネットワーク間のハンドオーバ動作は、ハンドイン、バックオフ及び／又は移動動作を含み得る。
【００３３】
一つの実施形態では、ＤＳＡコンポーネントは、借主又は貸主ネットワークの資源に取り付けられたワイヤレスデバイスから受信された情報に基づいてグリッドマップ構造を生成又は更新するように構成することができる。
【００３４】
一つの実施形態では、ＤＳＡコンポーネントは、グリッドマップで特定された資源の利用可能性の変化をより良く記述するため、内部、境界及びバッファゾーンセルの特定／分類を定期的に再評価するように構成することができる。例えば、ＤＳＡコンポーネントは、保守のために取り除かれるセルサイト、オンラインにもたらされる新しいセクタなどを記述するため、セル分類を再評価することができる。一つの実施形態では、そのような情報は、ワイヤレスデバイスから受信することができる。
【００３５】
一つの実施形態では、ＤＳＡコンポーネントは、グリッドマップ情報構造に基づいてワイヤレスデバイスを借主ネットワークから貸主ネットワークに転移するためにハンドイン動作を実行するように構成することができる。ＤＳＡコンポーネントは、一次グリッドの中心の最も近くに位置するワイヤレスデバイスが最初に移動され、バッファゾーンのエッジの最も近くに位置するワイヤレスデバイスが最後に移動されるように、ハンドイン動作を実行するように構成することができる。すなわち、ＤＳＡコンポーネントは、ワイヤレスデバイスをグリッドの中心からバッファゾーンのエッジに向けて外方向に移動するためにハンドイン動作を実行することができる。
【００３６】
一つの実施形態では、ＤＳＡコンポーネントは、グリッドマップ構造に基づいてワイヤレスデバイスを貸主ネットワークから借主ネットワークに移動するためにバックオフ動作を実行するように構成することができる。ＤＳＡコンポーネントは、バッファゾーンのエッジの最も近くに位置するワイヤレスデバイスが最初に移動され、一次グリッドの中心の最も近くに位置するワイヤレスデバイスが最後に移動されるように、バックオフ動作を実行するように構成することができる。すなわち、ＤＳＡコンポーネントは、ワイヤレスデバイスをバッファゾーンのエッジからグリッドの中心に向けて内方向に移動するためにハンドイン動作を実行することができる。
【００３７】
一つの実施形態では、ＤＳＡコンポーネントは、ワイヤレスデバイスから測定レポートを受信するように構成することができる。測定レポートは、利用可能な資源又は潜在的な対象ネットワークのためのワイヤレスデバイスで検出された信号強度情報を含み得る。ＤＳＡコンポーネントは、受信された測定レポートを使用して、レポート／信号強度に基づいて、対象セルを選択すること及び／又はネットワーク間のハンドオーバ（ハンドイン又はバックオフ）手順を開始することができる。例えば、ｅＮｏｄｅＢは、対象ネットワークに対するワイヤレスデバイスから測定レポートを受信し、測定レポートを使用してワイヤレスデバイスに対するその信号強度に基づいて対象ｅＮｏｄｅＢを選択するように構成することができる。
【００３８】
一つの実施形態では、ＤＳＡコンポーネントは、ｅＮｏｄｅＢから混雑状態情報を受信し、この混雑状態情報を使用して資源をインテリジェントに割り当て、ｅＮｏｄｅＢのユーザトラフィックを管理し、ハンドオーバに対する対象ｅＮｏｄｅＢを選択し、ｅＮｏｄｅＢに取り付けられたワイヤレスデバイスに提供すべきサービス品質（ＱｏＳ）レベルを決定し、ならびに／あるいは、様々なネットワークによる資源の割り当て又は使用をインテリジェントに管理するために他の同様の動作を実行するように構成することができる。混雑状態情報は、ｅＮｏｄｅＢ及び／又は他のネットワークコンポーネントの現在の混雑状態（例えば、正常な、小規模な、大規模な、危険な、など）を特定することができる。各混雑状態は、混雑レベルと関連付けることができる。例えば、「正常な」混雑状態は、ネットワークコンポーネント（例えば、ｅＮｏｄｅＢなど）が正常な負荷の下で動作していること（例えば、ユーザトラフィックが正常な動作激怒内であるなど）を示し得る。「小規模な」混雑状態は、ネットワークコンポーネントが混雑を経験している及び／又は平均を上回る負荷の下で動作していることを示し得る。「大規模な」混雑状態は、ネットワークコンポーネントがかなりの混雑を経験している及び／又は重い負荷の下で動作していることを示し得る。「危険な」混雑状態は、ネットワークコンポーネントが激しい混雑を経験している、緊急事態を経験している又は極めて重い負荷の下で動作していることを示し得る。
【００３９】
一つの実施形態では、ＤＳＡコンポーネントは、同じ２つの混雑状態間の頻繁な変動（例えば、正常から小規模へ、及び、小規模から正常へ、など）を回避するため、混雑状態の移行を引き起こすアップ及びダウントリガに対して異なる閾値を適用するように構成することができる。例えばｅＮｏｄｅＢは、ユーザトラフィックレベルが５０％超まで増加したという判断に応答して正常な状態から小規模な状態へ移行し、ユーザトラフィックレベルが４０％未満まで減少したという判断に応答して小規模な状態から正常な状態へ移行するように構成することができる。すなわち、ｅＮｏｄｅＢは、正常な混雑状態から小規模な混雑状態へのアップトリガを５０％に、そして、小規模な混雑状態から正常な混雑状態へのダウントリガを４０％に設定するように構成することができる。
【００４０】
一つの実施形態では、ＤＳＡコンポーネントは、バッファゾーン構造を使用してピンポン回避動作を実行するように構成することができる。例えば、ＤＳＡコンポーネントは、バッファゾーン構造（例えば、グリッドマップの）を使用して、同じグリッド境界を頻繁に越えるワイヤレスデバイスによって引き起こされ得るピンポン効果を低減するためにハンドイン又はバックオフ動作を実行するように構成することができる。また、これらのＤＳＡコンポーネントは、タイマを使用してピンポン効果をさらに低減するように構成することもできる。
【００４１】
一つの実施形態では、ＤＳＡコンポーネントは、ワイヤレスデバイスのネットワーク間のモビリティーに基づいて負荷バランシング動作を実行するように構成することができる。ワイヤレスデバイスのネットワーク間の移動は、利用可能な資源に対するワイヤレスデバイスの場所に基づいて決定することができる。一つの実施形態では、ワイヤレスデバイスのネットワーク間の移動は、グリッドマップ情報構造に含まれる情報に基づいて決定することができる。
【００４２】
様々な実施形態では、ＤＳＡコンポーネントは、ハンドインの間の貸主ネットワーク（リースグリッド内）における覆域間隙の取り扱い、ハンドオフの間の貸主ネットワーク（リースグリッド内）における覆域間隙の取り扱い、バックオフの間の借主ネットワーク（リースグリッド内）における覆域間隙の取り扱い、セルの機能停止によって生じる覆域間隙の取り扱い、及び、セルのブラックリスト入りに起因する覆域間隙の取り扱いのための様々な動作を実行するように構成することができる。ＤＳＡコンポーネントは、セルの機能停止及びブラックリスト入りによって生じる覆域間隙に応答するように構成することができる。
【００４３】
様々な実施形態では、ＤＳＡコンポーネントは、ハンドオフ事前計画動作、ハンドイン事前計画動作及びバックオフ事前計画動作を実行するように構成することができる。一つの実施形態では、ＤＳＡコンポーネントは、貸主ネットワークに取り付けられたアイドル状態の借主ワイヤレスデバイスを借主ネットワークに逆移動させるために逆移動動作を実行するように構成することができる。
【００４４】
一つの実施形態では、ＤＳＡコンポーネントは、グリッドマップ情報構造において入札グリッド（すなわち、ＤＳＡ動作の一部として借主ネットワークによって購入された／落札された地理的エリア）と関連付けられたセル／セクタを特定するように構成することができる。
【００４５】
一つの実施形態では、ＤＳＡコンポーネントは、グリッドマップを使用して、ワイヤレスデバイスによって使用される予定の資源を特定するように構成することができる。例えば、借主ネットワークのＤＳＡコンポーネントは、グリッドマップ及びワイヤレスデバイスから受信された測定レポートを使用して、ワイヤレスデバイスに関する貸主ネットワークの資源の場所及び利用可能性に基づいてハンドイン動作（又はワイヤレスデバイスを貸主ネットワークに引き渡すプロセス）を開始するかどうかを判断することができる。貸主ネットワークのＤＳＡコンポーネントは、グリッドマップを使用して、入札の終了、混雑及び／又はワイヤレスデバイスが入札グリッド外の地理的エリアへの移動の検出に応答し、借主ネットワークの資源の場所及び利用可能性に基づいて、バックオフ動作（又はワイヤレスデバイスを借主システムに引き戻すプロセス）を開始するかどうかを判断することができる。
【００４６】
また、様々な実施形態は、入札グリッド／エリアにおける貸主ネットワーク資源へのハンドオーバ又はハンドインに対する候補としてワイヤレスデバイスをインテリジェントに特定及び選択するように構成されたＤＳＡコンポーネントも含み得る。さらなる実施形態では、ＤＳＡコンポーネントは、参加ネットワーク間でワイヤレスデバイスを移動／転送するためにハンドオーバ、ハンドイン、ハンドアウト及びバックオフ決定をインテリジェントに行うように構成することができる。
【００４７】
一つの実施形態では、ＤＳＡコンポーネントは、入札エリアの地理的境界内にあり、かつ貸主ネットワークに引き渡すべき候補となる全てのアクティブなワイヤレスデバイスの特定のために適した資源割り当て情報を受信するように構成されたＤＳＣコンポーネントを含み得る。ＤＳＣコンポーネントは、資源割り当て情報を使用して、貸主ネットワークへの候補ワイヤレスデバイスのインテリジェントな選択及び引き渡しを行う（すなわち、貸主ネットワークによって割り当てられた資源を使用する）ことができる。
【００４８】
一つの実施形態では、ＤＳＡコンポーネントは、入札エリアの地理的境界の内側の多数のｅＮｏｄｅＢを特定すること、往復遅延（ＲＴＤ）値を演算すること、特定された多数のｅＮｏｄｅＢの各々における多数のアクティブなワイヤレスデバイスの各々に対する貸主ネットワークの絶対無線周波数チャネル数（ＡＲＦＣＮ）の測定レポートを受信すること（例えば、ＤＳＣコンポーネントにおいて）、及び、多数のｅＮｏｄｅＢの各々における測定レポートに基づいて貸主ネットワークに引き渡されるに適格な全てのアクティブなワイヤレスデバイスのリストを生成することを含むＤＳＡ動作を実行するように構成することができる。ＤＳＡ動作は、貸主ネットワークに引き渡されるに適格であり、かつアクティブなワイヤレスデバイスのリストを受信すること、ＲＴＤ値、測定レポート及びワイヤレスデバイス位置情報を受信すること、ならびに、受信されたリスト、ＲＴＤ値、測定レポート及びＵＥ位置情報のいずれか又は全てに基づいて貸主ネットワークに引き渡すワイヤレスデバイスを選択することをさらに含み得る。
【００４９】
一つの実施形態では、ＤＳＡコンポーネントは、入札エリアの地理的境界内部にある覆域エリアを有するｅＮｏｄｅＢを識別するように構成されたＤＳＣプロセッサを有するＤＳＣサーバを含み得る。ＤＳＣサーバは、識別されたｅＮｏｄｅＢから適格かつアクティブなワイヤレスデバイスのリストを要求し受信し得る。ＤＳＣは、受信した適格かつアクティブなワイヤレスデバイスのリスト内のワイヤレスデバイスについての測定レポート及び位置情報を要求し、受信することもできる。ＤＳＣは、測定レポートを使用して、潜在的なターゲットｅＮｏｄｅＢの信号強度を特定し得る。次にＤＳＣは、ターゲットｅＮｏｄｅＢの特定された信号強度及び／又は地理的境界（例えば、入札エリア）に対するワイヤレスデバイスの場所に基づいて、受信した適格かつアクティブなデバイスのリストに含まれるワイヤレスデバイスのサブセットをハンドインに選択し得る。次にＤＳＣは、ハンドインに選択されたワイヤレスデバイスにサービスしているｅＮｏｄｅＢにハンドイン開始通信メッセージを送信し得る。
【００５０】
さらなる実施形態は、ＤＳＣから適格かつアクティブなワイヤレスデバイスのリストに対する要求を受信し、ｅＮｏｄｅＢに取り付けられた各アクティブなワイヤレスデバイスの往復遅延（ＲＴＤ）値を計算し、ｅＮｏｄｅＢに取り付けられたワイヤレスデバイスについての測定レポート及び位置情報を受信し、計算されたＲＴＤ値、受信した測定レポート、及び受信した位置情報に基づいて、適格かつアクティブなワイヤレスデバイスを識別するように構成されたｅＮｏｄｅＢプロセッサを有するｅＮｏｄｅＢを含む。次に、ｅＮｏｄｅＢプロセッサは、識別された全てのワイヤレスデバイスを含む適格かつアクティブなワイヤレスデバイスのリストを生成し、生成されたリストをＤＳＣに送信し得る。ｅＮｏｄｅＢは、生成された適格かつアクティブなワイヤレスデバイスのリストの送信に応答して、ハンドイン開始通信メッセージをＤＳＣから受信し得る。次にｅＮｏｄｅＢは、受信したハンドイン開始通信メッセージで識別されるワイヤレスデバイスをターゲットｅＮｏｄｅＢにハンドオーバすることができ、ターゲットｅＮｏｄｅＢも、受信したハンドイン開始通信メッセージで識別され得る。
【００５１】
様々な実施形態は、各種の通信システム内で実装することができ、その例が図１Ａ〜１Ｅに示される。図１Ａを参照すると、ワイヤレスデバイス１０２は、基地局１１１に及び基地局１１１から音声、データ及び制御信号を送信及び受信するように構成することができ、基地局１１１は、ベーストランシーバ基地局（ＢＴＳ）、ＮｏｄｅＢ、ｅＮｏｄｅＢなどであり得る。基地局１１１は、アクセスゲートウェイ１１３と通信することができ、アクセスゲートウェイ１１３は、コントローラ、ゲートウェイ、サービングゲートウェイ（ＳＧＷ）、パケットデータネットワークゲートウェイ（ＰＧＷ）、進化型パケットデータゲートウェイ（ｅＰＤＧ）、パケットデータサービングノード（ＰＤＳＮ）、サービングＧＰＲＳサポートノード（ＳＧＳＮ）、任意の同様のコンポーネント又はそれらの提供される特徴／機能の組合せのうちの１つ又は複数を含み得る。これらの構造はよく知られているため及び／又は以下でさらに詳細に論じているため、最も関連する特徴に関する説明に焦点を置くために図１Ａからある特定の詳細を省略している。
【００５２】
アクセスゲートウェイ１１３は、ワイヤレスデバイスのトラフィックの出入りの主要点の働きをするならびに／あるいはワイヤレスデバイス１０２をワイヤレスデバイス１０２の即時のサービスプロバイダ及び／又はパケットデータネットワーク（ＰＤＮ）に接続するいかなる論理及び／又は機能コンポーネントでもあり得る。アクセスゲートウェイ１１３は、音声、データ及び制御信号をユーザデータパケットとして他のネットワークコンポーネントに転送すること、外部のパケットデータネットワークへの接続性を提供すること、コンテキスト（例えば、ネットワーク内部ルーティング情報など）を管理及び格納すること、ならびに、異なる技術（例えば、３ＧＰＰ及び非３ＧＰＰシステム）間のアンカの役割を果たすことができる。アクセスゲートウェイ１１３は、インターネット１０５への及びインターネット１０５からのデータの送信及び受信、ならびに、外部のサービスネットワーク１０４、インターネット１０５、他の基地局１１１、ワイヤレスデバイス１０２への及び外部のサービスネットワーク１０４、インターネット１０５、他の基地局１１１、ワイヤレスデバイス１０２からの音声、データ及び制御信号の送信及び受信を調整することができる。
【００５３】
様々な実施形態では、基地局１１１及び／又はアクセスゲートウェイ１１３は、様々なネットワーク資源（例えば、ＲＦスペクトル、ＲＦスペクトル資源など）の利用可能性、割り当て、アクセス及び使用を動的に管理するように構成された動的スペクトルアービトラージ（ＤＳＡ）システムと結合することができる（例えば、有線又は無線通信リンクを介して）。ＤＳＡシステムについては、以下でさらに詳細に論じる。
【００５４】
図１Ｂは、各種の通信システム／技術（例えば、ＧＰＲＳ、ＵＭＴＳ、ＬＴＥ、ｃｄｍａＯｎｅ、ＣＤＭＡ２０００（登録商標））を使用してサービスネットワーク１０４（そして最終的にインターネット１０５）に及びサービスネットワーク１０４から音声、データ及び制御信号を送信及び受信するようにワイヤレスデバイス１０２を構成できることを示し、それらのいずれか又は全ては、様々な実施形態によってサポートすること又は様々な実施形態の実装に使用することができる。
【００５５】
図１Ｂに示される例では、ワイヤレスデバイス１０２から送信されたロングタームエボリューション（ＬＴＥ）及び／又は進化型ユニバーサル地上無線アクセスネットワーク（Ｅ−ＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）データは、ｅＮｏｄｅＢ  １１６によって受信され、コアネットワーク１２０内に位置するサービングゲートウェイ（ＳＧＷ）１１８に送信される。ｅＮｏｄｅＢ  １１６は、シグナリング／制御情報（例えば、呼び出しセットアップ、セキュリティ、認証などについての情報）をモビリティー管理実体（ＭＭＥ）１３０に送信することができる。ＭＭＥ  １３０は、ホーム加入者サーバ（ＨＳＳ）１３２からユーザ／予約購入情報を要求すること、他のＭＭＥコンポーネントと通信すること、様々な管理タスク（例えば、ユーザ認証、ローミング制限の実施など）を実行すること、ＳＧＷ  １１８を選択すること、ならびに、認証及び管理情報をｅＮｏｄｅＢ  １１６及び／又はＳＧＷ  １１８に送信することができる。ＭＭＥ  １３０から認証情報（例えば、認証完了表示、選択されたＳＧＷの識別子など）が受信され次第、ｅＮｏｄｅＢ  １１６は、ワイヤレスデバイス１０２から受信されたデータを選択されたＳＧＷ  １１８に送信することができる。ＳＧＷ  １１８は、受信されたデータについての情報（例えば、ＩＰベアラサービスのパラメータ、ネットワーク内部ルーティング情報など）を格納し、ユーザデータパケットをポリシ制御実施機能（ＰＣＥＦ）及び／又はパケットデータネットワークゲートウェイ（ＰＧＷ）１２８に転送することができる。
【００５６】
図１Ｂは、ワイヤレスデバイス１０２から送信された汎用パケット無線サービス（ＧＰＲＳ：ｇｅｎｅｒａｌ  ｐａｃｋｅｔ  ｒａｄｉｏ  ｓｅｒｖｉｃｅ）データをベーストランシーバ基地局（ＢＴＳ）１０６によって受信し、基地局コントローラ（ＢＳＣ）及び／又はパケット制御ユニット（ＰＣＵ）コンポーネント（ＢＳＣ／ＰＣＵ）１０８に送信できることをさらに示す。ワイヤレスデバイス１０２から送信された符号分割多重アクセス（ＣＤＭＡ：ｃｏｄｅ  ｄｉｖｉｓｉｏｎ  ｍｕｌｔｉｐｌｅ  ａｃｃｅｓｓ）データは、ベーストランシーバ基地局１０６によって受信し、基地局コントローラ（ＢＳＣ）及び／又はパケット制御機能（ＰＣＦ）コンポーネント（ＢＳＣ／ＰＣＦ）１１０に送信することができる。ワイヤレスデバイス１０２から送信されたユニバーサルモバイル電気通信システム（ＵＭＴＳ：ｕｎｉｖｅｒｓａｌ  ｍｏｂｉｌｅ  ｔｅｌｅｃｏｍｍｕｎｉｃａｔｉｏｎｓ  ｓｙｓｔｅｍ）データは、ＮｏｄｅＢ  １１２によって受信し、無線ネットワークコントローラ（ＲＮＣ）１１４に送信することができる。
【００５７】
ＢＳＣ／ＰＣＵ  １０８、ＢＳＣ／ＰＣＦ  １１０及びＲＮＣ  １１４コンポーネントは、ＧＰＲＳ、ＣＤＭＡ及びＵＭＴＳデータをそれぞれ処理し、処理されたデータをコアネットワーク１２０内のコンポーネントに送信することができる。より具体的には、ＢＳＣ／ＰＣＵ  １０８及びＲＮＣ  １１４ユニットは、処理されたデータをサービングＧＰＲＳサポートノード（ＳＧＳＮ）１２２に送信することができ、ＢＳＣ／ＰＣＦ  １１０は、処理されたデータをパケットデータサービングノード（ＰＤＳＮ）及び／又は高速パケットデータサービングゲートウェイ（ＨＳＧＷ）コンポーネント（ＰＤＳＮ／ＨＳＧＷ）１２６に送信することができる。ＰＤＳＮ／ＨＳＧＷ  １２６は、無線アクセスネットワークとＩＰベースのＰＣＥＦ／ＰＧＷ  １２８との間の接続点の役割を果たし得る。ＳＧＳＮ  １２２は、特定の地理的サービスエリア内のデータのルーティングに対する責任を有することができ、シグナリング（制御プレーン）情報（例えば、呼び出しセットアップ、セキュリティ、認証などについての情報）をＭＭＥ  １３０に送信することができる。ＭＭＥ  １３０は、ホーム加入者サーバ（ＨＳＳ）１３２からユーザ及び予約購入情報を要求すること、様々な管理タスク（例えば、ユーザ認証、ローミング制限の実施など）を実行すること、ＳＧＷ  １１８を選択すること、ならびに、管理及び／又は認証情報をＳＧＳＮ  １２２に送信することができる。
【００５８】
ＳＧＳＮ  １２２は、ＭＭＥ  １３０からの認証情報の受信に応答して、ＧＰＲＳ／ＵＭＴＳデータを選択されたＳＧＷ  １１８に送信することができる。ＳＧＷ  １１８は、データについての情報（例えば、ＩＰベアラサービスのパラメータ、ネットワーク内部ルーティング情報など）を格納し、ユーザデータパケットをＰＣＥＦ／ＰＧＷ  １２８に転送することができる。ＰＣＥＦ／ＰＧＷ  １２８は、シグナリング（制御プレーン）情報をポリシ制御規則機能（ＰＣＲＦ）１３４に送信することができる。ＰＣＲＦ  １３４は、加入者データベースにアクセスすること、一連のポリシ規則を作成すること、及び、他の専門的な機能を実行する（例えば、オンライン／オフライン請求システム、アプリケーション機能などと相互作用する）ことができる。次いで、ＰＣＲＦ  １３４は、実施のためにポリシ規則をＰＣＥＦ／ＰＧＷ  １２８に送信することができる。ＰＣＥＦ／ＰＧＷ  １２８は、帯域幅、サービス品質（ＱｏＳ）、データの特徴、及び、サービスネットワーク１０４とエンドユーザとの間で伝達されるサービスを制御するためにポリシ規則を実装することができる。
【００５９】
様々な実施形態では、上記で論じられるコンポーネントのいずれか又は全て（例えば、コンポーネント１０２〜１３４）は、電気通信資源の利用可能性、割り当て、アクセス及び使用を動的に管理するように構成されたＤＳＡシステムと結合するか又はＤＳＡシステムに含めることができる。
【００６０】
図１Ｃは、ＤＳＡシステム１４２及び進化型ユニバーサル地上無線アクセスネットワーク（Ｅ−ＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）１４０を含むシステム１００の一つの実施形態における様々な論理コンポーネント及び通信リンクを示す。図１Ｃに示される例では、ＤＳＡシステム１４２は、動的スペクトルコントローラ（ＤＳＣ）１４４コンポーネントと、動的スペクトルポリシコントローラ（ＤＰＣ）１４６コンポーネントとを含む。Ｅ−ＵＴＲＡＮ  １４０は、コアネットワーク１２０と結合された（例えば、ＭＭＥ、ＳＧＷなどへの接続を介して）多数の相互接続されたｅＮｏｄｅＢ  １１６を含む。
【００６１】
様々な実施形態では、ＤＳＣ  １４４は、Ｅ−ＵＴＲＡＮ  １４０に含めるか又はＥ−ＵＴＲＡＮ  １４０と結合することができ、いずれの場合も、そのコアネットワーク１２０の一部として又はコアネットワーク１２０外に含めるか又は結合することができる。一つの実施形態では、ＤＳＣ  １４４は、１つ又は複数のｅＮｏｄｅＢ  １１６と直接結合することができる（例えば、有線又は無線通信リンクを介して）。
【００６２】
ｅＮｏｄｅＢ  １１６は、Ｘｅインタフェース／基準点を介してＤＳＣ  １４４と通信するように構成することができる。様々な実施形態では、ＤＳＣとｅＮｏｄｅＢ  １１６との間のＸｅ基準点は、ＤＳＡＡＰプロトコル、ＴＲ−０６９プロトコル及び／又はＴＲ−１９２データモデル拡張を使用して、ｅＮｏｄｅＢ  １１６における利用可能な資源のリストアップ及びｅＮｏｄｅＢ  １１６への入札／買い確認についての通知をサポートすることができる。ＤＳＣ  １４４は、Ｘｄインタフェース／基準点を介してＤＰＣ  １４６と通信するように構成することができる。ＤＳＣとＤＰＣとの間のＸｄ基準点は、動的スペクトル及び資源アービトラージ動作のためのＤＳＡＡＰプロトコルを使用することができる。ｅＮｏｄｅＢ  １１６は、相互接続することができ、Ｘ２インタフェース／基準点を介して通信するように構成することができ、Ｘ２インタフェース／基準点もまた、情報を伝達するためにＤＳＡＡＰプロトコルを使用することができる。ｅＮｏｄｅＢ  １１６は、Ｓ１インタフェースを介してコアネットワーク１２０のコンポーネントと通信するように構成することができる。例えば、ｅＮｏｄｅＢ  １１６は、Ｓ１−ＭＭＥインタフェースを介してＭＭＥ  １３０に接続すること、及び、Ｓ１−Ｕインタフェースを介してＳＧＷ  １１８に接続することができる。Ｓ１インタフェースは、ＭＭＥ  １３０と、ＳＧＷ  １１８と、ｅＮｏｄｅＢ  １１６との間の多対多関係をサポートすることができる。一つの実施形態では、ＤＰＣ及び／又はＤＳＣコンポーネントは、ＨＳＳ  １３２コンポーネントと通信するように構成することもできる。
【００６３】
ｅＮｏｄｅＢ  １１６は、ワイヤレスデバイス１０２に対するユーザプレーン（例えば、ＰＤＣＰ、ＲＬＣ、ＭＡＣ、ＰＨＹ）及び制御プレーン（ＲＲＣ）プロトコル終端を提供するように構成することができる。すなわち、ｅＮｏｄｅＢ  １１６は、ワイヤレスデバイス１０２に対する全ての無線プロトコルの終端点の働きをし、音声（例えば、ＶｏＩＰなど）、データ及び制御信号をコアネットワーク１２０のネットワークコンポーネントに中継することによって、ワイヤレスデバイス１０２とコアネットワーク１２０との間のブリッジ（例えば、層２ブリッジ）の役割を果たし得る。また、ｅＮｏｄｅＢ  １１６は、無線インタフェースの使用を制御すること、要求に基づいて資源を割り当てること、様々なサービス品質（ＱｏＳ）要件に従ってトラフィックの優先順位付け及びスケジューリングを行うこと、ネットワーク資源の使用をモニタすることなど、様々な無線資源管理動作を実行するように構成することもできる。それに加えて、ｅＮｏｄｅＢ  １１６は、無線信号レベル測定値を収集し、収集された無線信号レベル測定値を分析し、分析の結果に基づいてワイヤレスデバイス１０２（又はモバイルデバイスへの接続）を別の基地局（例えば、第２のｅＮｏｄｅＢ）に引き渡すように構成することができる。
【００６４】
ＤＳＣ  １４４及びＤＰＣ  １４６は、異なるＥ−ＵＴＲＡＮ  １４０間で無線周波数及び他のネットワーク資源を共有するための動的スペクトルアービトラージプロセスを管理するように構成された機能コンポーネントであり得る。例えば、ＤＰＣ  １４６コンポーネントは、Ｅ−ＵＴＲＡＮネットワークのＤＳＣ  １４４と通信することによって、複数のＥ−ＵＴＲＡＮネットワーク間のＤＳＡ動作及び相互作用を管理するように構成することができる。
【００６５】
図１Ｄは、様々な実施形態によるＤＳＡ動作の実行における使用に適した通信システム１０１に含めることができる様々な論理及び機能コンポーネントを示す。図１Ｄに示される例では、通信システム１０１は、ｅＮｏｄｅＢ  １１６、ＤＳＣ  １４４、ＤＰＣ  １４６、ＭＭＥ  １３０、ＳＧＷ  １１８及びＰＧＷ  １２８を含む。
【００６６】
ｅＮｏｄｅＢ  １１６は、ＤＳＣアプリケーションプロトコル及び混雑モニタリングモジュール１５０、セル間無線資源管理（ＲＲＭ）モジュール１５１、無線ベアラ（ＲＢ）制御モジュール１５２、接続モビリティー制御モジュール１５３、無線許可制御モジュール１５４、ｅＮｏｄｅＢ測定配置及び規定モジュール１５５、ならびに、動的な資源割り当てモジュール１５６を含み得る。これらのモジュール１５０〜１５６の各々は、ハードウェア、ソフトウェア又はハードウェアとソフトウェアの組合せで実装することができる。
【００６７】
それに加えて、ｅＮｏｄｅＢ  １１６は、無線資源制御（ＲＲＣ）層１５７、パケットデータ収束プロトコル（ＰＤＣＰ）層１５８、無線リンク制御（ＲＬＣ）層１５９、媒体アクセス制御（ＭＡＣ）層１６０及び物理（ＰＨＹ）層１６１を含む様々なプロトコル層を含み得る。これらのプロトコル層の各々では、様々なハードウェア及び／又はソフトウェアコンポーネントは、その層に割り当てられた責任に見合った機能性を実装することができる。例えば、データストリームは、物理層１６１で受信することができ、物理層１６１は、無線受信機、バッファ、ならびに、復調する、無線周波数（ＲＦ）信号内のシンボルを認識する、及び受信されたＲＦ信号から生のデータを抽出するための他の動作を実行する、という動作を実行する処理コンポーネントを含み得る。
【００６８】
ＤＳＣ  １４４は、ｅＮｏｄｅＢ地理的境界管理モジュール１６２、ｅＮｏｄｅＢ資源及び混雑管理モジュール１６３、ストリーム制御伝送プロトコル（ＳＣＴＰ）モジュール１６４、層２（Ｌ２）バッファモジュール１６５及び層１（Ｌ１）バッファモジュール１６６を含み得る。ＤＰＣ  １４６は、ｅＮｏｄｅＢ資源入札管理モジュール１６７、ＤＳＣ間通信モジュール１６８、ＳＣＴＰ／ＤＩＡＭＥＴＥＲモジュール１６９、Ｌ２バッファモジュール１７０及びＬ１バッファモジュール１７１を含み得る。ＭＭＥ  １３０は、非アクセス層（ＮＡＳ）セキュリティモジュール１７２、アイドル状態モビリティー処理モジュール１７３及び進化型パケットシステム（ＥＰＳ）ベアラ制御モジュール１７４を含み得る。ＳＧＷ  １１８は、モビリティーアンカリングモジュール１７６を含み得る。ＰＧＷ  １２８は、ＵＥ  ＩＰアドレス割り当てモジュール１７８及びパケットフィルタリングモジュール１７９を含み得る。これらのモジュール１６２〜１７９の各々は、ハードウェア、ソフトウェア又はハードウェアとソフトウェアの組合せで実装することができる。
【００６９】
ｅＮｏｄｅＢ  １１６は、Ｓ１インタフェース／プロトコルを介してＳＧＷ  １１８及び／又はＭＭＥ  １３０と通信するように構成することができる。また、ｅＮｏｄｅＢ  １１６は、Ｘｅインタフェース／プロトコルを介してＤＳＣ  １４４と通信するように構成することもできる。ＤＳＣ  １４４は、Ｘｄインタフェース／プロトコルを介してＤＰＣ  １４６と通信するように構成することができる。
【００７０】
ｅＮｏｄｅＢ  １１６は、無線ベアラ制御、無線許可制御、接続モビリティー制御、アップリンクとダウンリンク（スケジューリング）の両方におけるワイヤレスデバイス１０２への資源の動的割り当てなどの無線資源管理のための機能を含む様々な機能を提供するために様々な動作を実行する（例えば、モジュール／層１５０〜１６１を介して）ように構成することができる。また、これらの機能は、ＩＰヘッダ圧縮及びユーザデータストリームの暗号化、ＵＥによって提供された情報からＭＭＥ  １３０へのルーティングが決定されない際のＵＥアタッチメントにおけるＭＭＥの選択、ＳＧＷ  １１８に対するユーザプレーンデータのルーティング、ページングメッセージのスケジューリング及び伝送（ＭＭＥから生じる）、放送情報のスケジューリング及び伝送（ＭＭＥから生じる）、モビリティー及びスケジューリングのための測定及び測定レポート構成、公的警報システム（例えば、地震及び津波警報システム、商用モバイル警告サービスなど）メッセージのスケジューリング及び伝送（ＭＭＥから生じる）、閉鎖された加入者グループ（ＣＳＧ）取り扱い、ならびに、アップリンクにおけるトランスポートレベルパケットマーキングも含み得る。一つの実施形態では、ｅＮｏｄｅＢ  １１６は、Ｓ１／Ｘ２プロキシ機能性、Ｓ１１終端及び／又は中継ノード（ＲＮ）をサポートするためのＳＧＷ／ＰＧＷ機能性などの追加の機能を提供するために様々な動作を実行するように構成されたドナーｅＮｏｄｅＢ（ＤｅＮＢ）であり得る。
【００７１】
ＭＭＥ  １３０は、非アクセス層（ＮＡＳ）シグナリング、ＮＡＳシグナリングセキュリティ、アクセス層（ＡＳ）セキュリティ制御、３ＧＰＰアクセスネットワーク間の移動のためのＣＮノード間シグナリング、アイドルモードＵＥ到達可能性（ページング再伝送の制御及び実行を含む）、追跡エリアリスト管理（例えば、アイドル及びアクティブモードのワイヤレスデバイスのため）、ＰＧＷ及びＳＧＷ選択、ＭＭＥ変更に伴うハンドオーバのためのＭＭＥ選択、２Ｇ又は３Ｇ  ３ＧＰＰアクセスネットワークへのハンドオーバのためのＳＧＳＮ選択、ローミング、認証、専用ベアラ確立を含むベアラ管理機能、公的警報システム（例えば、地震及び津波警報システム、商用モバイル警告サービスなど）メッセージ伝送のためのサポート、ならびに、ページング最適化の実行を含む様々な機能を提供するために様々な動作を実行する（例えば、モジュール１７２〜１７５を介して）ように構成することができる。また、ＭＭＥモジュールは、様々なデバイス状態及び取り付け／取り外し状態情報をＤＳＣに伝達することもできる。一つの実施形態では、ＭＭＥ  １３０は、マクロｅＮｏｄｅＢに対するＣＳＧ  ＩＤに基づいてページングマッサージをフィルタリングしないように構成することができる。
【００７２】
ＳＧＷ  １１８は、モビリティーアンカリング（例えば、３ＧＰＰ間の移動のため）、ｅＮｏｄｅＢ間ハンドオーバのためのローカルモビリティーアンカポイントとしての働き、Ｅ−ＵＴＲＡＮアイドルモードダウンリンクパケットバッファリング、ネットワークトリガサービス要求手順の開始、合法的通信傍受、パケットルーティング及び転送、アップリンク（ＵＬ）及びダウンリンク（ＤＬ）におけるトランスポートレベルパケットマーキング、オペレータ間請求のためのユーザ及びＱｏＳクラス識別子（ＱＣＩ）粒度に関する説明、アップリンク（ＵＬ）及びダウンリンク（ＤＬ）請求（例えば、デバイス、ＰＤＮ及び／又はＱＣＩ毎）などを含む様々な機能を提供するために様々な動作を実行する（例えば、モジュール１７６を介して）ように構成することができる。
【００７３】
ＰＧＷ  １２８は、ユーザ毎のパケットフィルタリング（例えば、徹底的なパケット検査によって）、合法的通信傍受、ＵＥ  ＩＰアドレス割り当て、アップリンク及びダウンリンクにおけるトランスポートレベルパケットマーキング、ＵＬ及びＤＬサービスレベル請求、ゲーティング及びレート実施、ＡＰＮ総最大ビットレート（ＡＭＢＲ）に基づくＤＬレート実施などを含む様々な機能を提供するために様々な動作を実行する（例えば、モジュール１７８〜１７９を介して）ように構成することができる。
【００７４】
ＤＳＣ  １４４は、ネットワーク（例えば、ＰＬＭＮ）内の資源アービトレーション動作の管理、ネットワーク資源リストの追跡、進行中の現在の入札の追跡、実行された入札の追跡、ならびに、貸主ネットワークにおける借主ワイヤレスデバイス１０２のモビリティー管理のための入札特有の閉鎖された加入者グループ（ＣＳＧ）識別子（ＣＳＧ−ＩＤ）の追跡を含む様々な機能を提供するために様々な動作を実行する（例えば、モジュール１６２〜１６６を介して）ように構成することができる。ＤＳＣ  １４４は、借主ネットワークから貸主ネットワークにワイヤレスデバイス１０２を引き渡し（すなわち、ハンドインを実行する）、貸主ネットワークから借主ネットワークにワイヤレスデバイス１０２を引き戻す（すなわち、バックオフを実行する）ように構成することができる。
【００７５】
また、ＤＳＣ  １４４は、ｅＮｏｄｅＢの混雑状態を追跡し、ハンドオーバに対する対象ｅＮｏｄｅＢを選択し、貸主ｅＮｏｄｅＢ上のトラフィックを管理するように構成することもできる。ＤＳＣ  １４４は、構成されたポリシに基づいて、借主ネットワークから貸主ネットワーク内の他の負荷が少ないｅＮｏｄｅＢ  １１６にユーザトラフィックをオフロードする（例えば、優先度の低いユーザトラフィックをオフロードする、優先度の高いユーザトラフィックをオフロードする、特定のＱｏＳを有するユーザトラフィックをオフロードするなど）ように構成することができる。また、ＤＳＣ  １４４は、貸主ネットワークから借主ネットワークにワイヤレスデバイス１０２を引き戻すためにバックオフ動作を実行することもできる。また、ＤＳＣ  １４４は、システムの１つ又は複数のｅＮｏｄｅＢから収集又は受信される混雑情報の履歴をモニタ、管理及び／又は維持するように構成することもできる。
【００７６】
ＤＰＣ  １４６は、貸主及び借主ネットワーク（例えば、ＰＬＭＮ）のＤＳＣ  １４４間の資源アービトラージブローカとしての機能、オークションのための様々な貸主ネットワークからの資源のリストアップ、オークションプロセスの管理を含む様々な機能を提供するために様々な動作を実行する（例えば、モジュール１６７〜１７１を介して）ように構成することができる。ＤＰＣ  １４６は、高値での入札、落札、入札取消、入札撤回及び入札終了の通知をＤＳＣ  １４４に送信し、借主及び貸主ネットワークのオンライン及び／又はオフライン請求システムで入札特有の請求規則をインストールし、借主及び貸主ＤＳＣ  １４４間のゲートウェイの役割を果たすことによってＤＳＣ  １４４間の資源使用量を調整するように構成することができる。
【００７７】
図１Ｅは、ＤＳＡ動作及び相互作用を管理するように構成されたＤＰＣ  １４６によって相互接続された２つのＥ−ＵＴＲＡＮ  １４０ａ、１４０ｂを含む例示的な通信システム１０３のネットワークコンポーネント及び情報フローを示す。図１Ｅに示される例では、各Ｅ−ＵＴＲＡＮ  １４０ａ、１４０ｂは、そのコアネットワーク１２０ａ、１２０ｂの外側のｅＮｏｄｅＢ  １１６ａ、１１６ｂと、コアネットワーク１２０ａ、１２０ｂの内側のＤＳＣ  １４４ａ、１４４ｂとを含む。
【００７８】
ＤＳＣ  １４４ａ、１４４ｂは、Ｘｄインタフェースを介してＤＰＣ  １４６と通信するように構成することができる。また、ＤＳＣ  １４４ａ、１４４ｂは、ＰＣＲＦ  １３４、ＨＳＳ  １３２及びＰＣＥＦ／ＰＧＷ  １２８（図１Ｅでは図示せず）など、ＤＳＣ  １４４ａ、１４４ｂのそれぞれのコアネットワーク１２０ａ、１２０ｂの様々なネットワークコンポーネントに直接又は間接的に接続することもできる。一つの実施形態では、ＤＳＣ  １４４ａ、１４４ｂのうちの１つ又は複数は、ｅＮｏｄｅＢ  １１６ａ、１１６ｂのうちの１つ又は複数に直接接続することができる。
【００７９】
上記で言及される接続及び通信リンクに加えて、システム１０３は、異なるＥ−ＵＴＲＡＮ（例えば、Ｅ−ＵＴＲＡＮ  １４０ａ及び１４０ｂ）のコンポーネント間のデータフロー及び通信に対応するために追加の接続／リンクを含み得る。例えば、システム１０３は、第２のＥ−ＵＴＲＡＮ  １４０ｂのｅＮｏｄｅＢ  １１６ｂと第１のＥ−ＵＴＲＡＮ  １４０ａのＳＧＷ  １１８との間の接続／通信リンクを含み得る。別の例として、システム１０３は、第２のＥ−ＵＴＲＡＮ  １４０ｂのＳＧＷ  １１８と第１のＥ−ＵＴＲＡＮ  １４０ａのＰＧＷ  １２８との間の接続／通信リンクを含み得る。関連実施形態の論考に焦点を置くため、図１Ｅでは、これらの追加のコンポーネント、接続及び通信リンクは示さない。
【００８０】
以下でさらに詳細に論じられるように、ＤＳＣ  １４４ａ、１４４ｂは、スペクトル資源の利用可能性に関する情報（例えば、ｅＮｏｄｅＢ、ＰＣＲＦ、ＰＣＥＦ、ＰＧＷなどから受信された情報）をＤＰＣ  １４６に送信するように構成することができる。この情報は、各ネットワーク又はサブネットワークの現在の及び予想される将来の使用及び／又は容量に関連するデータを含み得る。ＤＰＣ  １４６は、そのような情報を受信及び使用して、第１のＥ−ＵＴＲＡＮ  １４０ａからの第２のＥ−ＵＴＲＡＮ  １４０ｂへの（逆もまた同様）利用可能な資源のインテリジェントな割り当て、転移、管理、調整又はリースを行うように構成することができる。
【００８１】
例えば、ＤＰＣ  １４６は、動的スペクトルアービトラージ動作の一部として、Ｅ−ＵＴＲＡＮ  １４０ａ（すなわち、貸主ネットワーク）から第２のＥ−ＵＴＲＡＮ  １４０ｂ（すなわち、借主ネットワーク）へのスペクトル資源の割り当てを調整するように構成することができる。そのような動作は、第１のＥ−ＵＴＲＡＮ  １４０ａの割り当てられたスペクトル資源を使用できるように、通信リンク１４３を介して第２のＥ−ＵＴＲＡＮ  １４０ｂのｅＮｏｄｅＢ  １１６ｂにワイヤレスで接続されたワイヤレスデバイス１０２を第１のＥ−ＵＴＲＡＮ  １４０ａのｅＮｏｄｅＢ  １１６ａに受け渡すことができるようにすることができる。このハンドオフ手順の一部として、ワイヤレスデバイス１０２は、第１のＥ−ＵＴＲＡＮ  １４０ａのｅＮｏｄｅＢ  １１６ａへの新しい接続１４１を確立し、元のｅＮｏｄｅＢ  １１６ｂへのワイヤレス接続１４３を終了し、まるで第２のＥ−ＵＴＲＡＮ  １４０ｂに含まれているかのように、第１のＥ−ＵＴＲＡＮ  １４０ａの割り当てられた資源を使用することができる。ＤＳＡ動作は、第１のＤＳＣ  １４４ａが、第１の資源／時間帯に対しては貸主ＤＳＣであり、第２の資源又は別の時間帯に対しては借主ＤＳＣであるように実行することができる。
【００８２】
一つの実施形態では、ＤＳＡ及び／又はハンドオフ動作は、ワイヤレスデバイス１０２が受け渡された後に元のネットワークへのデータ接続（又は元のネットワークによって管理されるデータ接続）を維持するように実行することができる。例えば、ＤＳＡ及び／又はハンドオフ動作は、ワイヤレスデバイス１０２が第１のＥ−ＵＴＲＡＮ  １４０ａのｅＮｏｄｅＢ  １１６ａに受け渡された後に第２のＥ−ＵＴＲＡＮ  １４０ｂのＰＧＷ  １２８へのデータフロー接続を維持するように実行することができる。
【００８３】
図２Ａは、一つの実施形態による、資源を割り当てる例示的なＤＳＡ方法２００を示す。方法２００は、ＤＰＣ  １４６コンポーネントの処理コア（例えば、サーバコンピューティングデバイスなど）によって実行することができる。
【００８４】
ブロック２０２では、ＤＰＣ  １４６は、第１の通信ネットワーク（例えば、Ｅ−ＵＴＲＡＮなど）の第１のＤＳＣ  １４４ａへの第１の通信リンクを確立することができる。ブロック２０４では、ＤＰＣ  １４６は、第２の通信ネットワークの第２のＤＳＣ  １４４ｂへの第２の通信リンクを確立することができる。ブロック２０６では、ＤＰＣ  １４６は、無線周波数（ＲＦ）スペクトル資源が第２の通信ネットワーク内での割り当てに対して利用可能であるかどうかを判断することができる。このことは、ＤＳＡＡＰプロトコルを使用して第２の通信リンクを介して第２の通信ネットワークのＤＳＣ  １４４と通信することによって実現することができ、第２の通信リンクは、有線又は無線通信リンクであり得る。ブロック２０８では、ＤＰＣ  １４６は、割り当てに対して利用可能なＲＦスペクトル資源の量を決定することができる。ブロック２１０では、ＤＰＣ  １４６は、第１の通信ネットワークのワイヤレスデバイス１０２によるアクセス及び使用のために第２の通信ネットワークの利用可能なＲＦ資源の全て又は一部分を割り当てるために様々な動作を実行することができる。
【００８５】
ブロック２１２では、ＤＰＣ  １４６は、割り当てられたＲＦスペクトル資源の使用を開始できることを第１の通信ネットワークに通知するため、通信メッセージを第１のＤＳＣ  １４４ａに送信することができる（例えば、ＤＳＡＡＰプロトコルを使用することによって）。ブロック２１４では、ＤＰＣ  １４６は、第１の通信ネットワークによる使用のために割り当てられたＲＦスペクトル資源の量を特定するトランザクションをトランザクションデータベースに記録することができる。
【００８６】
ブロック２１６では、ＤＰＣ  １４６は、割り当てられた資源が消費されたことを示す及び／又は割り当てられた資源のリリースを要求する情報を含む通信メッセージを第２のＤＳＣ  １４４ｂから受信することができる。ブロック２１８では、ＤＰＣ  １４６は、第１のネットワークによる割り当てられた資源のその使用を終了させるため、資源消費／リリースメッセージを第１のＤＳＣ  １４４ａに送信することができる。
【００８７】
図２Ｂは、資源を割り当てるためのＤＳＡ方法２５０の別の実施形態を実行する際のＤＰＣ  １４６と多数のＤＳＣ  １４４ａ〜ｄとの間の例示的な情報フローを示す。以下の説明では、ＤＳＡ方法２５０は、ＤＰＣ  １４６コンポーネントの観点から論じており、ＤＰＣ  １４６の処理コアによって実行することができる。しかし、ＤＰＣ  １４６コンポーネントの処理コア、ＤＳＣ  １４４ａ〜ｄの処理コア又はそれらの組合せによってＤＳＡ方法２５０を実行できることを理解すべきである。それに加えて、ＤＰＣ  １４６と他のコンポーネントとの間の全ての相互作用及び通信はＤＳＡＡＰコンポーネントによって及び／又はＤＳＡＡＰプロトコルを使用して実現できることを理解すべきである。従って、そのような全ての相互作用及び通信はＤＳＡＡＰプロトコルに含めることができる。
【００８８】
動作２５２では、ＤＰＣ  １４６コンポーネントの処理コアは、第１のネットワーク（例えば、Ｅ−ＵＴＲＡＮなど）の第１のＤＳＣ  １４４ａコンポーネントから「資源要求」通信メッセージを受信することができる。本出願で論じられる「資源要求」通信メッセージ及び他の全ての通信メッセージはＤＳＡＡＰメッセージであり得ることを理解すべきである。
【００８９】
「資源要求」通信メッセージは、第１のネットワークが他のネットワークからの資源の購入、リース、アクセス及び／又は使用に関心を示していることをＤＰＣ  １４６に通知するのに適した情報を含み得る。また、「資源要求」通信メッセージは、第１のネットワークによって要求された資源（例えば、ＲＦスペクトル資源など）のタイプ及び／又は量、要求された資源が割り当てられるワイヤレスデバイス１０２のタイプ及び能力、ならびに、他の同様の情報を特定するのに適した情報も含み得る。
【００９０】
動作２５４、２５６及び２５８では、ＤＰＣ  １４６は、「資源問い合わせ」通信メッセージを生成し、第２のネットワークの第２のＤＳＣ  １４４ｂコンポーネント、第３のネットワークの第３のＤＳＣ  １４４ｃコンポーネント及び第４のネットワークの第４のＤＳＣ  １４４ｄコンポーネントの各々にそれぞれ送信することができる。ＤＰＣ  １４６は、様々なコンポーネント、デバイス及び資源の要件、基準及び情報を含む「資源問い合わせ」通信メッセージを生成するように構成することができる。例えば、ＤＰＣ  １４６は、資源が割り当てられる予定の第１のネットワーク（及び他のネットワーク）のユーザワイヤレスデバイス１０２のタイプ、能力及び地理的基準を特定する情報を含む「資源問い合わせ」通信メッセージを生成することができる。地理的基準は、資源が割り当てられる予定のユーザワイヤレスデバイス１０２の地理的場所、地理的多角形及び／又はライセンスエリアを含み得る。
【００９１】
動作２６０及び２６２では、ＤＰＣ  １４６は、第２及び第３のＤＳＣ  １４４ｂ、１４４ｃから「資源問い合わせに対する応答」通信メッセージを受信することができる。これらの「資源問い合わせに対する応答」通信メッセージは、資源問い合わせメッセージに含まれる要件／基準に準拠する余分な資源の利用可能性を特定する情報を含み得る。動作２６４では、ＤＰＣ  １４６は、第４のＤＳＣ  １４４ｄから別の「資源問い合わせに対する応答」通信メッセージを受信することができる。この「資源問い合わせに対する応答」通信メッセージは、第４のネットワークが要求された要件／基準を満たす資源を含まないことを示す情報を含み得る。
【００９２】
一つの実施形態では、動作２６０〜２６４の一部として、ＤＰＣ  １４６は、割り当てに対して利用可能な資源を有するものとして第２及び第３のネットワークを特定するため、ならびに／あるいは、そのような資源を含まないものとして第４のネットワークを特定するため、データベース記録を更新することができる。
【００９３】
動作２６６では、ＤＰＣ  １４６は、「資源の利用可能性」通信メッセージを生成し、第１のネットワークの第１のＤＳＣ  １４４ａを含む多数のネットワークの多数のＤＳＣに送信することができる。ＤＰＣ  １４６は、資源が割り当てに対して利用可能であることをネットワークに通知するのに適した情報を含む「資源の利用可能性」通信メッセージを生成するように構成することができる。一つの実施形態では、ＤＰＣ  １４６は、オークションを介して資源が割り当てに対して利用可能であること及び／又はオークションに対するオークション開始時刻をネットワークに通知するのに適した情報を含む通信信号を放送することによって、資源が割り当てに対して利用可能であることをネットワークに通知するように構成することができる。
【００９４】
動作２６８では、ＤＰＣ  １４６は、第１のＤＳＣ  １４４ａから「資源確保要求」通信メッセージを受信することができる。受信された「資源確保要求」通信メッセージは、第１のネットワークが利用可能な資源の少なくとも一部分に対するオークション及び／又は入札に参加するつもりであることをＤＰＣ  １４６に通知するのに適した情報を含み得る。
【００９５】
動作２７０及び２７２では、ＤＰＣ  １４６は、第２及び第３のＤＳＣ  １４４ｂ、１４４ｃにそれぞれ「資源確保要求」通信メッセージを送信することができる。「資源確保要求」通信メッセージは、他のネットワークによる割り当て及び使用に対して利用可能な資源の全て又は一部分を第２及び第３のＤＳＣ  １４４ｂ、１４４ｃに確保させるのに適した情報を含み得る。
【００９６】
動作２７４及び２７６では、ＤＰＣ  １４６は、第２及び第３のＤＳＣ  １４４ｂ、１４４ｃの各々から「資源確保に対する応答」通信メッセージを受信することができる。「資源確保に対する応答」メッセージは、確保された要求資源について及び／又は確保された資源の特定に適した情報についてＤＰＣ  １４６に通知するのに適した情報を含み得る。
【００９７】
任意選択により、動作ブロック２７８では、ＤＰＣ  １４６は、他のネットワーク（例えば、第１のネットワーク）のワイヤレスデバイス１０２による割り当て及び使用のために確保された資源をプールすることができる。例えば、ＤＰＣ  １４６は、第２のネットワークで確保されたスペクトル群を第３のネットワークで確保されたスペクトル群と組み合わせることができる。別の例として、ＤＰＣ  １４６は、第２のネットワークで確保されたスペクトル群の第１及び第４のチャネルに利用可能な資源をプールすることができる。
【００９８】
動作２８０では、ＤＰＣ  １４６は、第１のネットワークの第１のＤＳＣ  １４４ａを含む多数のネットワークから「資源入札」通信メッセージを受信することができる。各「資源入札」通信メッセージは、資源のアクセス、使用、リース及び／又は購入に対する入札又は申し出、ならびに、他の関連入札情報（例えば、価格、要求された割り当て／アクセス方法など）を含み得る。動作２８０の一部として、ＤＰＣ  １４６は、受信された資源入札がＤＳＡシステムのポリシ及び規則ならびに／あるいは割り当てのための資源を申し出るネットワークによって規定された要件（例えば、最低希望価格を満たすなど）に準拠するかどうかを判断することができる。
【００９９】
動作２８２では、ＤＰＣ  １４６は、第１のネットワークから受信された資源入札がＤＳＡシステムのポリシ／規則及び資源を申し出るネットワークによって規定された要件（例えば、第２のネットワークによって指定された最低金額以上の、利用可能な資源のプールの資源の全て又は一部分の使用に対する金額を申し出る）に準拠するという判断に応答して、第１のネットワークからの入札／申し出を受諾することができる。また、動作２８２では、ＤＰＣ  １４６は、「入札受諾」通信メッセージを生成し、第１のＤＳＣ  １４４ａに送信することもできる。
【０１００】
動作２８４では、ＤＰＣ  １４６は、「資源割り当て要求」通信メッセージを第２のＤＳＣ  １４４ｂに送信することによって、第１のネットワークのワイヤレスデバイス１０２によるアクセス及び使用のために第２のネットワークの資源を割り当てることができる。すなわち、動作２８４では、ＤＰＣは、第１のＤＳＣ  １４４ａによって落札された資源の一部分（例えば、利用可能な資源のプールの）が第２のネットワークを介して完全に利用可能であると判断し、それに応答して、資源割り当て要求メッセージを第２のネットワークにのみ送信することができる。
【０１０１】
動作２８６では、ＤＰＣ  １４６は、第２のＤＳＣ  １４４ｂから「資源割り当て済み」通信メッセージを受信することができる。動作２８８では、ＤＰＣ  １４６は、そのワイヤレスデバイス１０２によるアクセス及び使用のために資源が割り当てられたことならびに／あるいは割り当てられた資源の使用を開始できることを第１のネットワークに通知するため、「資源割り当て済み」通信メッセージを第１のＤＳＣ  １４４ａに送信することができる。動作ブロック２９０では、ＤＰＣ  １４６は、第１のネットワークによるアクセス及び使用のために割り当てられたものとしてこれらの資源を特定するトランザクションをトランザクションデータベースに記録することができる。
【０１０２】
動作２９２では、ＤＰＣ  １４６は、割り当てられた資源が消費されたことを示す情報及び／又は割り当てられた資源のリリースを要求するのに適した情報を含む「資源のリリース」通信メッセージを第２のＤＳＣ  １４４ｂから受信することができる。動作２９４では、ＤＰＣ  １４６は、割り当てられた資源のその使用を第１のネットワークに終了させるため、資源消費済み／リリースメッセージを第１のＤＳＣ  １４４ａに送信することができる。
【０１０３】
図３〜７は、ＤＰＣ  １４６コンポーネント、２つのＤＳＣ  １４４ａ、１４４ｂコンポーネント及びワイヤレスデバイス１０２を含む通信システムにおける資源の割り当て及びアクセスを行うためのＤＳＡ方法３００の一つの実施形態を示す。全て又は一定の部分のＤＳＡ方法３００は、ＤＰＣ  １４６、ＤＳＣ  １４４ａ〜ｂ及び／又はワイヤレスデバイス１０２の処理コアによって実行することができる。様々な実施形態では、コンポーネント１４６、１４４ａ、１４４ｂ及び１０２間の相互作用及び通信の全てのいずれかは、ＤＳＡＡＰコンポーネントによって及び／又はＤＳＡＡＰプロトコルを使用して実現又は促進することができる。従って、そのような全ての相互作用及び通信は、ＤＳＡＡＰプロトコルに含めることができる。
【０１０４】
図３を参照すると、ブロック３０２では、第１のネットワークの第１のＤＳＣ  １４４ａは、第１のネットワークが利用可能な全スペクトル資源との比較を行い、ユーザトラフィック（例えば、通話及びデータトラフィックなど）をモニタすることができる。ブロック３０４では、第１のＤＳＣ  １４４ａは、そのモニタリングの結果に基づいて資源状態レポートを生成し、資源状態レポートをメモリに記録／格納し、資源状態レポート通信メッセージを介して資源状態レポートをＤＰＣ  １４６に送信することができる。判断ブロック３０６では、第１のＤＳＣ  １４４ａは、第１のネットワークの既存のワイヤレスデバイス１０２に適切なサービスを提供するため、受信された資源状態レポートに基づいて、追加の資源が必要かどうか（及び／又は近い将来に追加の資源が必要になる確率が高いかどうか）を判断することができる。追加の資源が必要であるという判断（すなわち、判断ブロック３０６＝「はい」）に応答して、ブロック３０８では、第１のＤＳＣ  １４４ａは、「資源要求」通信メッセージをＤＰＣ  １４６に送信することができる。追加の資源が必要でないという判断（すなわち、判断ブロック３０６＝「いいえ」）に応答して、ブロック３０２では、第１のＤＳＣ  １４４ａは、ユーザトラフィックのモニタリングを続行すること及び／又は他のＤＳＣ動作を実行することができる。
【０１０５】
ブロック３１０では、第２のネットワークの第２のＤＳＣ  １４４ｂは、第２のネットワークが利用可能な全スペクトル資源との比較を行い、ユーザトラフィックをモニタすること、資源状態レポートを生成すること及び／又は本出願で論じられるＤＳＣ動作のいずれかもしくは全てを実行することができる。判断ブロック３１２では、第２のＤＳＣ  １４４ｂは、第２のネットワークに余分な量の利用可能な資源があるかどうかを判断することができる。第２のネットワークに余分な利用可能な資源がないという判断（すなわち、判断ブロック３１２＝「いいえ」）に応答して、ブロック３１０では、第２のＤＳＣ  １４４ｂは、ユーザトラフィックのモニタリングを続行すること及び／又は他のＤＳＣ動作を実行することができる。
【０１０６】
第２のネットワークに余分な利用可能な資源があるという判断（すなわち、判断ブロック３１２＝「はい」）に応答して、ブロック３１４では、第２のＤＳＣ  １４４ｂは、他のネットワーク（例えば、第１のネットワークなど）によるアクセス及び使用のために全て又は一定の部分のその余分な資源のマーク付け、指定又は割り当てを行うことができる。ブロック３１６では、第２のＤＳＣ  １４４ｂは、資源割り当てレポートを生成し、生成された資源割り当てレポートをＤＰＣ  １４６に送信することができる（例えば、資源通信メッセージを介して）。ＤＳＣ  １４４ｂは、割り当てに対して利用可能な及び／又は第２のネットワークによるマーク付け、指定もしくは割り当てが行われた資源（又は一定の部分もしくは一定の量の資源）を特定する情報を含む資源割り当てレポートを生成するように構成することができる。
【０１０７】
ブロック３２０では、ＤＰＣ  １４６は、第１及び第２のネットワークの第１及び第２のＤＳＣ  １４４ａ、１４４ｂを含む多くの異なるネットワークのＤＳＣ  １４４から様々な資源状態及び割り当てレポートを受信することができる。これらのレポートは、利用可能な全スペクトル資源に対する検出されたユーザトラフィックの比率、ネットワークによって必要とされる資源の量、ネットワークでの割り当てに対して利用可能な資源の量、割り当てられた資源を使用するワイヤレスデバイス１０２のタイプ及び能力、ワイヤレスデバイス１０２が割り当てられた資源にアクセスする前に満たさなければならないシステム要件、資源のアクセス及び使用に関するネットワーク規則及びポリシ、ならびに、他の同様の情報など、ネットワーク及びそれらのコンポーネントの様々な特徴、基準、要件及び条件を特定する情報を含み得る。
【０１０８】
ブロック３２２では、ＤＰＣ  １４６は、受信レポート（例えば、資源状態レポート、資源割り当てレポートなど）をメモリ（例えば、不揮発性メモリ）に格納することができる。ブロック３２４では、ＤＰＣ  １４６は、第１のネットワークの第１のＤＳＣ  １４４ａを含む異なるネットワークのＤＳＣ  １４４から資源要求を受信することができる。ブロック３２６では、ＤＰＣ  １４６は、受信された／格納された情報（例えば、資源要求、資源割り当てレポート、資源状態レポートなどで受信された情報）を使用して、第１のネットワークが追加の資源をリースするか又は購入することができる最適な／最良の利用可能なネットワークを特定及び選択することができる。図３に示される例では、ＤＰＣ  １４６は、第１のネットワークに資源を提供する最適なネットワークとして第２のネットワークを特定及び選択している。
【０１０９】
ブロック３２８では、ＤＰＣ  １４６は、資源問い合わせ通信メッセージを第２のＤＳＣ  １１４４ｂに送信することができる。ブロック３３０では、第２のＤＳＣ  １１４４ｂは、資源問い合わせ通信メッセージを受信することができる。ブロック３３２では、第２のＤＳＣ  １１４４ｂは、第２のネットワークによるマーク付け、指定又は割り当てが行われた余分な資源の利用可能性、金額及び／又は量を決定することができる。ブロック３３４では、第２のＤＳＣ  １１４４ｂは、「資源問い合わせに対する応答」通信メッセージを生成し、ＤＰＣ  １４６に送信することができる。第２のＤＳＣ  １１４４ｂは、他のネットワーク（例えば、第１のネットワーク）によるアクセス及び使用のためにマーク付け、指定又は割り当てが行われた資源の利用可能性及び量の特定における使用に適した情報を含む資源問い合わせに対する応答を生成することができる。ブロック３３６では、ＤＰＣ  １４６は、第２のＤＳＣ  １１４４ｂから「資源問い合わせに対する応答」通信メッセージを受信し、それに応答して、図４に示される判断ブロック４００の動作を実行することができる。
【０１１０】
図４を参照すると、判断ブロック４００では、ＤＰＣ  １４６は、第２のネットワークの第２のＤＳＣ  １４４ｂから受信されたデータ（例えば、資源問い合わせに対する応答メッセージ）に基づいて資源が利用可能であるかどうかを判断することができる。例えば、ＤＰＣ  １４６は、確保される前に資源の全て又は一部分が他の入札者により購入されたか又は落札されたという判断に応答して、特定された資源が利用可能ではないと判断することができる。
【０１１１】
資源が利用可能ではないという判断（すなわち、判断ブロック４００＝「いいえ」）に応答して、ブロック４０２では、ＤＰＣ  １４６は、「資源利用不可能」通信メッセージを第１のネットワークの第１のＤＳＣ  １４４ａに送信することができる。ブロック４０４では、第１のＤＳＣ  １４４ａは、「資源利用不可能」通信メッセージを受信することができる。ブロック４０６では、第１のＤＳＣ  １４４ａは、他の利用可能な資源を探索すること（例えば、ＤＰＣ  １４６を介して）、異なるネットワークからの資源を要求すること、異なる資源を要求すること、資源を解放するためにユーザとの接続もしくは通信セッションを終了すること、又は、第１のネットワークのネットワークトラフィック及び混雑を管理するために他の同様の動作を実行することができる。
【０１１２】
資源が利用可能であるという判断（すなわち、判断ブロック４００＝「はい」）に応答して、ブロック４０８では、ＤＰＣ  １４６は、「資源利用可能」通信メッセージを第１のＤＳＣ  １４４ａに送信することができる。資源利用可能メッセージは、第１のネットワークのワイヤレスデバイス１０２によって使用することができる第２のネットワークの資源の品質及び量を決定するために第１のＤＳＣ  １４４ａによって使用することができる情報を含み得る。
【０１１３】
ブロック４１０では、第１のＤＳＣ  １４４ａは、ＤＰＣ  １４６から送信された資源利用可能通信メッセージを受信することができる。ブロック４１２では、第１のＤＳＣ  １４４ａは、第１のネットワークが必要とする及び／又は取得を試みる資源の金額／量を決定し、この及び他の資源情報を「資源要求」通信メッセージでＤＰＣ  １４６に送信することができる。
【０１１４】
ブロック４１４では、ＤＰＣ  １４６は、第１のＤＳＣ  １４４ａから「資源要求」メッセージを受信することができる。ブロック４１６では、ＤＰＣ  １４６は、受信されたれたメッセージに含まれる情報を使用して、「資源確保要求」通信メッセージを生成し、第２のネットワークの第２のＤＳＣ  １４４ｂに送信することができる。
【０１１５】
ブロック４１８では、第２のＤＳＣ  １４４ｂは、ＤＰＣ  １４６から「資源確保要求」メッセージを受信することができる。ブロック４２０では、第２のＤＳＣ  １４４ｂは、受信された「資源確保要求」メッセージに含まれる情報を使用して、他のネットワークのコンポーネントによるアクセス及び使用のために割り当てられた資源の要求量を確保することができる。ブロック４２２では、第２のＤＳＣ  １４４ｂは、「資源確保済み」通信メッセージをＤＰＣ  １４６に送信して、資源の要求量が確保されたことを確認すること及び／又は確保された資源を特定することができる。
【０１１６】
ブロック４２４では、ＤＰＣ  １４６は、第２のＤＳＣ  １４４ｂから「資源確保済み」通信メッセージを受信することができる。ブロック４２６では、ＤＰＣ  １４６は、オークションのための確保された資源を提供すること及び／又は確保された資源に対する資源入札の受諾を開始することができる。
【０１１７】
図５は、ＤＰＣ  １４６が、オークションのための確保された資源を提供した後及び／又は確保された資源に対する資源入札の受諾を開始した後（例えば、図４に示されるブロック４２６の動作を実行した後）に実行することができるＤＳＡ方法３００の入札手順を示す。
【０１１８】
図５を参照すると、ブロック５００では、第１のネットワークの第１のＤＳＣ  １４４ａは、ＤＰＣ  １４６に資源入札を送信することによって（例えば、通信メッセージを介して）、第２のネットワークの確保された資源へのアクセスについて交渉することができる。ブロック５０２では、ＤＰＣ  １４６は、第１のＤＳＣ  １４４ａから資源入札を受信することができる。
【０１１９】
判断ブロック５０４では、ＤＰＣ  １４６は、受信された資源入札を受諾すべきかどうかを判断することができ、このことは、資源入札がＤＳＡシステムのポリシ及び規則ならびに第２のネットワークの要件（例えば、最低金額を超えるなど）に準拠するかどうかを判断することによって実現することができる。第１のＤＳＣ  １４４ａから受信された資源入札を受諾すべきであるという判断（すなわち、判断ブロック５０４＝「はい」）に応答して、ブロック５０６では、ＤＰＣ  １４６は、「入札受諾」通信メッセージを第１のＤＳＣ  １４４ａに送信することができる。ブロック５０８では、第１のＤＳＣ  １４４ａは、「入札受諾」メッセージを受信し、資源アクセス指示の受信を待つことができる。ブロック５１０では、ＤＰＣ  １４６は、「資源割り当て」通信メッセージを第２のネットワークの第２のＤＳＣ  １４４ｂに送信することができる。
【０１２０】
ブロック５１２では、第２のＤＳＣ  １４４ｂは、ＤＰＣ  １４６から「資源割り当て」通信メッセージを受信することができる。ブロック５１４では、第２のＤＳＣ  １４４ｂは、受信された「資源割り当て」メッセージに含まれる情報を使用して、第１のネットワークのコンポーネントによるアクセス及び使用のために確保された全て又は一定の部分の資源を割り当てることができる。ブロック５１６では、第２のＤＳＣ  １４４ｂは、割り当てられた資源にアクセスするためにワイヤレスデバイス１０２（すなわち、第１のネットワークの）によって使用することができる情報（例えば、アクセスパラメータなど）を含む「資源アクセス」通信メッセージを生成し、「資源アクセス」メッセージをＤＰＣ  １４６に送信することができる。ブロック５１８では、第２のＤＳＣ  １４４ｂは、音声又はデータ呼び出しを構成又は準備することによってなど、第１のネットワークのワイヤレスデバイス１０２への通信セッション／リンクの確立に備えるために様々な動作を実行することができる。
【０１２１】
ブロック５２２では、ＤＰＣ  １４６は、第２のＤＳＣ  １４４ｂから「資源アクセス」通信メッセージを受信し、資源アクセスメッセージを第１のＤＳＣ  １４４ａに中継することができる。ブロック５２４では、第１のＤＳＣ  １４４ａは、ＤＰＣ  １４６から「資源アクセス」メッセージを受信することができる。受信された「資源アクセス」メッセージは、第２のネットワークに割り当てられた資源にアクセスするためにワイヤレスデバイス１０２によって使用することができるアクセスパラメータを含み得る。ブロック５２６では、第１のＤＳＣ  １４４ａは、第１のネットワークとの通信セッションを有するワイヤレスデバイス１０２及び／又は他のネットワークへの移動のために第１のネットワークが指定／マーク付けしたワイヤレスデバイス１０２にアクセスパラメータを送信することができる。
【０１２２】
ブロック５２８では、ワイヤレスデバイス１０２は、第１のＤＳＣ  １４４ａから第２のネットワークのアクセスパラメータを受信することができる。ブロック５３０及び５２０では、ワイヤレスデバイス１０２及び／又は第２のＤＳＣ  １４２ｂは、ワイヤレスデバイス１０２と第２のネットワークとの間の通信セッション／リンクを確立するために様々な動作を実行することができる。次いで、第２のＤＳＣ  １４４ｂは、図７に示されるブロック７００の動作を実行することができ、ブロック７００の動作については以下でさらに論じる。
【０１２３】
上記で言及されるように、判断ブロック５０４では、ＤＰＣ  １４６は、第１のＤＳＣ  １４４ａから受信された資源入札を受諾すべきかどうかを判断することができる。第１のＤＳＣ  １４４ａから受信された資源入札を受諾すべきではないという判断（すなわち、判断ブロック５０４＝「いいえ」）に応答して、ＤＰＣ  １４６は、図６に示されるブロック６００の動作を実行することができる。
【０１２４】
図６を参照すると、ブロック６００では、ＤＰＣ  １４６は、「入札拒否」通信メッセージを第１のＤＳＣ  １４４ａに送信することができる。ブロック６０２では、第１のＤＳＣ  １４４ａは、ＤＰＣ  １４６から、「入札拒否」メッセージを受信することができる。判断ブロック６０４では、第１のＤＳＣ  １４４ａは、第１のネットワークが資源に対する再入札を行う／行うべきかどうかを判断することができる。第１のネットワークが資源に対する再入札を行う／行うべきであるという判断（すなわち、判断ブロック６０４＝「はい」）に応答して、ブロック６０６では、第１のＤＳＣ  １４４ａは、新しい資源入札をＤＰＣ  １４６に送信することができる（例えば、資源入札通信メッセージで）。
【０１２５】
ブロック６０８では、ＤＰＣ  １４６は、第１のＤＳＣ  １４４ａから新しい資源入札（又は再入札）を受信することができる。判断ブロック６１０では、ＤＰＣ  １４６は、新しい資源入札がＤＳＡシステムのポリシ及び規則ならびに第２のネットワークの要件に準拠するかどうかを判断することによって、新しい資源入札を受諾するかどうかを判断することができる。新しい資源入札を受諾すべきであるという判断（すなわち、判断ブロック６１０＝「はい」）に応答して、ＤＰＣ  １４６は、図５に示されるブロック５０６の動作を実行することができる。新しい資源入札を受諾すべきではないという判断（すなわち、判断ブロック６１０＝「いいえ」）に応答して、ＤＰＣ  １４６は、ブロック６００の動作を実行することができる。
【０１２６】
第１のネットワークが資源に対する再入札を行うべきであるという判断（すなわち、判断ブロック６０４＝「いいえ」）に応答して、ブロック６１２では、第１のＤＳＣ  １４４ａは、「資源要求取消」通信メッセージをＤＰＣ  １４６に送信することができる。ブロック６１４では、ＤＰＣ  １４６は、第１のＤＳＣ  １４４ａから「資源要求取消」メッセージを受信することができる。ブロック６１６では、ＤＰＣ  １４６は、「資源のリリース」通信メッセージを第２のＤＳＣ  １４４ｂに送信することができる。
【０１２７】
ブロック６１８では、第２のＤＳＣ  １４４ｂは、ＤＰＣ  １４６から「資源のリリース」メッセージを受信することができる。ブロック６２０では、第２のＤＳＣ  １４４ｂは、他のネットワークが資源を使用できるように、確保された資源をリリースすることができる。次いで、第２のＤＳＣ  １４４ｂは、割り当てられた資源の状態をＤＰＣ  １４６に報告することができ、このことは、図３に示されて上記で論じられるブロック３１６の動作を実行することによって実現することができる。
【０１２８】
図７は、第２のネットワークが第１のネットワークの二次ユーザワイヤレスデバイス１０２へのアクセスを提供した後（すなわち、図５に示されるブロック５２０の動作を実行した後）に実行することができるＤＳＡ方法３００の清算手順を示す。
【０１２９】
ブロック７００では、第２のＤＳＣ  １４４ｂは、第１のネットワークによる割り当てられた資源の使用に関連するインボイス及び支払い指示をＤＰＣ  １４６に送信することができる。ブロック７０４では、ＤＰＣ  １４６は、受信されたインボイス及び支払い指示を第１のＤＳＣ  １４４ａに中継することができる。ブロック７０６では、第１のＤＳＣ  １４４ａは、インボイス及び支払い指示を受信し、ブロック７１８では、第２のネットワークから課された料金を清算することができる。
【０１３０】
任意選択により又は代替として、ブロック７０８では、第２のＤＳＣ  １４４ｂは、使用パラメータ及び支払い指示をＤＰＣ  １４６に送信することができる。ブロック７１０では、ＤＰＣ  １４６は、第２のＤＳＣ  １４４ｂから使用パラメータ及び支払い指示を受信することができる。ブロック７１２では、ＤＰＣ  １４６は、資源のアクセス及び使用に対するインボイスを作成することができる。ブロック７１４では、ＤＰＣ  １４６は、第１のネットワークの第１のＤＳＣ  １４４ａにインボイスを送信することができる。ブロック７１６では、第１のＤＳＣ  １４４ａは、インボイス及び支払い指示を受信し、ブロック７１８では、第２のネットワークから課された料金を清算するために様々な動作を実行することができる。
【０１３１】
様々な実施形態では、ＤＰＣ  １４６及びＤＳＣ  １４４コンポーネントは、インタフェースを介して通信するように構成することができ、インタフェースは、Ｘｅ及び／又はＸｄ基準点上で定義される動的スペクトルアービトラージアプリケーションパート（ＤＳＡＡＰ）プロトコル／モジュール／コンポーネントに実装するか又はそれを介して提供することができる。ＤＳＡＡＰは、ＤＳＡシステム及び電気通信ネットワークの効率及び速度を向上させるため、ＤＰＣ  １４６とＤＳＣ  １４４との間の通信を可能にする、促進する、サポートする又は増大することができる。様々な実施形態では、全て又は一定の部分のＤＳＡＡＰモジュール／コンポーネントは、ＤＰＣ  １４６コンポーネント、ＤＳＣ  １４４コンポーネント、ＤＰＣ  １４６及びＤＳＣ  １４４コンポーネントとは無関係のコンポーネント、又は、それらの任意の組合せに含めることができる。ＤＳＡＡＰモジュール／コンポーネントは、これらの及び他のＤＳＡコンポーネントがＤＳＡＡＰプロトコルを使用して情報を伝達できるようにすることができる。
【０１３２】
例えば、ＤＳＡＡＰは、ＤＰＣ  １４６及びＤＳＣ  １４４コンポーネントが、特定の情報を伝達できるように、ならびに／あるいは、ＤＳＣ登録機能、資源利用可能性広告機能、資源の入札及び割り当て機能、借主ユーザから貸主ネットワークへのハンドイン機能、貸主ネットワークからのバックオフ機能、エラー処理機能（例えば、機能特有のエラーメッセージが定義されない一般エラー状況の報告など）、ＤＳＣ登録解除機能、エラー表示機能、ＤＳＣ落札成功及び落札失敗表示機能、ＤＳＣ資源割り当て撤回機能を含む様々な機能を共に提供する動作を実行できるようにすることができる。様々な実施形態では、これらの機能は、図８Ａ〜１７Ｂを参照して以下で論じられるＤＳＡＡＰ方法のうちの１つ又は組合せを実行するようにＤＰＣ  １４６及び／又はＤＳＣ  １４４コンポーネントを構成することによって提供、実装又は実現することができる。ＤＳＡＡＰプロトコルの使用及びＤＳＡＡＰ方法の実行は、１つ又は複数のＤＳＡＡＰメッセージを介する通信を含み得る。
【０１３３】
様々な実施形態では、ＤＳＣ  １４４とＤＰＣ  １４６との間の情報の伝達に使用されるＤＳＡＡＰメッセージは、ＤＳＣ登録要求メッセージ、ＤＳＣ登録受諾メッセージ、ＤＳＣ登録拒否メッセージ、ＤＳＣ登録解除メッセージ、ＤＳＣ資源登録要求メッセージ、ＤＳＣ資源登録受諾メッセージ、ＤＳＣ資源登録拒否メッセージ、利用可能な入札要求メッセージ、利用可能な入札応答メッセージ、利用可能な入札拒否メッセージ、ＤＳＣ入札要求メッセージ、ＤＳＣ入札受諾メッセージ、ＤＳＣ入札拒否メッセージ、ＤＳＣ高値での入札メッセージ、ＤＳＣ落札メッセージ、ＤＳＣ落札失敗メッセージ、ＤＳＣ入札取消メッセージ、ＤＳＣ買い要求メッセージ、ＤＳＣ買い受諾メッセージ、ＤＳＣを買い拒否メッセージ、ＤＳＣ資源割り当て済みメッセージ、ＤＳＣ資源撤回済みメッセージ及び／又はＤＳＣバックオフコマンドメッセージを含み得る。これらのメッセージの各々は、臨界情報、存在情報、範囲情報及び割り当てられた臨界情報を含み得るか又はそれらと関連付けることができる。これらのメッセージ及びそれらのコンテンツについては、以下でさらに詳細に論じる。
【０１３４】
様々な実施形態では、ＤＳＡＡＰ方法は、第１の電気通信ネットワーク（例えば、借主ネットワーク）の第１のＤＳＣサーバと、第２の電気通信ネットワーク（例えば、貸主ネットワーク）の第２のＤＳＣサーバと、第１及び第２の電気通信ネットワーク外のＤＰＣサーバとを含むＤＳＡシステムで実行することができる。第１のＤＳＣは、第１の通信リンクを介してＤＰＣと結合された第１のＤＳＣプロセッサを含むことができ、第２のＤＳＣは、第２の通信リンクを介してＤＰＣと結合された第２のＤＳＣプロセッサを含み得る。第２のＤＳＣは、第３の通信リンクを介して第２の電気通信ネットワークのｅＮｏｄｅＢと結合することができる。第１及び第２の通信リンクは、Ｘｄインタフェース上で定義することができ、第３の通信リンクは、Ｘｅインタフェース上で定義される。
【０１３５】
図８Ａ〜８Ｃは、ＤＰＣ  １４６がＤＳＣ  １４４に様々なサービス（例えば、入札のために貸主ＤＳＣの１４４の資源を広告すること、借主ＤＳＣ  １４４が他のネットワークによって提供される資源に対する入札を行えるようにすることなど）を提供できるようにするため、ＤＳＣ  １４４  コンポーネントをＤＰＣ  １４６に登録するためのＤＳＡＡＰ登録方法８００の一つの実施形態を示す。図８Ａ〜８Ｃに示される例では、ＤＳＡＡＰ登録方法８００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。ＤＳＡＡＰ登録方法８００の動作は、ＸＥシグナリングトランスポート又は通信リンクが確立されたことをＤＳＣ  １４４又はＤＰＣ  １４６が検出した後又はその検出に応答して実行することができる。
【０１３６】
図８Ａ〜８Ｃに示される動作８０２では、ＤＳＣ  １４４は、ＤＳＣ登録要求メッセージを生成し、ＤＰＣ  １４６に送信することによって、ＤＳＡＡＰ登録方法８００を開始することができる。一つの実施形態では、ＤＳＣ  １４４は、ＤＰＣ  １４６からのサービスを必要とするという判断に応答して、ＤＳＣ登録要求メッセージを生成及び／又は送信するように構成することができる。例えば、ＤＳＣ  １４４は、その対応するネットワーク（すなわち、ＤＳＣによって表されるネットワーク）が他のネットワークに割り当てることができる余分な資源を含むという判断に応答して、ＤＳＣ登録要求メッセージを生成するように構成することができる。別の例として、ＤＳＣ  １４４は、現在の又は予想される将来のユーザトラフィック、ネットワーク混雑などを考慮してその既存のワイヤレスデバイス１０２に適切なサービスを提供するためにそのネットワークが追加の資源を必要とするという判断に応答して、ＤＳＣ登録要求メッセージを生成するように構成することができる。
【０１３７】
様々な実施形態では、ＤＳＣ  １４４は、メッセージタイプ情報要素（ＩＥ）、メッセージＩＤ  ＩＥ、ＤＳＣアイデンティティＩＥ、ＤＳＣ  インターネットプロトコル（ＩＰ）アドレスＩＥ、ＤＳＣタイプＩＥ、ＤＳＣ  ＰＬＭＮ−ＩＤ  ＩＥ、ＰＬＭＮタイプＩＥ及びＤＳＣ資源更新タイマＩＥのいずれか又は全てを含むＤＳＣ登録要求メッセージを生成するように構成することができる。ＤＳＣ  ＰＬＭＮ−ＩＤ  ＩＥは、ＤＳＣ  １４４と関連付けられるか又はＤＳＣ  １４４によって表されるネットワーク（例えば、Ｅ−ＵＴＲＡＮ）の特定使用に適したＰＬＭＮ  ＩＤを含み得る。ＰＬＭＮタイプＩＥは、ＤＳＣ  １４４によって表されるネットワークのタイプ（例えば、公安、商用など）の決定における使用に適した情報を含み得る。ＤＳＣ  ＩＰアドレスＩＥは、ＤＳＡＡＰのＸＥインタフェースの管理、維持又は提供に対する責任を有するＤＳＣ  １４４のＩＰアドレスを含み得る。
【０１３８】
図８Ａ及び８Ｂに示される動作ブロック８０４では、ＤＰＣ  １４６は、ＤＳＣ  １４４をＤＰＣ  １４６に登録するために様々な登録動作（すなわち、ＤＳＣの認証、メモリへのＤＳＣ識別子情報の格納など）を実行することができる。一つの実施形態では、これらの登録動作の一部として、ＤＰＣ  １４６は、重複ＤＳＣ登録要求メッセージの受信に応答して（すなわち、同じ一意ＤＳＣアイデンティティによって識別された既に登録されているＤＳＣに対して）など、既存の登録を新しい登録で上書き／オーバーライドすることができる。
【０１３９】
図８Ａに示される動作ブロック８０６では、ＤＰＣ  １４６は、登録動作が成功したと判断することができる。動作８０８では、ＤＰＣ  １４６は、ＤＳＣ  １４４の受諾及び登録を示すため、ＤＳＣ登録受諾メッセージを生成し、ＤＳＣ  １４４に送信することができる。様々な実施形態では、ＤＰＣ  １４６は、メッセージタイプ情報要素（ＩＥ）、メッセージＩＤ  ＩＥ、ＤＰＣ  ＩＤ  ＩＥ、ＸＥｈシグナリングトランスポートネットワーク層（ＴＮＬ）アドレスＩＥ及びトンネリング情報ＩＥのいずれか又は全てを含むＤＳＣ登録受諾メッセージを生成することができる。ＸＥｈシグナリングＴＮＬアドレスＩＥは、トランスポート層セッションの確立における使用に適したアドレス値を含み得る。トンネリング情報ＩＥは、異なるペイロードプロトコルをカプセル化するため、信頼できないもしくは未証明のネットワークを通じて安全な通信を確立するため、互換性がない配信ネットワーク上でペイロードを運ぶため、及び／又は、他の同様のトンネリング動作を実行するために使用することができる情報を含み得る。
【０１４０】
ＤＰＣ  １４６を介する／ＤＰＣ  １４６へのＸＥｈ接続性をサポートするため、動作ブロック８１０では、ＤＳＣ  １４４は、ＤＳＣ登録受諾メッセージのＸＥｈシグナリングＴＮＬアドレスＩＥに含まれるアドレス値を使用して、トランスポート層セッションを確立することができる。一つの実施形態では、ＤＳＣ  １４４は、ＤＳＣ登録受諾メッセージがＸＥｈシグナリングＴＮＬアドレス情報要素にアドレス値を含むという判断に応答して、トランスポート層セッションを確立するように構成することができる。一つの実施形態では、ＤＳＣ  １４４は、ＸＥｈシグナリングＴＮＬアドレス情報要素が存在しない、ヌルである、空である又は有効でないという判断に応答して、ＤＰＣ  １４６を介する／ＤＰＣ  １４６へのＸＥｈ接続性がサポートされない又は必要とされないと判断するように構成することができる。
【０１４１】
図８Ｂを参照すると、動作ブロック８１２では、ＤＰＣ  １４６は、動作８０４の一部として実行された登録動作が失敗したと判断することができる。ＤＰＣ  １４６は、ＤＳＣの認証又は許可の失敗、ネットワーク又はコンポーネントの過負荷、ＤＳＣパラメータの不一致を含む各種の状態／事象のいずれかの検出に応答して、登録が失敗したと判断することができる。動作８１４では、ＤＰＣ  １４６は、登録が失敗したこと及び／又はＤＰＣ  １４６がＤＳＣ  １４４を登録できないことをＤＳＣ  １４４に通知するため、ＤＳＣ登録拒否メッセージを生成し、ＤＳＣ  １４４に送信することができる。様々な実施形態では、ＤＰＣ  １４６は、メッセージタイプ情報要素（ＩＥ）、メッセージＩＤ  ＩＥ、原因ＩＥ、臨界診断ＩＥ及びバックオフタイマＩＥのいずれか又は全てを含むＤＳＣ登録拒否メッセージを生成することができる。原因ＩＥは、失敗の具体的な理由（例えば、過負荷がかかっているなど）を特定するか又は失敗の理由が知られていないもしくは詳細不明であることを示すのに適した情報を含み得る。
【０１４２】
動作ブロック８１６では、ＤＳＣ  １４４は、受信された登録拒否メッセージに含まれる情報に基づいて、様々な登録失敗に対する応答動作を実行することができる。例えば、ＤＳＣ  １４４は、受信された登録拒否メッセージの原因ＩＥの値が「過負荷」に設定されたという判断に応答して、その同じＤＰＣ  １４６への登録に再度試みる前に、受信された登録拒否メッセージのバックオフタイマＩＥに示される時間の間待つことができる。
【０１４３】
図８Ｃを参照すると、動作ブロック８５２では、ＤＳＣ  １４４は、ＤＰＣ  １４６へのＤＳＣ登録要求メッセージの送信（例えば、動作８０２の一部として）に応答して、登録応答タイマを開始することができる。動作ブロック８５４では、ＤＳＣ  １４４は、ＤＳＣ  １４４がＤＳＣ登録応答メッセージを受信する前に登録応答タイマが切れたと判断することができる。動作８５６では、ＤＳＣ  １４４は、対応するＤＳＣ登録応答メッセージを受信する前にタイマが切れたという判断に応答して、ＤＳＣ登録要求メッセージをＤＰＣ  １４６に再送信することができる。動作ブロック８５８では、ＤＳＣ  １４４は、登録応答タイマをリスタート又はリセットすることができる。動作８６０では、ＤＰＣは、ＤＳＣ登録応答メッセージをＤＳＣ  １４４に送信することができる。動作ブロック８６２では、ＤＳＣ  １４４は、ＤＳＣ登録応答メッセージの受信に応答して、登録応答タイマを止めることができる。
【０１４４】
図９Ａ及び９Ｂは、ＤＰＣ  １４６が金融仲介プラットフォームを介して入札／割り当てのためにそれらの資源を格納、組織化及び／又は利用可能にすることができるようにするため、入札／買いに対して利用可能な資源を広告するためのＤＳＡＡＰ広告方法９００を示す。図９Ａ及び９Ｂに示される例では、ＤＳＡＡＰ広告方法９００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０１４５】
図９Ａ及び９Ｂに示される動作ブロック９０２では、ＤＳＣ  １４４は、そのＤＳＣ  １４４によってサービス提供されるセル内に、割り当てに対して利用可能な資源があると判断することができる。動作ブロック９０４では、ＤＳＣ  １４４は、ＤＳＣ資源登録要求メッセージを生成し、ＤＰＣ  １４６に送信することができる。様々な実施形態では、ＤＳＣ  １４４は、メッセージタイプ情報要素（ＩＥ）、メッセージＩＤ  ＩＥ、ＤＳＣアイデンティティＩＥ、ＤＳＣタイプＩＥ、ＰＬＭＮ−ＩＤリストＩＥ、資源利用可能性ＩＥ、資源利用可能性開始時刻ＩＥ、データ帯域幅ＩＥ、グリッドリストＩＥ、入札又は買いＩＥ、最小入札額ＩＥ、資源利用可能性終了時刻ＩＥ、時刻ＩＥ、継続時間ＩＥ、１秒当たりのメガビット（ＭＢＰＳ）ＩＥ及びセルアイデンティティＩＥのいずれか又は全てを含むＤＳＣ資源登録要求メッセージを生成することができる。
【０１４６】
ＤＳＣアイデンティティＩＥは、ＤＳＣ  １４４のアイデンティティを決定するためにＤＰＣ  １４６によって使用することができる情報を含み得る。例えば、ＤＳＣアイデンティティＩＥは、ＤＳＣプールＩＤ、ＤＳＣインスタンス情報、及び、ＤＳＣが管理しているか又は表しているネットワークのＰＬＭＮ  ＩＤを含み得る。ＤＳＣプールＩＤは、利用可能な資源のプールの一意の識別子であり、ならびに／あるいは、３ＧＰＰ  ＥＰＣアーキテクチャのＭＭＥプールＩＤ及びＭＭＥ  ＩＤと同じ又は同様であり得る。
【０１４７】
メッセージＩＤ  ＩＥは、ＤＳＣ  １４４から送信される特定のＤＳＣ資源登録要求メッセージのためのメッセージ識別子を含み得る。ＤＳＣ  １４４及びＤＰＣ  １４６は、シーケンス番号としてメッセージＩＤ  ＩＥを使用して、ＤＳＣ資源登録要求、ＤＳＣ資源登録受諾及び／又はＤＳＣ資源登録拒否メッセージを特定及び相関するように構成することができる。
【０１４８】
資源利用可能性ＩＥは、他のネットワークによる割り当て及び使用のために資源について広告するネットワークのＰＬＭＮ  ＩＤを決定する際のＤＰＣ  １４６による使用に適した情報を含み得る。ＤＰＣ  １４６は、複数のＤＳＣのため及び／又は複数の異なるネットワーク（すなわち、異なるＰＬＭＮ  ＩＤ）のための資源利用可能性ＩＥを受信、格納及び／又は維持するように構成することができる。従って、各資源利用可能性ＩＥは、資源について広告するネットワークのうちの１つ又は複数の特定に適した情報を含み得る。
【０１４９】
時刻ＩＥは、ＤＳＣ  １４４がＤＳＣ資源登録要求メッセージを送信した時刻を決定する際のＤＰＣ  １４６による使用に適した情報を含み得る。継続時間ＩＥは、入札又は買いのために資源を利用可能にすべき時間帯の決定における使用に適した情報を含み得る。
【０１５０】
データ帯域幅ＩＥは、任意選択の継続時間ＩＥで指定された継続時間に対して利用可能な帯域幅（例えば、単位：ＭＢＰＳ）の決定における使用に適した情報を含み得る。ＤＰＣ  １４６は、受信されたＤＳＣ資源登録要求メッセージに継続時間ＩＥが含まれていないという判断に応答して（又は継続時間ＩＥが有効値を含まないという判断に応答して）、ＭＢＰＳ  ＩＥで指定された帯域幅が落札者又は購入者によって消費されるまでその帯域幅を利用可能にすべきであると判断することができる。
【０１５１】
グリッドリストＩＥは、入札又は買いに対して利用可能にすべきネットワーク帯域幅の場所に対するグリッド識別子の決定における使用に適した情報を含み得る。セルアイデンティティＩＥは、ＤＳＣ資源登録要求メッセージで申し出の一部として入札又は買いのために提供された利用可能な資源を有する各グリッド内の個々のセル（グリッドＩＤ及びセルＩＤによって特定される）の決定における使用に適した情報を含み得る。最小入札額ＩＥは、米ドル（ＵＳＤ）などの額面又は貨幣の金額を含み得る。
【０１５２】
図９Ａに示される動作ブロック９０６では、ＤＰＣ  １４６は、入札に対してＤＳＣ  １４４の資源を受諾することができる。動作９０８では、ＤＰＣ  １４６は、資源が受諾されたことを認めるため、ＤＳＣ資源登録応答又はＤＳＣ資源登録受諾メッセージを生成し、ＤＳＣ  １４４に送信することができる。様々な実施形態では、ＤＰＣ  １４６は、メッセージタイプ情報要素（ＩＥ）、入札ＩＤ  ＩＥ及びメッセージＩＤ  ＩＥのいずれか又は全てを含むＤＳＣ資源登録メッセージを生成することができる。メッセージＩＤ  ＩＥは、受信されたＤＳＣ資源登録要求メッセージに含まれるものと同じメッセージ識別子値を含み得る。ＤＰＣ  １４６及び／又はＤＳＣは、メッセージＩＤ  ＩＥの値を使用して、ＤＳＣ資源登録要求及びＤＳＣ資源登録受諾メッセージを特定及び相関するように構成することができる。動作ブロック９１０では、ＤＰＣ  １４６は、金融仲介プラットフォームを介して入札又は買いのためにネットワーク資源を格納、組織化及び／又は利用可能にすることができる。
【０１５３】
図９Ｂに示される動作９１２では、ＤＰＣ  １４６は、ＤＳＣ資源登録要求メッセージを拒否すること及び／又は受信されたＤＳＣ資源登録要求メッセージで特定された資源を入札に対して拒否することができる。ＤＰＣ  １４６は、各種の理由で及び／又は各種の事象もしくは状態のいずれかの検出に応答して、メッセージ／資源を拒否することができる。例えば、ＤＰＣ  １４６は、ＤＰＣ  １４６がどのオペレータからの資源も受諾していない、受信メッセージで特定された特定のオペレータに対する資源を受諾していない、メッセージで特定された資源を受諾していないという判断、ＤＰＣに過負荷がかかっているという判断、入札に対して利用可能な資源を格納及びサービス提供するための十分なメモリがないという判断などに応答して、資源を拒否することができる。また、ＤＰＣ  １４６は、ＤＰＣ  １４６の管理者が、全てのネットワーク（例えば、全てのＰＬＭＮ  ＩＤ）から、ＤＳＣ資源登録要求メッセージに含まれる特定のＰＬＭＮ  ＩＤからのさらなる入札を無効にしたという判断などに応答して、資源利用可能メッセージを拒否することもできる。
【０１５４】
図９Ｂに示される動作９１４では、ＤＰＣ  １４６は、ＤＳＣ資源登録拒否メッセージを生成し、ＤＳＣ  １４４に送信することができる。様々な実施形態では、ＤＰＣ  １４６は、メッセージタイプ情報要素（ＩＥ）、メッセージＩＤ  ＩＥ、原因ＩＥ及び臨界診断ＩＥのいずれか又は全てを含むＤＳＣ資源登録拒否メッセージを生成することができる。また、ＤＰＣ  １４６は、ＤＳＣ  １４４から受信されたＤＳＣ資源登録要求メッセージに含まれるメッセージ識別子と同じ値を含むメッセージＩＤ  ＩＥを含むＤＳＣ資源登録拒否メッセージを生成することもできる。ＤＰＣ  １４６及び／又はＤＳＣ  １４４は、メッセージＩＤ  ＩＥの値を使用して、ＤＳＣ資源登録要求及びＤＳＣ資源登録拒否メッセージを特定及び相関するように構成することができる。
【０１５５】
動作ブロック９１６では、ＤＳＣ  １４４は、受信されたＤＳＣ資源登録拒否メッセージに含まれる情報に基づいて、様々な資源登録失敗に対する応答動作を実行することができる。例えば、ＤＳＣ  １４４は、ＤＳＣ資源登録拒否メッセージに含まれる情報を使用して、ＤＰＣ  １４６への資源登録を再度試みるか、別のＤＰＣへの資源の登録を試みるか、異なる資源への登録を再度試みるか、又は、本出願で論じられる他のＤＳＣ動作のいずれかを実行するかを判断することができる。
【０１５６】
図１０Ａ及び１０Ｂは、一つの実施形態による、利用可能な資源のリストを伝達するためのＤＳＡＡＰ方法１０００を示す。ＤＳＡＡＰ方法１０００は、入札／買いに対して利用可能な資源入札又は資源について借主ネットワークに通知するために実行することができる。図１０Ａ及び１０Ｂに示される例では、ＤＳＡＡＰ方法１０００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。一つの実施形態では、借主ＤＳＣ  １４４は、そのＤＳＣ  １４４がＤＰＣ  １４６からの資源に対する入札又はリースもしくは購入要求を行う前に、利用可能な資源のリストを回収／受信するためにＤＳＡＡＰ方法１０００を実行するように構成することができる。
【０１５７】
図１０Ａ及び１０Ｂに示される動作１００２では、借主ＤＳＣ  １４４は、入札又は買いのために貸主ネットワークから割り当てに対して利用可能な資源入札に関する情報を要求するため、利用可能な入札要求メッセージを生成し、ＤＰＣ  １４６に送信することができる。様々な実施形態では、借主ＤＳＣ  １４４は、シーケンス番号情報要素（ＩＥ）、メッセージタイプＩＥ、１つ又は複数のＰＬＭＮ  ＩＤ  ＩＥを含むＰＬＭＮリストＩＥ、１つ又は複数のグリッドＩＤ  ＩＥを含むグリッドＩＤリストＩＥのいずれか又は全てを含む利用可能な入札要求メッセージを生成することができる。
【０１５８】
一つの実施形態では、借主ＤＳＣ  １４４は、利用可能な入札要求メッセージのＰＬＭＮリストＩＥのＰＬＭＮ  ＩＤ  ＩＥに含まれ得る所望のネットワークのＰＬＭＮ  ＩＤを含む利用可能な入札要求メッセージを生成することによって、特定のネットワークから特定の資源を要求するように構成することができる。
【０１５９】
一つの実施形態では、借主ＤＳＣ  １４４は、利用可能な入札要求メッセージのＰＬＭＮリストＩＥに入力しないことによってならびに／あるいはＰＬＭＮリストＩＥ及び／又はＰＬＭＮ  ＩＤ値を含まない利用可能な入札要求メッセージを生成することによって、利用可能ないかなるネットワークからも資源を要求するように構成することができる。
【０１６０】
一つの実施形態では、借主ＤＳＣ  １４４は、利用可能な入札要求メッセージのグリッドＩＤリストＩＥのグリッドＩＤ  ＩＥに含まれ得る所望のグリッドのグリッドＩＤを含む利用可能な入札要求メッセージを生成することによって、貸主ネットワーク内の特定のグリッドから資源を要求するように構成することができる。
【０１６１】
一つの実施形態では、借主ＤＳＣ  １４４は、生成された利用可能な入札要求メッセージのグリッドＩＤリストＩＥに入力しないことによってならびに／あるいはグリッドＩＤを含まない利用可能な入札要求メッセージを生成することによって、ＰＬＭＮ  ＩＤ  ＩＥグリッドの指定されたＰＬＭＮ  ＩＤ内のグリッドのいずれか又は全てから資源を要求するように構成することができる。
【０１６２】
図１０Ａ及び１０Ｂに示される動作ブロック１００４では、ＤＰＣ  １４６は、受信された利用可能な入札要求メッセージに含まれるＰＬＭＮ  ＩＤ及びグリッドＩＤが有効であるかどうかを判断することができる。ＰＬＭＮ  ＩＤ及びグリッドＩＤが間違っていれば、動作ブロック１００５では、ＤＰＣ  １４６は、エラー／間違った値の理由コードを決定することができる。動作ブロック１００６では、ＤＰＣ  １４６は、受信された利用可能な入札要求メッセージで特定された各グリッドに対して又は全ての利用可能なグリッドに対して（例えば、受信された利用可能な入札要求メッセージのグリッドＩＤリストＩＥが有効値を含まない時）利用可能な資源／入札があるかどうかを判断することができる。
【０１６３】
図１０Ａに示される動作１００８では、ＤＰＣ  １４６は、利用可能な入札応答メッセージを生成し、ＤＳＣ  １４４に送信することができる。ＤＰＣ  １４６は、メッセージタイプ情報要素（ＩＥ）、メッセージＩＤ  ＩＥ、ＤＳＣアイデンティティＩＥ、ＰＬＭＮ−ＩＤグリッドセル入札情報リストＩＥ、シーケンス番号ＩＥ、１つ又は複数のＰＬＭＮ  ＩＤ  ＩＥを含むＰＬＭＮリストＩＥ及びグリッドリストＩＥのいずれか又は全てを含む利用可能な入札応答メッセージを生成するように構成することができる。一つの実施形態では、ＰＬＭＮリストＩＥ及びグリッドリストＩＥは、ＰＬＭＮ−ＩＤグリッドセル入札情報リストＩＥに含めることができる。一つの実施形態では、グリッドリストＩＥは、１つ又は複数のセルＩＤ  ＩＥを含む１つ又は複数のセルＩＤリストＩＥを含み得る。
【０１６４】
様々な実施形態では、ＤＰＣ  １４６は、絶対無線周波数チャネル数（ＡＲＦＣＮ）ＩＥ、チャネル帯域幅ＩＥ、利用可能な全帯域幅を特定するためのメガビット又はメガバイトＩＥ、資源のピークデータレートを特定するためのＭＢＰＳ  ＩＥ、資源利用可能時間ＩＥ、資源有効時間ＩＥ、入札／買いＩＥ、入札／買い終了時刻ＩＥ、最小入札額ＩＥ及び買値ＩＥのいずれか又は全ても含む利用可能な入札応答メッセージを生成することができる。ＤＰＣ  １４６は、メッセージで特定された各ＰＭＬＮ、各資源、各グリッド及び／又は各セルに対するそのような情報を含む利用可能な入札応答メッセージを生成することができる。
【０１６５】
一つの実施形態では、ＤＰＣ  １４６は、オークションに対して利用可能な資源に対する入札があるという判断に応答して、ＰＬＭＮ  ＩＤのリスト、各ＰＬＭＮ内のグリッドＩＤのリスト及び各グリッド内の利用可能な資源／入札を含む利用可能な入札応答メッセージを生成するように構成することができる。
【０１６６】
一つの実施形態では、ＤＰＣ  １４６は、関連ネットワーク／ＰＬＭＮ  ＩＤのためのそのＤＰＣ  １４６による、オークションに対して利用可能な資源／資源に対する入札がないという判断に応答して、メッセージタイプ及びシーケンス番号ＩＥ（又はこれらのＩＥの有効値）を含む利用可能な入札応答メッセージを生成するように構成することができる。一つの実施形態では、ＤＰＣ  １４６は、受信された利用可能な入札要求メッセージに含まれるシーケンス番号ＩＥと同じ値を有するシーケンス番号ＩＥを含む利用可能な入札応答メッセージを生成するように構成することができる。一つの実施形態では、ＤＳＣ  １４４は、これらの要求及び応答メッセージのシーケンス番号ＩＥを使用して、メッセージを相関させるように構成することができる。
【０１６７】
一つの実施形態では、ＤＰＣ  １４６は、ＰＬＭＮ  ＩＤを含むＰＬＭＮリストＩＥ及びグリッドＩＤリストＩＥを含む利用可能な入札応答メッセージを生成するように構成することができる。グリッドＩＤリストＩＥは、グリッド内のオークションに対して利用可能なセルのリストを含み得る。セルＩＤリストＩＥは、セルＩＤを含むことができ、各セルに対し、ＡＲＦＣＮ、チャネル帯域幅、利用可能な全帯域幅、許容ピークデータレート、資源が利用可能な及び資源の有効期限が切れる／終了する時刻（例えば、ＵＴＣ）、入札タイプオークションか又は買いタイプオークションか、最小入札額又は買値、入札終了時刻（例えば、ＵＴＣ）ならびに他の同様の情報を含み得る。
【０１６８】
動作ブロック１０１０では、ＤＳＣ  １４４は、利用可能な入札応答メッセージに含まれる情報を使用して、入札に対して利用可能な資源を特定すること、ＤＳＣ  １４４が利用可能な資源に対する入札を提出するかどうかを判断すること、ＤＳＣ  １４４が入札を提出する資源を決定すること、及び／又は、他の同様の動作を実行することができる。
【０１６９】
図１０Ｂを参照すると、動作１０１２では、ＤＰＣ  １４６は、利用可能な入札拒否メッセージを生成し、ＤＳＣ  １４４に送信することによって、借主ＤＳＣ  １４４から受信された利用可能な入札要求メッセージを拒否することができる。ＤＰＣ  １４６は、要求メッセージで供給されるＰＬＭＮ  ＩＤのうちの１つ又は複数が公知のネットワークのいずれかからのものではないという判断（例えば、動作１００４又は１００６の一部として）、要求メッセージで供給されるグリッドＩＤのうちの１つ又は複数が供給されたＰＬＭＮ  ＩＤに関して有効ではないという判断、ならびに／あるいは、関連グリッドで利用可能な資源／入札がないという判断に応答して、利用可能な入札要求メッセージを拒否するように構成することができる。
【０１７０】
一つの実施形態では、ＤＰＣ  １４６は、メッセージタイプ情報要素（ＩＥ）、メッセージＩＤ  ＩＥ、原因ＩＥ、臨界診断ＩＥ及びシーケンス番号ＩＥを含む利用可能な入札拒否メッセージを生成するように構成することができる。原因ＩＥは、動作ブロック１００５で決定することができる利用可能な入札要求の拒否に対する理由コード（例えば、無効なＰＬＭＮ  ＩＤ、無効なグリッドＩＤなど）を含み得る。シーケンス番号ＩＥは、借主ＤＳＣ  １４４から受信された利用可能な入札要求メッセージに含まれているものと同じシーケンス番号値を含み得る。従って、ＤＰＣ  １４６及び／又はＤＳＣ  １４４は、要求及び応答メッセージのシーケンス番号ＩＥを使用して、それらのメッセージを相関させるように構成することができる。
【０１７１】
動作ブロック１０１４では、ＤＳＣ  １４４は、利用可能な入札拒否メッセージに含まれる情報を使用して、様々な失敗に対する応答動作を実行することができる。例えば、ＤＳＣ  １４４は、別の利用可能な入札要求メッセージをＤＰＣ  １４６に送信するかどうかを判断すること、別の利用可能な入札要求メッセージを異なるＤＰＣに送信するかどうかを判断することなどができる。
【０１７２】
図１１Ａ及び１１Ｂは、ＤＳＣ資源に対して入札するＤＳＡＡＰ入札方法１１００を示し、これにより、異なる借主ネットワークは、貸主ネットワークから利用可能な資源に対する入札を行うことができる。図１１Ａ及び１１Ｂに示される例では、ＤＳＡＡＰ方法１１００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０１７３】
一つの実施形態では、ＤＳＣ  １４４及び／又はＤＰＣ  １４６は、ＤＳＣ  １４４が入札に対して利用可能な資源のリストを回収した後（例えば、ＤＳＡＡＰ方法１０００を実行した後）にＤＳＡＡＰ方法１１００を実行するように構成することができる。様々な実施形態では、ＤＳＣ  １４４及び／又はＤＰＣ  １４６は、入札時間切れになるまで連続して又は繰り返してＤＳＡＡＰ方法１１００を実行するように構成することができる。一つの実施形態では、ＤＰＣ  １４６は、入札時間切れ時に落札した入札（すなわち、最高入札値が付いたもの）を選択するように構成することができる。
【０１７４】
図１１Ａ及び１１Ｂに示される方法１１００の動作１１０２では、貸主ネットワークから利用可能であると判断された資源のうちの１つ又は複数（すなわち、方法１０００の実行を介して得られた資源のリストに含まれる資源のうちの１つ又は複数）に対する入札を行うため、借主ＤＳＣ  １４４は、ＤＳＣ入札要求メッセージを生成し、ＤＰＣ  １４６に送信することができる。借主ＤＳＣ  １４４は、メッセージタイプ情報要素（ＩＥ）、メッセージＩＤ  ＩＥ、ＤＳＣアイデンティティＩＥ、ＤＳＣタイプＩＥ、入札ＩＤ  ＩＥ、ＰＬＭＮ  ＩＤ  ＩＥ及び入札額ＩＥのいずれか又は全てを含むＤＳＣ入札要求メッセージを生成するように構成することができる。入札ＩＤ  ＩＥは、借主ＤＳＣ  １４４が入札を行う特定の資源の特定に適した情報を含み得る。ＰＬＭＮ  ＩＤ  ＩＥは、入札ＩＤ  ＩＥで特定された資源と関連付けられたネットワークのＰＬＭＮ  ＩＤの特定における使用に適した情報を含み得る。入札額ＩＥは、貨幣（例えば、ＵＳＤ）の金額又は入札値を含み得る。
【０１７５】
一つの実施形態では、借主ＤＳＣ  １４４は、特定の資源／入札ＩＤの入札リストで指定される最小入札額より大きい入札額ＩＥ値を含むＤＳＣ入札要求メッセージを生成するように構成することができる。一つの実施形態では、借主ＤＳＣ  １４４は、受信された利用可能な入札応答メッセージ（例えば、図１０Ａに示される動作１００８の一部として送信されたメッセージ）から最小入札額及び／又は入札リストを得るように構成することができる。
【０１７６】
図１１Ａに示される動作ブロック１１０４では、ＤＰＣ  １４６は、受信されたＤＳＣ入札要求メッセージに含まれる情報を使用して、入札がＤＳＡシステムのポリシ及び規則ならびに貸主ネットワークの要件に準拠するかどうかを判断することによってなど、入札（資源入札）が有効であるかどうか及び受諾すべきかどうかを判断することができる。動作１１０６では、ＤＰＣ  １４６は、入札が有効である及び／又は受諾すべきであるという判断に応答して、ＤＳＣ入札受諾メッセージを生成し、ＤＳＣに送信することができる。ＤＰＣ  １４６は、メッセージタイプ情報要素（ＩＥ）、メッセージＩＤ  ＩＥ、入札ＩＤ  ＩＥ、ならびに、入札が有効であると判断されたこと及び／又は受諾されたことをＤＳＣ  １４４に通知するのに適した他の情報のいずれか又は全てを含むＤＳＣ入札受諾メッセージを生成するように構成することができる。
【０１７７】
上記で論じられる例では、ＤＳＣ入札受諾メッセージは、入札が有効である／受諾されたことをＤＳＣ  １４４に通知するものであり、借主ＤＳＣ  １４４が落札したことを通知するものではないことに留意すべきである。落札した借主ＤＳＣは、入札時間切れとなり、入札終了時に借主ＤＳＣが最高入札者であるとＤＰＣ  １４６が判断した際に、ＤＳＣ落札メッセージを介して通知を受けることができる。同様に、ＤＰＣ  １４６は、ＤＳＣ落札失敗メッセージを介して、入札プロセスに参加したが落札失敗入札を提出した借主ＤＳＣに、落札入札を提出しなかったことを通知することができる。ＤＳＣ落札メッセージ及びＤＳＣ落札失敗メッセージについては、以下でさらに詳細に論じる。
【０１７８】
図１１Ｂを参照すると、動作ブロック１１０８では、ＤＰＣ  １４６は、受信されたＤＳＣ入札要求メッセージに含まれる情報を使用して、入札が有効ではない及び受諾すべきではないと判断することができる。例えば、ＤＰＣ  １４６は、受信された情報を使用して、入札がＤＳＡシステムのポリシ／規則に準拠しない及び／又は貸主ネットワークの要件に準拠しない（例えば、最小希望価格を満たさない）と判断することができる。さらなる例として、ＤＰＣ  １４６は、入札要求メッセージの入札額ＩＥで指定される入札額が最小入札より高いものではないという判断、入札額が現在申し出を受けている入札の中で最も高いものではないという判断、入札ＩＤ  ＩＥに含まれる入札ＩＤが無効であるという判断、又は、入札／資源が入札に対してもはや利用可能ではない（例えば、有効期限切れ、オークションの終了、入札撤回又は無効な入札ＩＤが原因で）という判断に応答して、入札が有効ではない又は受諾すべきではないと判断するように構成することができる。
【０１７９】
動作１１１０では、ＤＰＣ  １４６は、ＤＳＣ入札拒否メッセージを生成し、ＤＳＣ  １４４に送信することができる。ＤＰＣ  １４６は、メッセージタイプ情報要素（ＩＥ）、メッセージＩＤ  ＩＥ、入札ＩＤ  ＩＥ、原因ＩＥ及び臨界診断ＩＥのいずれか又は全てを含むＤＳＣ入札拒否メッセージを生成するように構成することができる。ＤＳＣ入札拒否メッセージの入札ＩＤ  ＩＥは、受信されたＤＳＣ入札要求メッセージに含まれる入札識別子と同じ値を含み得る。原因ＩＥは、入札が拒否された理由（例えば、最小入札が満たされていない、高値での入札、入札が見つからないなど）を特定する理由コードを含み得る。動作ブロック１１１２では、ＤＳＣ  １４４は、ＤＳＣ入札拒否メッセージに含まれる情報を使用して、資源に対する再入札を行うかどうかを判断する動作、有効な入札ＩＤを含む新しいＤＳＣ入札要求メッセージを生成する動作など、様々な入札要求失敗に対する応答動作を実行することができる。
【０１８０】
図１２Ａ〜１２Ｄは、参加ネットワークに入札動作の結果を通知するＤＳＡＡＰ通知書方法１２００を示す。すなわち、ＤＳＡＡＰ通知方法１２００は、オークションの結果（例えば、ＤＳＣ  １４４が落札入札を提出したこと、ＤＳＣ  １４４が高値で入札したこと、ＤＳＣ  １４４が落札失敗入札を提出したこと、オークションが取り消されたことなど）をＤＳＣ  １４４に通知するために実行することができる。図１２Ａ〜１２Ｄに示される例では、ＤＳＡＡＰ通知方法１２００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０１８１】
ＤＳＡＡＰ通知方法１２００は、入札が受諾されたことをＤＰＣ  １４６がＤＳＣ  １４４に通知した後（例えば、図１１に示される動作１１０６の後）に実行することができる。また、ＤＳＡＡＰ通知方法１２００は、入札時間切れの後に及び／又はＤＰＣ  １４６による事象もしくは状態（例えば、新しい入札が受信されたこと、高値で入札されたことなど）の検出に応答して実行することもできる。
【０１８２】
図１２Ａに示される動作ブロック１２０２では、ＤＰＣ  １４６は、ＤＳＣ  １４４から受信された最後の、最近の又は最新の入札要求メッセージの入札額ＩＥで指定される入札額が現在の入札の中で最も高いものではないと判断することができる。動作１２０４では、ＤＰＣ  １４６は、その前の入札が別の借主ＤＳＣからのより高い入札によって高値が付けられたこと及び／又は前の入札がもはや有効ではないことを借主ＤＳＣ  １４４に通知するため、ＤＳＣ高値での入札メッセージを生成し、借主ＤＳＣ  １４４に送信することができる。様々な実施形態では、ＤＰＣ  １４６は、メッセージタイプ情報要素（ＩＥ）、メッセージＩＤ  ＩＥ、原因ＩＥ、入札情報ＩＥ、臨界診断ＩＥ、ＤＳＣ  ＩＤ  ＩＥ及び入札ＩＤ  ＩＥのいずれか又は全てを含むＤＳＣ高値での入札メッセージを生成することができる。
【０１８３】
ＤＳＣ  ＩＤ  ＩＥは、特定の借主ＤＳＣ  １４４の特定における使用に適した情報を含み得る。入札ＩＤ  ＩＥは、高値が付けられた提出入札の特定における使用に適した入札ＩＤを含み得る。動作ブロック１２０６では、借主ＤＳＣ  １４４は、資源に対してより高い入札をそのＤＰＣ  １４６に提出するか、異なるＤＰＣ  １４６に入札を提出するか、帯域幅を解放するために既存の通話を終えるかなどを判断することによってなど、様々な高値での入札失敗に対する応答動作を実行することができる。
【０１８４】
図１２Ｂを参照すると、動作ブロック１２１０では、ＤＰＣ  １４６は、入札時間切れとなり、ＤＳＣ  １４４から受信された最後の、最近の又は最新の入札要求メッセージの入札額ＩＥで指定される入札額が現在の入札の中で最も高いものであると判断することができる。動作１２１２では、ＤＰＣ  １４６は、前の入札が落札入札であることを借主ＤＳＣ  １４４に通知するため、ＤＳＣ落札メッセージを生成し、借主ＤＳＣ  １４４に送信することができる。様々な実施形態では、ＤＰＣ  １４６は、メッセージタイプ情報要素（ＩＥ）、メッセージＩＤ  ＩＥ、入札ＩＤ  ＩＥ、入札情報ＩＥ、ＤＳＣ  ＩＤ  ＩＥ、ならびに、帯域幅、ＭＢＰＳ、時間及び落札した入札額などの元の入札詳細などのいずれか又は全てを含むＤＳＣ落札メッセージを生成することができる。ＤＳＣ  ＩＤ  ＩＥは、特定の借主ＤＳＣ  １４４の特定における使用に適した情報を含み得る。入札ＩＤ  ＩＥは、資源オークション／入札動作を落札した入札の特定に適した入札識別子を含み得る。
【０１８５】
動作ブロック１２１４では、落札した借主ＤＳＣ  １４４は、そのネットワーク機器及びデバイス（例えば、ワイヤレスデバイス）が資源の使用を開始する及び／又は使用のために資源を利用可能にするスケジューリングを行う（すなわち、落札した借主ネットワークによる資源の使用準備を整える時刻のスケジューリングを行う）前に、ＤＰＣ  １４６からのＤＳＣ資源割り当て済みメッセージの受信を待つことができる。動作ブロック１２１６では、ＤＰＣ  １４６は、借主ＤＳＣ  １４４によって提出された入札によって落札された資源に対する他のネットワークからのさらなる入札を拒否することによってなど、オークションを閉鎖することができる。
【０１８６】
図１２Ｃを参照すると、動作ブロック１２２０では、ＤＰＣ  １４６は、入札時間切れとなり、ＤＳＣ  １４４から受信された最後の、最近の又は最新の入札要求メッセージの入札額ＩＥで指定される入札額が現在の入札の中で最も高いものではないと判断することができる。動作１２２２では、ＤＰＣ  １４６は、前の入札が落札入札ではなく、別の借主ＤＳＣがオークションで落札したためにオークション／入札が閉鎖されたことを借主ＤＳＣ  １４４に通知するため、ＤＳＣ落札失敗メッセージを生成し、ＤＳＣ  １４４に送信することができる。様々な実施形態では、ＤＰＣ  １４６は、メッセージタイプ情報要素（ＩＥ）、メッセージＩＤ  ＩＥ、入札ＩＤ  ＩＥ及びＤＳＣ  ＩＤ  ＩＥのいずれか又は全てを含むＤＳＣ落札失敗メッセージを生成することができる。ＤＳＣ  ＩＤ  ＩＥは、落札失敗入札を提出した及び／又はＤＳＣ落札失敗メッセージが送信される特定の借主ＤＳＣ  １４４の特定における使用に適した情報を含み得る。入札ＩＤ  ＩＥは、提出された入札の特定における使用に適した入札識別子を含み得る。
【０１８７】
動作ブロック１２２４では、借主ＤＳＣ  １４４は、他の利用可能な資源に対する入札を提出するか、資源を解放するために既存の通話を終えるかなどを判断することなど、様々な失敗に対する応答動作を実行することができる。動作ブロック１２２６では、ＤＰＣ  １４６は、オークションを閉鎖すること及び／又は落札に失敗した借主ＤＳＣが他の利用可能な資源に対する入札を行えるようにすることができる。
【０１８８】
図１２Ｄを参照すると、動作ブロック１２３０では、ＤＰＣ  １４６は、ＤＳＣ  １４４が以前に入札を提出したネットワーク資源に対するオークションが取り消されたと判断することができる。例えば、ＤＰＣ  １４６は、貸主ネットワークオペレータによってオークションが撤回された又は管理上の理由でＤＰＣオペレータによってオークションが取り消されたと判断することができる。動作１２３２では、ＤＰＣ  １４６は、オークションが取り消されたことを借主ＤＳＣ  １４４通知するため、ＤＳＣ入札取消済みメッセージを生成し、借主ＤＳＣ  １４４に送信することができる。様々な実施形態では、ＤＰＣ  １４６は、メッセージタイプ情報要素（ＩＥ）、メッセージＩＤ  ＩＥ、入札ＩＤ  ＩＥ、ＤＳＣ  ＩＤ  ＩＥ及び原因ＩＥのいずれか又は全てを含むＤＳＣ入札取消済みメッセージを生成することができる。ＤＳＣ  ＩＤ  ＩＥは、特定の借主ＤＳＣ  １４４の特定における使用に適した情報を含み得る。入札ＩＤ  ＩＥは、オークションが取り消された資源／入札の特定における使用に適した入札識別子を含み得る。原因ＩＥは、入札取消に対する理由コード（例えば、オークションが撤回された、オークションが取り消されたなど）を含み得る。動作ブロック１２３４では、借主ＤＳＣ  １４４は、異なるＤＰＣ  １４６に入札を提出するか、通話を終えるかなどを判断することによってなど、様々な失敗に対する応答動作を実行することができる。
【０１８９】
図１３Ａ及び１３Ｂは、借主ネットワークが貸主ネットワークによって割り当てに対して利用可能にされた資源に対する即時の（又はほぼ即時の）購入及び／又は使用の主張を行えるようにするＤＳＡＡＰ購入方法１３００を示す。図１３Ａ及び１３Ｂに示される例では、ＤＳＡＡＰ購入方法１３００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。一つの実施形態では、ＤＳＣ  １４４及びＤＰＣ  １４６は、ＤＳＣ  １４４が購入に対して利用可能な資源のリストを回収／受信した後（例えば、図１０を参照して上記で論じられるＤＳＡＡＰ方法１０００を実行した後）にＤＳＡＡＰ方法１３００を実行するように構成することができる。
【０１９０】
図１３Ａ及び１３Ｂに示される動作ブロック１３０２では、借主ＤＳＣ  １４４は、資源のリスト（例えば、上記で論じられるＤＳＡＡＰ方法１０００の実行から得られた資源のリスト）から即時の購入のための特定の資源を特定及び選択することができる。様々な実施形態では、借主ＤＳＣ  １４４は、入札に対してスケジューリングが行われた資源、現在オークションが行われている資源、即時の購入に対してのみ利用可能にされた資源などを選択することができる。動作１３０４では、ＤＳＣ  １４４は、貸主ネットワークから特定／選択した資源の買いを要求するため、ＤＳＣ買い要求メッセージを生成し、ＤＰＣ  １４６に送信することができる。
【０１９１】
様々な実施形態では、ＤＳＣ  １４４は、メッセージタイプ情報要素（ＩＥ）、メッセージＩＤ  ＩＥ、ＤＳＣアイデンティティＩＥ、ＤＳＣタイプＩＥ、入札ＩＤ  ＩＥ、買値ＩＥ及びＰＬＭＮ  ＩＤ  ＩＥのいずれか又は全てを含むＤＳＣ買い要求メッセージを生成することができる。ＰＬＭＮ  ＩＤ  ＩＥは、入札ＩＤ  ＩＥを介して特定することができる入札と関連付けられたネットワークのＰＬＭＮ  ＩＤの特定における使用に適した情報を含み得る。買値ＩＥは、借主ＤＳＣ  １４４によって提出された入札の金額（例えば、ＵＳＤ）（すなわち、入札値）を含み得る。
【０１９２】
一つの実施形態では、ＤＳＣ  １４４は、受信された利用可能な入札応答メッセージ（図１０を参照して上記で論じられる）に含まれる入札ＩＤのリストの買値ＩＥを介して特定された金額と等しい買値を含むＤＳＣ買い要求メッセージを生成するように構成することができる。
【０１９３】
図１３Ａに示される動作ブロック１３０６では、ＤＰＣ  １４６は、受信されたＤＳＣ買い要求メッセージに含まれる情報を使用して、要求された資源、要求された資源と関連付けられたネットワーク、要求された資源が現在オークションにかけられているかどうか、要求された資源が即時の購入に対して利用可能にされているかどうか、その資源の即時の購入に対して要求された最小購入額、及び／又は、受信されたＤＳＣ買い要求メッセージに含まれる買値が要求された購入額と等しい（又はそれより大きい）かどうかを特定することができる。図１３Ａに示される例では、動作ブロック１３０６の一部として、ＤＰＣ  １４６は、受信されたＤＳＣ買い要求メッセージに含まれる買値が要求された購入額以上であると判断することができる。
【０１９４】
動作１３０８では、ＤＰＣ  １４６は、使用のための資源の購入／リースに成功したことを借主ＤＳＣ  １４４に通知するため、ＤＳＣ買い受諾メッセージを生成し、借主ＤＳＣ  １４４に送信することができる。様々な実施形態では、ＤＰＣ  １４６は、メッセージタイプ情報要素（ＩＥ）、メッセージＩＤ  ＩＥ及び入札ＩＤ  ＩＥのいずれか又は全てを含むＤＳＣ買い受諾メッセージを生成することができる。動作ブロック１３１０では、ＤＰＣ  １４６は、資源がもはや他の借主ＤＳＣによる入札又は買いに対して利用可能ではなくなるように、その資源に対するアクティブなオークションを終了、停止もしくは閉鎖すること及び／又は同様の動作を実行することができる。
【０１９５】
図１３Ｂを参照すると、動作ブロック１３１２では、ＤＰＣ  １４６は、受信されたＤＳＣ買い要求メッセージ（例えば、動作１３０４の一部として）に含まれる情報を使用して、入札（買い要求）を拒否すべきであると判断することができる。例えば、ＤＰＣ  １４６は、受信されたＤＳＣ買い要求メッセージの買値ＩＥで指定される買値が要求された購入額より少ないと判断することができる。別の例として、ＤＰＣ  １４６は、入札ＩＤ  ＩＥに含まれる入札ＩＤ値が無効であるか、又は、資源／入札がもはや入札に対して利用可能ではない（例えば、有効期限切れ、オークションの終了、入札撤回又は無効な入札ＩＤなどが原因で）と判断することができる。
【０１９６】
動作１３１４では、ＤＰＣ  １４６は、ＤＳＣ買い拒否メッセージを生成し、ＤＳＣ  １４４に送信することができる。様々な実施形態では、ＤＰＣ  １４６は、メッセージタイプ情報要素（ＩＥ）、メッセージＩＤ  ＩＥ、入札ＩＤ  ＩＥ及び原因ＩＥのいずれか又は全てを含むＤＳＣ買い拒否メッセージを生成することができる。入札ＩＤ  ＩＥの値は、動作１３０４の一部として受信されたＤＳＣ買い要求メッセージに含まれる入札識別子と同じであり得る。原因ＩＥは、買い要求の拒否に対する理由コード（例えば、要求された購入価格が満たされていない、入札が見つからないなど）を含み得る。動作ブロック１３１６では、ＤＳＣ  １３１６は、より高い入札額で新しい購入要求を提出するかどうかを判断するなどの様々な失敗に対する応答動作を実行することができる。動作ブロック１３１８では、ＤＰＣ  １４６は、他の借主ＤＳＣによる入札又は買いに対してその資源が利用可能になるように様々な動作を実行する。
【０１９７】
図１４Ａ及び１４Ｂは、借主ネットワークのコンポーネントによるアクセス及び使用のために貸主ネットワークの資源を割り当てるＤＳＡＡＰ資源割り当て方法１４００を示す。図１４Ａ及び１４Ｂに示される例では、ＤＳＡＡＰ資源割り当て方法１４００は、ＤＰＣ  １４６コンポーネント、借主ＤＳＣ  １４４ａコンポーネント及び貸主ＤＳＣ  １４４ｂコンポーネントの処理コアによって実行され、それらの各々は、全て又は一定の部分のＤＳＡＡＰモジュール／コンポーネントを含み得る。
【０１９８】
図１４Ａ及び１４Ｂに示される動作ブロック１４０２では、ＤＰＣ  １４６は、借主ＤＳＣ  １４４ａが貸主ＤＳＣ  １４４ｂによって表される貸主ネットワークの資源の購入又は資源に対するオークションでの落札に成功したと判断することができる。図１４Ａに示される動作１４０４では、ＤＰＣ  １４６は、その割り当てられた資源／入札のうちの１つ又は複数が借主ＤＳＣ  １４４ａによって落札されたことを貸主ネットワーク通知するため、ＤＳＣ落札成功メッセージを生成し、貸主ＤＳＣ  １４４ｂに送信することができる。
【０１９９】
様々な実施形態では、ＤＰＣ  １４６は、メッセージタイプ情報要素（ＩＥ）、メッセージＩＤ  ＩＥ、原因ＩＥ及び臨界診断ＩＥのいずれか又は全てを含むＤＳＣ落札成功メッセージを生成することができる。さらなる実施形態では、ＤＰＣ  １４６は、入札ＩＤ  ＩＥ、ＤＳＣ  ＩＤ  ＩＥ及び入札値ＩＥのいずれか又は全ても含むＤＳＣ落札成功メッセージを生成するように構成することができる。これらの追加の情報要素は、落札入札に関する情報を伝達するために使用することができる。例えば、入札ＩＤ  ＩＥは、資源に対するオークションへの参加及びオークションでの落札に成功した入札に相当する入札ＩＤを含み得る。ＤＳＣ  ＩＤ  ＩＥは、オークション勝者（すなわち、借主ＤＳＣ  １４４ａ）のＤＳＣ  ＩＤを含み得る。入札値ＩＥは、資源の落札入札額及び／又は購入価格を含み得る。
【０２００】
動作１４０４では、貸主ＤＳＣ  １４４ｂは、借主ネットワークのコンポーネントによるアクセス及び使用のための資源の割り当て／委任を行うため、ＤＳＣ資源割り当て済みメッセージを生成し、ＤＰＣ  １４６に送信することができる。貸主ＤＳＣ  １４４ｂは、メッセージタイプ情報要素（ＩＥ）、メッセージＩＤ  ＩＥ、入札ＩＤ、ＰＬＭＮ−ＩＤグリッドＩＤセルＩＤリストＩＥ、ＰＬＭＮ  ＩＤ  ＩＥ、グリッドＩＤ  ＩＥ、セルＩＤリストＩＥ及び様々なオークション／資源詳細（例えば、帯域幅、ＭＢＰＳ、時間など）のいずれか又は全てを含むＤＳＣ資源割り当て済みメッセージを生成するように構成することができる。一つの実施形態では、ＰＬＭＮ  ＩＤ  ＩＥ、グリッドＩＤ  ＩＥ及びセルＩＤリストＩＥは、ＰＬＭＮ−ＩＤグリッドＩＤセルＩＤリストＩＥに含めることができる。ＰＬＭＮ  ＩＤ  ＩＥは、資源を割り当てる貸主ネットワークのＰＬＭＮ  ＩＤを含むことができ、落札入札で特定されたものと同じＰＬＭＮ  ＩＤ／ネットワークであり得る。グリッドＩＤ  ＩＥ及びセルＩＤリストＩＥは、資源と関連付けられたグリッド／セルの特定に適した情報を含み得る。これらの値は、落札入札に含まれるグリッド／セル値と同じであり得る。
【０２０１】
動作１４０６では、ＤＰＣ  １４６は、借主ＤＳＣ  １４４ａが貸主ネットワーク資源のうちの割り当てられた資源の使用を開始できるようにするため、受信されたＤＳＣ資源割り当て済みメッセージを落札した借主ＤＳＣ  １４４ａに転送することができる。動作ブロック１４０８では、借主ＤＳＣ  １４４ａは、そのネットワーク機器が、入札の一部として指定される及び／又は受信されたＤＳＣ資源割り当て済みメッセージに含まれる時刻から貸主ネットワーク資源の使用を開始するスケジューリングを行うことができる。
【０２０２】
図１４Ｂを参照すると、動作ブロック１４１０では、貸主ＤＳＣ  １４４ｂは、オークションの勝者への提出された資源の割り当てに先行して、オークションに対して提出された資源を撤回すべきであると判断することができる。貸主ＤＳＣ  １４４ｂは、各種の理由（例えば、思いがけない又は管理上の理由など）で、借主ネットワークがそれらの資源を購入した又は資源に対するオークションで落札したとＤＰＣ  １４６が判断した後に、資源を撤回すると判断することができる。
【０２０３】
動作１４１２では、貸主ＤＳＣ  １４４ｂは、資源を撤回するため、ＤＳＣ資源撤回済みメッセージを生成し、ＤＰＣ  １４６に送信することができる。貸主ＤＳＣ  １４４ｂは、メッセージタイプ情報要素（ＩＥ）、メッセージＩＤ  ＩＥ、入札ＩＤ  ＩＥ、原因ＩＥ及びＰＬＭＮ−ＩＤグリッドＩＤセルＩＤリストＩＥのいずれか又は全てを含むＤＳＣ資源撤回済みメッセージを生成することができる。入札ＩＤ  ＩＥは、入札の特定における使用に適した情報を含み得る。原因ＩＥは、資源割り当ての撤回の理由（例えば、資源が利用可能ではない、資源が撤回された、管理上のなど）について説明する理由コードを含み得る。
【０２０４】
動作１４１４では、ＤＰＣ  １４６は、受信されたＤＳＣ資源撤回済みメッセージを、撤回された資源に対して落札入札を提出した借主ＤＳＣ  １４４ａに転送することができる。動作ブロック１４１６では、借主ＤＳＣ  １４４ａは、別のオークションに参加するかどうかの判断、異なる資源に対する入札を行うかどうかの判断、資源を解放するために通話を終えるかどうかの判断など、様々な失敗に対する応答動作を実行することができる。
【０２０５】
図１５Ａ及び１５Ｂは、貸主ネットワークからワイヤレスデバイスが加入している借主ネットワーク（すなわち、そのホームのＰＬＭＮ）にワイヤレスデバイスを選択的に引き戻すＤＳＡＡＰバックオフ方法１５００の一つの実施形態を示す。図１５Ａ及び１５Ｂに示される例では、ＤＳＡＡＰバックオフ方法１５００は、ＤＰＣ  １４６コンポーネント、借主ＤＳＣ  １４４ａコンポーネント及び貸主ＤＳＣ  １４４ｂコンポーネントの処理コアによって実行され、それらの各々は、全て又は一定の部分のＤＳＡＡＰモジュール／コンポーネントを含み得る。
【０２０６】
図１５Ａ及び１５Ｂに示される動作ブロック１５０２では、貸主ＤＳＣ  １４４ｂは、前のオークションの一部であるセルからのそのネットワーク資源が混雑状態であると判断することができる。すなわち、貸主ＤＳＣ  １４４ｂは、その割り当てられた資源のアクセス又は使用を必要とすると判断することができる。動作１５０４では、貸主ＤＳＣ  １４４ｂは、借主ネットワーク（すなわち、そのホームのＰＬＭＮ）に貸主ネットワークの割り当てられた資源を使用するワイヤレスデバイスを選択的に引き戻すため、ＤＳＣバックオフコマンドメッセージを生成し、ＤＰＣ  １４６に送信することができる。
【０２０７】
貸主ＤＳＣ  １４４ｂは、メッセージタイプ情報要素（ＩＥ）、メッセージＩＤ  ＩＥ、入札ＩＤ  ＩＥ、ＵＥアイデンティティＩＥ、測定レポートＩＥ、ハンドオフセル情報ＩＥ、原因ＩＥ及びＤＳＣバックオフ応答タイマＩＥのいずれか又は全てを含むＤＳＣバックオフコマンドメッセージを生成するように構成することができる。
【０２０８】
ＵＥアイデンティティＩＥは、ワイヤレスデバイス又はそのネットワークの国際移動電話加入者識別番号（ＩＭＳＩ）など、ワイヤレスデバイス（又はＵＥ）のアイデンティティ関連情報の決定における使用に適した情報を含み得る。
【０２０９】
測定レポートＩＥは、特定されたワイヤレスデバイス（すなわち、借主ネットワークへのバックオフが要求されたワイヤレスデバイス）に対して貸主ネットワークによって受信された最後の、最近の又は最新の測定レポートＥ−ＵＴＲＡＮ  ＲＲＣメッセージを含み得る。
【０２１０】
入札ＩＤ  ＩＥは、オークションへの参加及びオークションの完了／オークションでの落札に成功した入札に相当する入札ＩＤ値を含み得る。入札ＩＤは、バックオフ動作と関連付けられたオークション／契約（すなわち、資源が割り当てられたオークション／契約）を特定するために使用することができる。
【０２１１】
一つの実施形態では、貸主ＤＳＣ  １４４ｂは、混雑したセルに対応する入札ＩＤが複数あるかどうかを判断するように構成することができる。一つの実施形態では、貸主ＤＳＣ  １４４ｂは、混雑したセルに対応する入札ＩＤが複数あるという判断に応答して、多数の入札ＩＤから入札ＩＤ値を選択するように構成することができる。様々な実施形態では、貸主ＤＳＣ  １４４ｂは、貸主ＤＳＣ  １４４ｂで規定されるオペレータポリシに基づいて、以前の合意に基づいて、以前に貸主及び借主ネットワークオペレータによって協議されたポリシ／規則に基づいてなど、入札ＩＤ値を選択するように構成することができる。
【０２１２】
動作１５０６では、ＤＰＣ  １４６は、受信されたＤＳＣバックオフコマンドメッセージを借主ＤＳＣ  １４４ａに転送することができる。動作ブロック１５０８では、借主ＤＳＣ  １４４ａは、受信されたＤＳＣバックオフコマンドメッセージのＵＥアイデンティティＩＥの情報を使用して、バックオフ動作の対象となるワイヤレスデバイス（すなわち、引き戻されるべきワイヤレスデバイス）を特定することができる。
【０２１３】
動作ブロック１５１０では、借主ＤＳＣ  １４４ａは、受信されたＤＳＣバックオフコマンドメッセージの測定レポートＩＥに含まれる情報を使用して、特定されたワイヤレスデバイスが引き渡されるべき対象セル（借主ネットワーク内の）を決定、特定及び／又は選択することができる（貸主ネットワークは、ワイヤレスデバイスが貸主ネットワークに取り付けられている時又は引き渡された時など、以前に、ワイヤレスデバイスからの測定レポートを可能にした可能性がある）。
【０２１４】
動作１５１２では、借主ＤＳＣ  １４４ａは、ＤＳＣバックオフ応答メッセージを生成し、ＤＰＣ  １４６に送信することができる。借主ＤＳＣ  １４４ａは、メッセージタイプ情報要素（ＩＥ）、メッセージＩＤ  ＩＥ、入札ＩＤ  ＩＥ、ＵＥアイデンティティＩＥ、ハンドオフセル情報ＩＥ及び原因ＩＥのいずれか又は全てを含むＤＳＣバックオフ応答メッセージを生成するように構成することができる。一つの実施形態では、借主ＤＳＣ  １４４ａは、ハンドオーバのための適切な対象セル（借主ネットワーク内の）を特定又は選択できなかったという判断に応答して、原因ＩＥ（又は原因ＩＥの値）を含むＤＳＣバックオフ応答メッセージを生成するように構成することができる。原因ＩＥの値は、ネットワーク過負荷、適切な対象セルが見つからない又は未知のワイヤレスデバイス／ＵＥなどの失敗の原因を特定することができる。一つの実施形態では、借主ＤＳＣ  １４４ａは、ワイヤレスデバイスが引き渡され得る対象セル（借主ネットワーク内の）の特定の成功に応答して、ハンドオフセル情報ＩＥに対する値（例えば、対象セル情報）を含むＤＳＣバックオフ応答メッセージを生成するように構成することができる。
【０２１５】
動作１５１４では、ＤＰＣ  １４６は、受信されたＤＳＣバックオフ応答メッセージに含まれる入札ＩＤ  ＩＥに基づいて貸主ＤＳＣ  １４４ａを特定し、受信されたＤＳＣバックオフ応答メッセージを貸主ＤＳＣ  １４４ｂに転送することができる。動作ブロック１５１６では、貸主ＤＳＣ  １４４ｂは、受信されたＤＳＣバックオフ応答メッセージがハンドオフセル情報ＩＥ（又はハンドオフセル情報ＩＥに対する有効値）を含むかどうかを判断することができる。受信されたＤＳＣバックオフ応答メッセージがハンドオフセル情報ＩＥ（又はハンドオフセル情報ＩＥに対する有効値）を含むという判断に応答して、動作ブロック１５１８では、貸主ＤＳＣ  １４４ｂは、ハンドオフセル情報ＩＥに含まれる対象セル情報を使用して、ハンドオーバ要メッセージを符号化することができる。動作ブロック１５２０では、貸主ＤＳＣ  １４４ｂは、貸主ネットワークから借主ネットワークにワイヤレスデバイスを引き渡すためにＳ１ベースのハンドオーバ手順を開始することができる。
【０２１６】
図１５Ｂを参照すると、動作ブロック１５５２では、貸主ＤＳＣ  １４４ｂは、ＤＰＣ  １４６がＤＳＣバックオフコマンドメッセージに含まれるＤＳＣバックオフ応答タイマＩＥで特定された時間内にＤＳＣバックオフコマンドメッセージ（動作１５０４の一部として送信された）に応答しなかったと判断することができる。その代替として又はそれに加えて、動作ブロック１５５４では、貸主ＤＳＣ  １４４ｂは、ＤＳＣバックオフコマンドメッセージに含まれるか又はＤＳＣバックオフコマンドメッセージで特定された資源／入札ＩＤに関する全ての残りのネットワーク資源の割り当ての撤回を必要とする、かなりのもしくは激しいネットワーク混雑又は管理上の理由があると判断することができる。
【０２１７】
動作１５５６では、貸主ＤＳＣ  １４４ｂは、ＤＳＣ資源撤回済みメッセージを生成し、ＤＰＣ  １４６に送信することができる。動作１５５８では、ＤＰＣ  １４６は、残りのネットワーク資源の割り当てを撤回するため、受信されたＤＳＣ資源撤回済みメッセージを借主ＤＳＣ  １４４ａに転送することができる。動作ブロック１５６０では、借主ＤＳＣ  １４４ａは、通話を終える、新しい資源に対する入札を行うかどうかの判断など、様々な資源撤回失敗に対する応答動作を実行することができる。
【０２１８】
図１６Ａは、動作を終了するためのＤＳＣ始動ＤＳＡＡＰ登録解除方法１６００の一つの実施形態を示す。図１６Ａに示される例では、ＤＳＣ始動ＤＳＡＡＰ登録解除方法１６００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０２１９】
動作ブロック１６０２では、ＤＳＣ  １４４は、ＤＳＡ動作を終了する必要があると判断することができる。動作１６０４では、ＤＳＣ  １４４は、ＤＳＣ登録解除メッセージを生成し、ＤＰＣ  １４６に送信することができる。ＤＳＣ  １４４は、メッセージタイプ情報要素（ＩＥ）、メッセージＩＤ  ＩＥ、バックオフタイマＩＥ、及び、動作終了の原因を特定する原因ＩＥのいずれか又は全てを含むＤＳＣ登録解除メッセージを生成するように構成することができる。動作ブロック１６０６では、ＤＰＣ  １４６は、ＤＳＣ登録解除メッセージの受信に応答して、ＤＳＣ  １４４と関連付けられた全ての関連資源を消去すること及び／又はＤＳＣ  １４４を登録解除するための他の同様の動作を実行することができる。
【０２２０】
図１６Ｂは、動作を終了するためのＤＰＣ始動ＤＳＡＡＰ登録解除方法１６５０の一つの実施形態を示す。図１６Ｂに示される例では、ＤＰＣ始動ＤＳＡＡＰ登録解除方法１６５０は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０２２１】
動作ブロック１６５２では、ＤＰＣ  １４６は、ＤＳＣ  １４４とのＤＳＡ動作を終了する必要があると判断することができる。動作１６５４では、ＤＰＣ  １４６は、ＤＳＣ登録解除メッセージを生成し、ＤＳＣ  １４４に送信することができる。ＤＰＣ  １４６は、メッセージタイプ情報要素（ＩＥ）、メッセージＩＤ  ＩＥ、バックオフタイマＩＥ、及び、動作終了の原因（例えば、過負荷、詳細不明であるなど）を特定する原因ＩＥのいずれか又は全てを含むＤＳＣ登録解除メッセージを生成するように構成することができる。動作ブロック１６５６では、ＤＰＣ  １４６は、ＤＳＣ  １４４と関連付けられた全ての関連資源を消去すること及び／又はＤＳＣ  １４４を登録解除するための他の同様の動作を実行することができる。
【０２２２】
動作ブロック１６５８では、ＤＳＣ  １４４は、受信されたＤＳＣ登録解除メッセージに含まれる情報に基づいて様々な登録解除失敗に対する応答動作を実行することができる。例えば、ＤＳＣ  １４４は、ＤＳＣ登録解除メッセージの原因ＩＥの値が「過負荷」に設定されている際は、少なくとも受信されたＤＳＣ登録解除メッセージに含まれるバックオフタイマＩＥで示される時間の間に同じＤＰＣ  １４６への登録を再度試みることがないように構成することができる。
【０２２３】
図１７Ａは、一つの実施形態によるエラーを報告するためのＤＳＣ始動ＤＳＡＡＰエラー表示方法１７００を示す。図１７Ａに示される例では、方法１７００は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０２２４】
動作ブロック１７０２では、ＤＳＣ  １４４は、エラー又はエラー状態（例えば、プロトコルエラーなど）を検出することができる。動作１７０４では、ＤＳＣ  １４４は、エラー表示メッセージを生成し、ＤＰＣ  １４６に送信することができる。ＤＳＣ  １４４は、メッセージタイプ情報要素（ＩＥ）、メッセージＩＤ  ＩＥ、原因ＩＥ及び臨界診断ＩＥのいずれか又は全てを含むエラー表示メッセージを生成するように構成することができる。原因ＩＥは、エラーの原因又はタイプ（例えば、転送構文エラー、抽象構文エラー、論理エラーなど）の特定における使用に適した情報を含み得る。臨界診断ＩＥは、手順コードＩＥ、トリガメッセージＩＥ及び手順臨界ＩＥを含み得る。動作ブロック１７０６では、ＤＳＣ  １４４及び／又はＤＰＣ  １４６は、受信されたエラー表示メッセージに含まれる検出されたエラー又は情報に基づいて様々なエラーに対する応答動作を実行することができる。エラー検出及び応答動作については、以下でさらに詳細に論じる。
【０２２５】
図１７Ｂは、別の実施形態によるエラーを報告するためのＤＰＣ始動ＤＳＡＡＰエラー表示方法１７５０の一つの実施形態を示す。図１７Ｂに示される例では、方法１７５０は、ＤＰＣ  １４６コンポーネント及びＤＳＣ  １４４コンポーネントの処理コアによって実行され、それらの各々は、全て又は一定の部分のＤＳＡＡＰモジュール／コンポーネントを含み得る。
【０２２６】
動作ブロック１７５２では、ＤＰＣ  １４６は、エラー状態を検出することができる。動作１７５４では、ＤＰＣ  １４６は、エラー表示メッセージを生成し、ＤＳＣ  １４４に送信することができる。ＤＰＣ  １４６は、エラーの原因を特定する原因情報要素（ＩＥ）を含むエラー表示メッセージを生成するように構成することができる。動作ブロック１７５６では、ＤＳＣ  １４４及び／又はＤＰＣ  １４６は、受信されたエラー表示メッセージに含まれる情報に基づいて様々なエラーに対する応答動作を実行することができる。
【０２２７】
上記で言及されるように、ＤＳＣ  １４４及びＤＰＣ  １４６は、エラー又は失敗状態の検出に応答して、様々なエラーに対する応答又は失敗に対する応答動作を実行するように構成することができる。これらの動作の一部として、ＤＳＣ  １４４及び／又はＤＰＣ  １４６は、エラー／失敗状態のタイプ又は原因を特定し、特定されたタイプ又は原因に基づいてそれらの応答を調整することができる。例えば、ＤＳＣ  １４４及び／又はＤＰＣ  １４６は、検出されたエラーがプロトコルエラーかどうかを判断し、それらの応答を相応に調整するように構成することができる。
【０２２８】
プロトコルエラーは、転送構文エラー、抽象構文エラー及び論理エラーを含む。転送構文エラーは、受信側の機能ＤＳＡＡＰ実体（例えば、ＤＳＣ、ＤＰＣなど）が受信した物理的なメッセージを復号できない際に起こり得る。例えば、転送構文エラーは、受信メッセージのＡＳＮ．１情報の復号の間に検出することができる。一つの実施形態では、ＤＳＣ  １４４及びＤＰＣ  １４６コンポーネントは、検出されたエラーが転送構文エラーであるという判断に応答して、ＤＳＡＡＰメッセージを再伝送又は再要求する（例えば、エラーに対する応答動作の一部として）ように構成することができる。
【０２２９】
抽象構文エラーは、受信側の機能ＤＳＡＡＰ実体（例えば、ＤＳＣ、ＤＰＣなど）が把握又は理解できない情報要素（ＩＥ）又はＩＥグループ（すなわち、未知のＩＥ  ＩＤ）を受信した際に起こり得る。また、抽象構文エラーは、実体が論理的な範囲（例えば、コピーの許容数）に違反した情報要素（ＩＥ）を受信した際にも起こり得る。ＤＳＣ  １４４及びＤＰＣ  １４６コンポーネントは、これらのタイプの抽象構文エラー（すなわち、把握できない抽象構文エラー）を検出又は特定し、それに応答して、対応するＤＳＡＡＰメッセージに含まれる臨界情報に基づいてエラーに対する応答動作を実行するように構成することができる。これらの動作及び臨界情報に関する追加の詳細については、以下でさらに提供する。
【０２３０】
また、抽象構文エラーは、受信側の機能ＤＳＡＡＰ実体がＩＥ又はＩＥグループを受信しなかったが、オブジェクトの指定された存在によれば、ＩＥ又はＩＥグループが受信メッセージに存在すべきであった際にも起こり得る。ＤＳＣ  １４４及びＤＰＣ  １４６コンポーネントは、これらの特定のタイプの抽象構文エラー（すなわち、不在のＩＥ又はＩＥグループ）を検出又は特定し、それに応答して、不在のＩＥ／ＩＥグループの臨界情報及び存在情報に基づいてエラーに対する応答動作を実行するように構成することができる。これらの動作、臨界情報及び存在情報に関する追加の詳細については、以下でさらに提供する。
【０２３１】
また、抽象構文エラーは、受信側の実体が、間違った順番の又は同じＩＥもしくはＩＥグループの発生が多過ぎる、そのメッセージの一部であるように定義されるＩＥ又はＩＥグループを受信した際にも起こり得る。それに加えて、抽象構文エラーは、受信側の実体がＩＥ又はＩＥグループを受信したが、関係オブジェクトの条件付きの存在及び指定された条件によれば、ＩＥ又はＩＥグループが受信メッセージに存在すべきではなかった際にも起こり得る。ＤＳＣ  １４４及びＤＰＣ  １４６コンポーネントは、そのような抽象構文エラー（すなわち、間違った順番、多過ぎる発生、誤った存在など）を検出又は特定し、それに応答して、エラーと関連付けられた手順又は方法（例えば、エラーを引き起こした方法）を拒否又は終了するように構成することができる。ＤＳＣ  １４４及びＤＰＣ  １４６コンポーネントは、エラーに対する応答動作の一部として手順／方法を拒否又は終了することができる。
【０２３２】
様々な実施形態では、ＤＳＣ  １４４及びＤＰＣ  １４６コンポーネントは、そのメッセージに対して抽象構文エラーが起こったことを検出、特定又は判断した後に、ＤＳＡＡＰメッセージの復号、読み取り又は処理を続行するように構成することができる。例えば、ＤＳＣ  １４４及びＤＰＣ  １４６コンポーネントは、エラーを含むメッセージの一部分を飛ばして進み、メッセージの他の部分の処理を続行することができる。この続行処理の一部として、ＤＳＣ  １４４及びＤＰＣ  １４６コンポーネントは、追加の抽象構文エラーを検出又は特定することができる。
【０２３３】
一つの実施形態では、ＤＳＣ  １４４及びＤＰＣ  １４６コンポーネントは、検出された各抽象構文エラーに対してならびに／あるいは抽象構文エラーと関連付けられたＩＥ／ＩＥグループの臨界情報及び存在情報に基づいてエラーに対する応答動作を実行するように構成することができる。
【０２３４】
上記で言及されるように、各ＤＳＡＡＰメッセージは、臨界情報、存在情報、範囲情報及び割り当てられた臨界情報を含むこと又はそれらと関連付けることができる。様々な実施形態では、受信側の機能ＤＳＡＡＰ実体（例えば、ＤＳＣ、ＤＰＣなど）は、エラーを検出するか、エラーのタイプを特定するか又は実行すべき特定のエラーに対する応答を特定する際に、そのような情報（例えば、臨界情報、存在情報など）のいずれか又は全てを使用するように構成することができる。すなわち、実体は、臨界情報、存在情報、範囲情報及び／又は割り当てられた臨界情報の値に応じて異なる動作を実行することができる。
【０２３５】
一つの実施形態では、受信側の機能ＤＳＡＡＰ実体（例えば、ＤＳＣ、ＤＰＣなど）は、エラーのタイプを特定する際及び特定されたエラータイプに対して実行すべき特定のエラーに対する応答動作を特定する際に、ＤＳＡＡＰメッセージに含まれる存在情報を使用するように構成することができる。例えば、実体は、存在情報を使用して、情報要素（ＩＥ）の存在がそのメッセージ又は通信に対して任意選択のものであるか、条件付きのものであるか又は義務的なものであるか（例えば、ＲＮＳアプリケーションに関して）どうかを判断することができる。実体は、受信したメッセージが義務的なものである（又は条件が真の場合は条件付きのものである）と判断された１つ又は複数の情報要素を欠如している際に抽象構文エラーが起こったと判断することができる。
【０２３６】
一つの実施形態では、受信側の機能ＤＳＡＡＰ実体（例えば、ＤＳＣ、ＤＰＣなど）は、実行すべき特定のエラーに対する応答動作を特定する際に、臨界情報を使用するように構成することができる。すなわち、各ＤＳＡＡＰメッセージは、そのメッセージに含まれる個々の情報要素（ＩＥ）又はＩＥグループの各々に対する臨界情報を含み得る。各ＩＥ又はＩＥグループに対する臨界情報の値は、「ＩＥを拒否」「ＩＥを無視して送信者に通知」及び「ＩＥを無視」を含み得る。受信側の実体（例えば、ＤＳＣ、ＤＰＣなど）は、この臨界情報を使用して、ＩＥ、ＩＥグループ又はＥＰが把握できないと判断すること、抽象構文エラー（すなわち、把握できない抽象構文エラー）として状態を特定すること、ならびに／あるいは、実行すべきエラーに対する応答動作（例えば、拒否する、無視する、通知するなど）を特定することができる。
【０２３７】
一つの実施形態では、受信側の実体（例えば、ＤＳＣ、ＤＰＣなど）は、その方法／手順の実行の間に受信されたメッセージに含まれる情報要素（ＩＥ）が把握できないという判断、及び、そのＩＥに対する臨界情報のその値が「ＩＥを拒否」に設定されているという判断に応答して、方法／手順を拒否し、ＤＳＡＡＰエラー表示方法（図１７Ａ〜Ｂを参照して上記で論じられる）を開始するように構成することができる。
【０２３８】
例えば、方法／手順（例えば、ＤＳＣ登録要求メッセージなど）を開始するメッセージが受信され、把握できない１つ又は複数のＩＥ／ＩＥグループを含むと判断され、「ＩＥを拒否」とマーク付けされた際は、受信側の実体は、そのメッセージに含まれる機能要求のいずれも実行しないことによって、方法／手順を拒否することができる。また、受信側の実体は、普段は手順の不成功結果の報告に使用されるメッセージを使用して、１つ又は複数のＩＥ／ＩＥグループの拒否について報告することができる。受信された開始メッセージの情報が不十分であり、手順の不成功結果の報告に使用されるメッセージに存在する必要がある全てのＩＥの値の決定に使用できない際は、受信側の実体は、手順を終了し、ＤＳＡＡＰエラー表示方法／手順を開始することができる。
【０２３９】
さらなる例として、不成功結果を報告するためのメッセージを有さない方法／手順を開始するメッセージが受信され、そのメッセージが受信側の実体が把握できない「ＩＥを拒否」とマーク付けされた１つ又は複数のＩＥ／ＩＥグループを含む際は、受信側の実体は、方法／手順を終了し、ＤＳＡＡＰエラー表示方法／手順を開始することができる。
【０２４０】
さらなる別の例として、受信側の実体が把握できない「ＩＥを拒否」とマーク付けされた１つ又は複数のＩＥを含む応答メッセージ（例えば、ＤＳＣ登録応答メッセージなど）が受信された際は、受信側の実体は、方法／手順を終了に失敗したものと見なし、ローカルエラー処理方法を開始することができる。
【０２４１】
一つの実施形態では、受信側の実体（例えば、ＤＳＣ、ＤＰＣなど）は、方法／手順を無視するか又は飛ばして進み、その方法／手順の実行の間に受信されたメッセージに含まれる情報要素（ＩＥ）が把握できないという判断、及び、そのＩＥに対する臨界情報のその値が「ＩＥを無視して送信者に通知」に設定されているという判断に応答してＤＳＡＡＰエラー表示方法（図１７Ａ〜Ｂを参照して上記で論じられる）を開始するように構成することができる。
【０２４２】
例として、受信側の実体が把握できない「ＩＥを無視して送信者に通知」とマーク付けされた１つ又は複数のＩＥ／ＩＥグループを含む、方法／手順を開始するメッセージが受信された際は、受信側の実体は、把握できないＩＥ／ＩＥグループのコンテンツを無視し、把握されたＩＥ／ＩＥグループを使用して、把握できないＩＥ／ＩＥグループが受信されなかったかのように方法／手順を続行し（報告を除いて）、１つ又は複数のＩＥ／ＩＥグループが無視されたことを方法／手順の応答メッセージで報告することができる。開始メッセージで受信された情報が応答メッセージに存在する必要がある全てのＩＥの値の決定に不十分である際は、受信側の実体は、方法／手順を終了し、ＤＳＡＡＰエラー表示方法／手順を開始することができる。
【０２４３】
さらなる例として、受信側の実体が把握できない「ＩＥを無視して送信者に通知」とマーク付けされた１つ又は複数のＩＥ／ＩＥグループを含む方法／手順の結果を報告するためのメッセージを有さない方法／手順を開始するメッセージが受信された際は、受信側の実体は、把握できないＩＥ／ＩＥグループのコンテンツを無視し、理解されたＩＥ／ＩＥグループを使用して、把握できないＩＥ／ＩＥグループが受信されなかったかのように方法／手順を続行し（報告を除いて）、１つ又は複数のＩＥ／ＩＥグループが無視されたことを報告するためにＤＳＡＡＰエラー表示方法／手順を開始することができる。
【０２４４】
さらなる別の例として、受信側の実体が把握できない「ＩＥを無視して送信者に通知」とマーク付けされた１つ又は複数のＩＥ／ＩＥグループを含む応答メッセージが受信された際は、受信側の実体は、把握できないＩＥ／ＩＥグループのコンテンツを無視し、理解されたＩＥ／ＩＥグループを使用して、把握できないＩＥ／ＩＥグループが受信されなかったかのように方法／手順を続行し（報告を除いて）、ＤＳＡＡＰエラー表示方法／手順を開始することができる。
【０２４５】
一つの実施形態では、受信側の実体（例えば、ＤＳＣ、ＤＰＣなど）は、その方法／手順の実行の間に受信されたメッセージに含まれる情報要素（ＩＥ）が把握できないという判断、及び、そのＩＥに対する臨界情報の値が「ＩＥを無視」に設定されているという判断に応答して、方法／手順を無視するか又は飛ばして進むように構成することができる。
【０２４６】
例として、受信側の実体が把握できない「ＩＥを無視」とマーク付けされた１つ又は複数のＩＥ／ＩＥグループを含む方法／手順を開始するメッセージが受信された際は、受信側の実体は、把握できないＩＥ／ＩＥグループのコンテンツを無視し、理解されたＩＥ／ＩＥグループのみを使用して、把握できないＩＥ／ＩＥグループが受信されなかったかのように方法／手順を続行することができる。
【０２４７】
さらなる例として、受信側の実体が把握できない「ＩＥを無視」とマーク付けされた１つ又は複数のＩＥ／ＩＥグループを含む応答メッセージが受信された際は、受信側の実体は、把握できないＩＥ／ＩＥグループのコンテンツを無視し、理解されたＩＥ／ＩＥグループを使用して、把握できないＩＥ／ＩＥグループが受信されなかったかのように方法／手順を続行することができる。
【０２４８】
方法／手順のために定義された応答メッセージを使用して「ＩＥを拒否」又は「ＩＥを無視して送信者に通知」とマーク付けされた把握できないＩＥ／ＩＥグループについて報告する際は、情報要素臨界診断ＩＥは、報告された各ＩＥ／ＩＥグループに対する臨界診断ＩＥに含めることができる。
【０２４９】
一つの実施形態では、受信側の実体（例えば、ＤＳＣ、ＤＰＣなど）は、受信メッセージのあるタイプのメッセージＩＥを復号できないという判断に応答してＤＳＡＡＰエラー表示方法（図１７Ａ〜Ｂを参照して上記で論じられる）を開始するように構成することができる。一つの実施形態では、実体は、メッセージに含まれるＩＥに対する正しい順番を決定する際にコンポーネントによって使用される仕様バージョンで指定されたＩＥのみ考慮するように構成することができる。
【０２５０】
一つの実施形態では、受信側の実体（例えば、ＤＳＣ、ＤＰＣなど）は、レシーバによって使用される現在の文書のバージョンで指定された受信メッセージの不在のＩＥ／ＩＥグループに対する臨界情報に従って不在のＩＥ／ＩＥグループを処理するように構成することができる。
【０２５１】
例として、受信側の実体（例えば、ＤＳＣ、ＤＰＣなど）は、受信メッセージが指定された臨界「ＩＥを拒否」を有する１つ又は複数のＩＥ／ＩＥグループを欠如しているという判断に応答して、受信された開始メッセージの機能要求のいずれも実行しないように構成することができる。受信側の実体は、方法／手順を拒否し、普段は方法／手順の不成功結果の報告に使用されるメッセージを使用して、不在のＩＥ／ＩＥグループについて報告することができる。開始メッセージで受信された情報が方法／手順の不成功結果の報告に使用されるメッセージに存在する必要がある全てのＩＥの値の決定に不十分であると判断された際は、受信側の実体は、方法／手順を終了し、ＤＳＡＡＰエラー表示方法／手順を開始することができる。
【０２５２】
さらなる例として、不成功結果を報告するためのメッセージを有さない方法／手順を開始する受信メッセージが指定された臨界「ＩＥを拒否」を有する１つ又は複数のＩＥ／ＩＥグループを欠如している際は、受信側の実体は、方法／手順を終了し、ＤＳＡＡＰエラー表示方法／手順を開始することができる。
【０２５３】
さらなる別の例として、受信された応答メッセージが指定された臨界「ＩＥを拒否」を有する１つ又は複数のＩＥ／ＩＥグループを欠如している際は、受信側の実体は、方法／手順を終了に失敗したものと見なし、ローカルエラー処理方法／手順を開始することができる。
【０２５４】
別の例として、方法／手順を開始する受信メッセージが指定された臨界「ＩＥを無視して送信者に通知」を有する１つ又は複数のＩＥ／ＩＥグループを欠如している際は、受信側の実体は、それらのＩＥを欠如していることを無視し、メッセージに存在する他のＩＥ／ＩＥグループに基づいて方法／手順を続行し、１つ又は複数のＩＥ／ＩＥグループを欠如していたことを方法／手順の応答メッセージで報告することができる。開始メッセージで受信された情報が応答メッセージに存在する必要がある全てのＩＥの値の決定に不十分である際は、受信側の実体は、方法／手順を終了し、ＤＳＡＡＰエラー表示方法／手順を開始することができる。
【０２５５】
別の例として、方法／手順の結果を報告するためのメッセージを有さない方法／手順を開始する受信メッセージが指定された臨界「ＩＥを無視して送信者に通知」を有する１つ又は複数のＩＥ／ＩＥグループを欠如している際は、受信側の実体は、それらのＩＥを欠如していることを無視し、メッセージに存在する他のＩＥ／ＩＥグループに基づいて方法／手順を続行し、１つ又は複数のＩＥ／ＩＥグループを欠如していたことを報告するためにＤＳＡＡＰエラー表示方法／手順を開始することができる。
【０２５６】
別の例として、受信メッセージ受信された応答メッセージが指定された臨界「ＩＥを無視して送信者に通知」を有する１つ又は複数のＩＥ／ＩＥグループを欠如している際は、受信側の実体は、それらのＩＥを欠如していることを無視し、メッセージに存在する他のＩＥ／ＩＥグループに基づいて方法／手順を続行し、１つ又は複数のＩＥ／ＩＥグループを欠如していたことを報告するためにＤＳＡＡＰエラー表示方法／手順を開始することができる。
【０２５７】
別の例として、方法／手順を開始する受信メッセージが指定された臨界「ＩＥを無視」を有する１つ又は複数のＩＥ／ＩＥグループを欠如している際は、受信側の実体は、それらのＩＥを欠如していることを無視し、メッセージに存在する他のＩＥ／ＩＥグループに基づいて方法／手順を続行することができる。
【０２５８】
別の例として、受信された応答メッセージが指定された臨界「ＩＥを無視」を有する１つ又は複数のＩＥ／ＩＥグループを欠如している際は、受信側の実体は、それらのＩＥ／ＩＥグループを欠如していることを無視し、メッセージに存在する他のＩＥ／ＩＥグループに基づいて方法／手順を続行することができる。
【０２５９】
受信側の実体（例えば、ＤＳＣ、ＤＰＣなど）は、様々な方法で、間違った順番で受信されるか、多過ぎる発生を含むか又は誤って存在する（すなわち、条件が満たされない際に「条件付き」として含まれるか又はマーク付けされる）ＩＥ又はＩＥグループを含むメッセージに応答するように構成することができる。例えば、受信側の実体（例えば、ＤＳＣ、ＤＰＣなど）は、受信メッセージが間違った順番のＩＥもしくはＩＥグループを含むか、発生が多過ぎるＩＥを含むか又は誤って存在するＩＥを含むという判断に応答して、受信された開始メッセージの機能要求のいずれも実行しないように構成することができる。受信側の実体は、方法／手順を拒否し、普段は方法／手順の不成功結果の報告に使用されるメッセージを使用して、原因値「抽象構文エラー（偽って構築されたメッセージ）」について報告することができる。開始メッセージで受信された情報が方法／手順の不成功結果の報告に使用されるメッセージに存在する必要がある全てのＩＥの値の決定に不十分である際は、受信側の実体は、方法／手順を終了し、ＤＳＡＡＰエラー表示方法／手順を開始することができる。
【０２６０】
別の例として、間違った順番の、発生が多過ぎる又は誤って存在するＩＥ又はＩＥグループを含む、不成功結果を報告するためのメッセージを有さない方法／手順を開始するメッセージが受信された際は、受信側の実体は、方法／手順を終了し、原因値「抽象構文エラー（偽って構築されたメッセージ）」を使用してＤＳＡＡＰエラー表示方法／手順を開始することができる。
【０２６１】
別の例として、間違った順番の、発生が多過ぎる又は誤って存在するＩＥ又はＩＥグループを含む応答メッセージが受信された際は、受信側の実体は、方法／手順を終了に失敗したものと見なし、ローカルエラー処理を開始することができる。
【０２６２】
上記で言及されるように、プロトコルエラーは、転送構文エラー、抽象構文エラー及び論理エラーを含む。論理エラーは、メッセージが正しく把握されたが、メッセージ内に含まれる情報が有効ではない（すなわち、意味エラー）か又は受信側の実体の状態との互換性がない方法／手順について説明する際に起こる。
【０２６３】
一つの実施形態では、受信側の実体（例えば、ＤＳＣ、ＤＰＣなど）は、論理エラーの決定／検出に応答して、方法／手順のクラスに基づいて及び誤った値を含むＩＥ／ＩＥグループの臨界情報に関係なく、エラーに対する応答動作を実行するように構成することができる。
【０２６４】
例えば、クラス１の方法／手順の要求メッセージで論理エラーが検出され、方法／手順がこの不成功結果について報告するためのメッセージを有する際は、このメッセージは、「意味エラー」又は「レシーバ状態との互換性がないメッセージ」などの適切な原因値（すなわち、原因ＩＥの）と共に送信することができる。クラス１の方法／手順の要求メッセージで論理エラーが検出され、方法／手順がこの不成功結果について報告するためのメッセージを有さない際は、方法／手順を終了し、適切な原因値でＤＳＡＡＰエラー表示方法／手順を開始することができる。論理エラーがクラス１の手順の応答メッセージに存在する場合は、手順を終了に失敗したものと見なし、ローカルエラー処理を開始することができる。
【０２６５】
クラス２の手順のメッセージで論理エラーが検出された際は、手順を終了し、適切な原因値でＤＳＡＡＰエラー表示手順を開始することができる。
【０２６６】
様々な実施形態では、受信側の実体（例えば、ＤＳＣ、ＤＰＣなど）は、エラー表示メッセージでプロトコルエラーが検出された際には、ローカルエラー処理方法／手順（ＤＳＡＡＰエラー表示方法／手順とは対照的に）を実行するように構成することができる。応答メッセージ又はエラー表示メッセージを返送する必要があるが、そのメッセージのレシーバの決定に必要な情報を欠如している場合は、手順を終了に失敗したものと見なし、ローカルエラー処理を開始することができる。手順を終了するエラーが起こった際には、返された原因値は、臨界「無視して通知」を有する１つ又は複数の抽象構文エラーが同じ手順内で以前に起こった場合でさえ、手順の終了を引き起こしたエラーを反映することができる。
【０２６７】
一つの実施形態では、ＤＰＣ  １４６コンポーネントは、資源の割り当て／貸し出し、リース資源の使用をモニタし、リース資源の使用に対して口座への請求を自動的に行うように構成することができる。一つの実施形態では、このことは、ＰＣＲＦ  １３４コンポーネントにおいて入札特有の閉鎖された加入者グループ識別子に基づく（すなわち、ＣＳＧ−ＩＤに基づく）請求規則を生成／インストールすることによって実現することができる。ＣＳＧ−ＩＤに基づく請求規則を生成し施行することにより、様々な実施形態において貸主ネットワークは、対応する借主ネットワークによって落札／購入された資源入札に基づいて、ネットワーク資源のアクセス及び使用に対して別様に各借主ワイヤレスデバイスに請求することができる。
【０２６８】
図１８Ａ及び１８Ｂは、様々な実施形態による、ＣＳＧ−ＩＤベースの請求規則を生成／インストールするための例示的なＤＳＡ資源割り当て方法１８００、１８５０を示す。方法１８００、１８５０は、借主ＤＳＣ  １４４ａ、ＤＰＣ  １４６、貸主ＤＳＣ  １４４ｂ、ＰＣＲＦ  １３４及び／又はＰＣＥＦ  １２８の処理コアによって実行することができる。図１８Ａ及び１８Ｂに示される例では、ＰＣＲＦ  １３４コンポーネントは、貸主ネットワーク及び借主ネットワークにそれぞれ含まれる。
【０２６９】
図１８Ａを参照すると、動作１８０２では、ＤＰＣ  １４６は、借主ネットワークが資源の購入に成功したこと又は資源に対するオークションで落札したことを示すため、買い受諾メッセージ（例えば、ＤＳＣ買い受諾）又は落札メッセージ（例えば、ＤＳＣ落札）を借主ＤＳＣ  １４４ａに送信することができる。動作１８０４では、ＤＰＣ  １４６は、その割り当てられた資源／入札のうちの１つ又は複数が借主ＤＳＣ  １４４ａによって購入されたか又は落札されたことを貸主ネットワークに通知するため、買い成功メッセージ又は落札成功（例えば、ＤＳＣ落札成功）メッセージを生成し、貸主ＤＳＣ  １４４ｂに送信することができる。ＤＰＣ  １４６は、ＤＳＣ  １４４ａを含むネットワークのＰＬＭＮ  ＩＤなどの借主ＤＳＣ  １４４ａの特定に適した情報を含む買い／落札成功メッセージを生成するように構成することができる。落札した借主ＤＳＣ  １４４ａは、従って、そのネットワーク機器（例えば、ワイヤレスデバイス）が資源の使用を開始する及び／又は使用のために資源を利用可能にするスケジューリングを行う前に、ＤＰＣ  １４６からの「資源割り当て済み」メッセージ（例えば、ＤＳＣ資源割り当て済み）の受信を待つことができる。
【０２７０】
動作ブロック１８０６では、貸主ＤＳＣ  １４４ｂは、その貸主ネットワークにおける借主ワイヤレスデバイスのモビリティー管理のための入札特有の閉鎖された加入者グループ（ＣＳＧ）識別子（ＣＳＧ−ＩＤ）を生成することができる。貸主ＤＳＣ  １４４ｂは、請求用のフィルタとして使用できる／ワイヤレスデバイスを分類できるように及び／又は特定の資源入札、資源、もしくは入札エリアに関する全てのワイヤレスデバイスを選択するために使用できるように、ＣＳＧ−ＩＤを生成することができる。動作１８０８では、貸主ＤＳＣ  １４４ｂは、ＰＣＲＦ  １３４でＣＳＧ−ＩＤベースの請求規則をインストールするため、ＣＳＧ−ＩＤをＰＣＲＦ  １３４に送信することができる。
【０２７１】
動作ブロック１８１０では、ＰＣＲＦ  １３４は、貸主ＤＳＣ  １４４ｂからＣＳＧ−ＩＤ及び関連情報を受信し、この情報を使用してＣＳＧ−ＩＤベースの請求規則を生成することができる。動作１８１２では、ＰＣＲＦ  １３４は、実施のためにＣＳＧ−ＩＤベースの請求規則をＰＣＥＦ  １２８に送信することができる。動作ブロック１８１８では、ＰＣＥＦ  １２８コンポーネントは、ＣＳＧ−ＩＤベースの請求規則の実施を開始することができる。
【０２７２】
動作１８１４では、貸主ＤＳＣ  １４４ｂは、借主ネットワークのコンポーネントによるアクセス及び使用のための資源の割り当て／委任を行うため、「資源割り当て済み」メッセージ（例えば、ＤＳＣ資源割り当て済み）を生成し、ＤＰＣ  １４６に送信することができる。貸主ＤＳＣ  １４４ｂは、入札ＩＤ、ＰＬＭＮ−ＩＤグリッドＩＤセルＩＤリスト、ＰＬＭＮ  ＩＤ、グリッドＩＤ、セルＩＤリスト及び様々なオークション／資源詳細（例えば、帯域幅、ＭＢＰＳ、時間など）のいずれか又は全てを含む「資源割り当て済み」メッセージを生成するように構成することができる。動作１８１６では、ＤＰＣ  １４６は、「資源割り当て済み」メッセージを借主ＤＳＣ  １４４ａに送信することができる。動作ブロック１８１８では、ＰＣＥＦ  １２８コンポーネントは、ＣＳＧ−ＩＤベースの請求規則の実施を開始することができる。
【０２７３】
図１８Ｂは、借主ネットワークにＰＣＲＦ  １３４が含まれるシステムにおける資源の割り当てのためのＤＳＡ方法１８５０の一つの実施形態を示す。具体的には、図１８Ｂに示される例では、借主ＤＳＣ  １４４ａ、ＤＰＣ  １４６及び貸主ＤＳＣ  １４４ｂは、上記で論じられる動作１８０２、１８０４、１８０６、１８１４、１８１６を実行する。動作１８５２では、借主ＤＳＣ  １４４ａは、ＣＳＧ−ＩＤベースの請求規則をＰＣＲＦ  １３４にインストールするため、ＣＳＧ−ＩＤをＰＣＲＦ  １３４に送信することができる。動作ブロック１８５４では、ＰＣＲＦ  １３４は、借主ＤＳＣ  １４４ａから受信した情報に基づいてＣＳＧ−ＩＤベースの請求規則を生成することができる。動作１８５６では、ＰＣＲＦ  １３４は、実施のためにＣＳＧ−ＩＤベースの請求規則をＰＣＥＦ  １２８に送信することができる。動作ブロック１８５８では、ＰＣＥＦ  １２８コンポーネントは、ＣＳＧ−ＩＤベースの請求規則の実施を開始することができる。
【０２７４】
方法１８００及び１８５０は、貸主ネットワークが、第１のワイヤレスデバイスによる資源の使用に第１の価格を請求し、第２のワイヤレスデバイスによる資源の使用に第２の価格を請求できるようにする。すなわち、ＣＳＧ−ＩＤベースの請求規則により、貸主ネットワークは、落札／購入された資源入札に基づいてネットワーク資源のアクセス及び使用について別様に各借主ワイヤレスデバイスに請求することができる。
【０２７５】
一つの実施形態では、ＤＳＡコンポーネント（例えば、ＤＰＣ  １４６、ＤＳＣ１４４など）は、ワイヤレスデバイス１０２が、そのホームネットワークの資源、別のネットワークによって割り当てられた資源及び並置された資源などの利用可能な資源に対して移動する過程において、ワイヤレスデバイス１０２の取り扱い（例えば、ハンドオフ、ハンドイン、バックオフなど）をより良く管理し、調整するためにモビリティー管理動作を実行するように構成することができる。モビリティー管理動作を実行することは、ワイヤレスデバイス１０２の場所を決定するためにＤＳＣ  １４４及び／又はＤＰＣ  １４６コンポーネントがワイヤレスデバイス１０２、ｅＮｏｄｅ  １１２、ＭＭＥ  １３０及び／又はＨＳＳ  １３２と通信することを含み得る。様々な実施形態では、そのような通信は、ＤＳＡＡＰコンポーネントを介して、ＤＳＡＡＰプロトコルを使用することにより、且つ／又はＤＳＡＡＰメッセージを介して達成し得る。
【０２７６】
図１９Ａ〜１９Ｄは、様々な実施形態による、ワイヤレスデバイス１０２の場所をモニタするための様々な方法を示す。図１９Ａ〜１９Ｄに示される方法は、ワイヤレスデバイス１０２、ｅＮｏｄｅＢ  １１６、ＭＭＥ  １１３０、ＨＳＳ  １３２及び／又はＤＳＣ  １４４の処理コアによって実行することができる。
【０２７７】
図１９Ａは、ワイヤレスデバイス１０２がｅＮｏｄｅＢ  １１６に取り付けられる際のワイヤレスデバイス１０２の場所情報を追加又は更新する方法１９００を示す。動作１９０２では、ｅＮｏｄｅＢ  １１６は、新しいワイヤレスデバイス１０２が取り付け手順を開始したこと及び／又はｅＮｏｄｅＢ  １１６への取り付けに成功したことを示すため、「取り付け完了」メッセージをＭＭＥ  １３０に送信することができる。動作１９０４では、ＭＭＥ  １３０は、ワイヤレスデバイス情報の追加又は変更の要求をＤＳＣ  １４４に送信することができる。動作ブロック１９０６では、ＤＳＣ  １４４は、要求メッセージを受信し、受信された要求メッセージに含まれる情報を使用してワイヤレスデバイス１０２の場所情報及び／又はデータベース記録の追加又は更新を行うことができる。次いで、ＤＳＣ  １４４は、この場所情報を使用して、その電気通信資源をより良く割り当てるか又は使用することができる（例えば、ハンドオーバに対する対象ｅＮｏｄｅＢをより良く選択することなどによって）。例えば、ＤＳＣ  １４４は、場所情報を使用して、ワイヤレスデバイスが地理的境界（例えば、入札エリア）内部にあるか、境界上にあるか、それとも外部にあるかを判断し、地理的境界に対するそれらの場所（例えば、境界内部、境界上、境界外部など）に基づいてハンドインするワイヤレスデバイスを選択し得る。
【０２７８】
図１９Ｂは、デバイス又はｅＮｏｄｅＢ始動取り外し手順に応答してワイヤレスデバイス１０２の場所情報を更新／削除する方法１９２０を示す。動作１９２２では、ワイヤレスデバイス１０２は、直接又はｅＮｏｄｅＢ  １１６を介して、取り外し要求メッセージをＭＭＥ  １３０に送信することができる。別の実施形態では、ｅＮｏｄｅＢ  １１６は、ワイヤレスデバイス１０２が取り外し手順を開始した、通話を終えた、終了された又はそうでなければもはやそのｅＮｏｄｅＢ  １１６に取り付けられていないという判断に応答して、取り外し要求メッセージをＭＭＥ  １３０に送信するように構成することができる。動作１９２４では、ＭＭＥ  １３０は、ワイヤレスデバイス情報を削除するという要求をＤＳＣ  １４４に送信することができる。動作ブロック１９２６では、ＤＳＣ  １４４は、受信された要求メッセージに含まれる情報を使用して、ワイヤレスデバイス１０２の場所記録を更新する／取り除くことができる。例えば、ＤＳＣ  １４４は、ワイヤレスデバイス１０２がもはやネットワーク資源（例えば、ｅＮｏｄｅＢ  １１６）を使用していないことを示すため、ワイヤレスデバイス１０２と関連付けられた場所記録を削除することができる。
【０２７９】
図１９Ｃは、ＭＭＥ始動取り外し手順の検出に応答してワイヤレスデバイス１０２の場所記録を更新／削除する方法１９４０を示す。動作１９４２では、ＭＭＥ  １３０は、ＭＭＥ始動取り外し手順を開始するため、直接又はｅＮｏｄｅＢ  １１６を介して、取り外し要求メッセージをワイヤレスデバイス１０２に送信することができる。動作１９４４では、ＭＭＥ  １３０は、ワイヤレスデバイス情報を削除するという要求をＤＳＣ  １４４に送信することができる。動作ブロック１９４６では、ＤＳＣ  １４４は、要求メッセージ（又は受信された要求メッセージに含まれる情報）を受信及び使用して、ワイヤレスデバイス１０２の場所記録を更新する／取り除くことができる。
【０２８０】
図１９Ｄは、ＨＳＳ始動取り外し手順の検出に応答してワイヤレスデバイス１０２の場所記録を更新／削除する方法を示す。方法１９６０の動作１９６２では、ＨＳＳ  １３２は、ＨＳＳ始動取り外し手順を開始するため、「場所取消」メッセージをＭＭＥ  １３０に送信することができる。動作１９６４では、ＭＭＥ  １３０は、ワイヤレスデバイス情報を削除するという要求をＤＳＣ  １４４に送信することができる。動作ブロック１９６６では、ＤＳＣ  １４４は、要求メッセージを受信し、受信された要求メッセージに含まれる情報を使用して、ワイヤレスデバイス１０２の場所記録を更新するか又は取り除くことができる。
【０２８１】
上記で論じられる方法１９００、１９２０、１９４０、１９６０は、ＤＳＡ決定をより良く且つより多く情報を得たものにするように、ワイヤレスデバイス１０２の場所についてＤＳＣ  １４４に絶えず通知するために使用することができる。すなわち、これらの方法は、ＤＳＣ  １４４がワイヤレスデバイスの最新情報（例えば、場所又はデータベース記録）を格納できるようにする。ＤＳＣ  １４４は、この情報を使用して、ハンドイン及びバックオフ動作（例えば、デバイスのモビリティーのため）に対する候補デバイスを特定することができる。
【０２８２】
さらなる例として、ＤＳＣ  １４４は、ハンドイン手順の候補として、貸主のグリッド境界（借主に対して入札がアクティブな所）に向けて移動していると判断される借主ワイヤレスデバイス１０２を指定することができる。同様に、ＤＳＣ  １４４は、バックオフの候補として（貸主ＤＳＣの視点から）、グリッド境界外へ移動した借主ワイヤレスデバイス１０２を指定することができる。
【０２８３】
それに加えて、ＤＰＣ  １４６及び／又はＤＳＣ  １４４コンポーネントは、借主ワイヤレスデバイスが借主ネットワークと貸主ネットワークとの間を移動する過程において借主ワイヤレスデバイスのモビリティーをさらにサポートするために様々な特別な機能を実行するように構成することができる。これらの特別な機能は、資源グリッドを特定すること、グリッドのバッファゾーンを決定すること、地理的境界又はワイヤレスデバイス移動性の間の境界を見つけること、接続されたワイヤレスデバイスに対するネットワーク間ハンドオーバを実行すること、ワイヤレスデバイスの近辺をモニタすること、ワイヤレスデバイスがアイドル状態であるかどうかを判断すること、混雑状態変化を判断することなどを含み得る。これらの特別な機能は、ハンドイン、ハンドオフ又はバックオフ手順の間のセルの機能停止又はブラックリスト入りに起因する覆域間隙を取り扱うことをさらに含み得る。それに加えて、これらの特別な機能は、オペレータポリシを特定すること、グリッドマップを介してブラックリスト及び動的な変化を決定すること、及び、ハンドイン、ハンドオフ又はバックオフ手順を事前に計画することを含み得る。特別な機能は、移動性ベースの、混雑ベースの、入札ベースの又は有効期限ベースのバックオフ動作を実行することをさらに含み得る。
【０２８４】
一つの実施形態では、ＤＳＡシステムは、ライセンスエリア、地域的エリア、セル／セクタ領域及び／又はサブセクタセル領域などの地理的エリアに基づいて、資源を貸し出すか又は割り当てるように構成することができる。ＤＳＡシステムは、関連する地理的エリアをサブユニットに分割し、これらの地理的サブユニットを特定するグリッドマップデータ構造を生成し、グリッドマップデータ構造を使用して利用可能な資源に関するワイヤレスデバイスの地理的場所に基づいて資源の割り当て、割り当て解除及び再割り当てを行うようにさらに構成することができる。
【０２８５】
図２０は、グリッドマップデータ構造によって表すことができるサブユニット２００２〜２０１２に分割された地理的エリアの図解である。これらのサブユニットは、第１の領域（領域１）２００４と、第２の領域（領域２）２００６とを有するライセンスエリア２００２を含む。第１及び第２の領域２００４、２００６の各々は、１つ又は複数のセルサイトレベル２０１０にさらに分割することができる。各セルサイトレベル２０１０は、１つ又は複数のセクタ又はセルグリッド領域２００８を含み得る。各セクタ又はセルグリッド領域２００８は、１つ又は複数のサブセクタセルグリッド領域２０１２を含み得る。図２０に示される例では、第１の領域２００４は、セルサイトレベル２０１０領域を含み、第２の領域２００６は、セクタ／セルグリッド領域２００８と、サブセクションセルグリッド領域２０１２とを含む。これらのサブユニット２００２〜２０１２の各々は、電気通信資源の全て又は一部分を含むか又は表すことができる。
【０２８６】
ＤＳＡコンポーネント（例えば、ＤＰＣ  １４６、ＤＳＣ  １４４など）は、これらのサブサブユニット２００２〜２０１２を表す情報要素、及び／又はライセンスエリア、領域、セルサイトレベル、セクタ／セルグリッド領域、サブセクタセル領域などに関する資源（例えば、ｅＮｏｄｅＢ  １１６、利用可能な帯域幅、ＲＦスペクトル資源など）の場所を特定する情報要素を含むグリッドマップデータ構造を生成するように構成することができる。ＤＳＡコンポーネントは、グリッドマップデータ構造を使用して、利用可能な資源に関するワイヤレスデバイス１０２の移動及び場所に基づいて資源の割り当て、割り当て解除及び再割り当てをインテリジェントに行うように構成することができる。
【０２８７】
図２１は、グリッドマップデータ構造によって表すことができる論理及び機能要素の図解である。ＤＳＡコンポーネントは、グリッドマップデータ構造を使用して、これらのデバイスが借主ネットワークと貸主ネットワークとの間を移動する過程において借主ワイヤレスデバイスのモビリティーをより良くサポートするために様々な動作を実行するように構成することができる。例えば、ＤＳＡコンポーネントは、一次グリッド及びバッファゾーンを含むグリッドマップデータ構造を生成するように構成することができ、一次グリッド及びバッファゾーンの各々は、セル／セクタ及びそれらの覆域ゾーンの特定に適した情報を含む／格納する情報構造であり得る。次いで、ＤＳＡコンポーネントは、一次グリッド及び／又はバッファゾーンによって特定されたセル／セクタに関するワイヤレスデバイス１０２の場所を使用して、ネットワーク間ハンドオーバ動作を開始する（すなわち、借主ネットワークから貸主ネットワークに（逆もまた同様）デバイスを引き渡す）かどうかを判断することができる。
【０２８８】
図２１を参照すると、一次グリッド境界２２０２は、一次グリッド構造によって表すことができるセルサイト／セクタの覆域エリアを示す。バッファゾーン境界２２０４は、バッファゾーン構造によって表すことができるセルサイト／セクタを示す。
【０２８９】
一次グリッド構造は、セルサイト又はセクタのリスト及びそれらの覆域エリア（例えば、無線周波数覆域エリアなど）を含み得る。このセルのリストは、図２１に示される一次グリッド境界２２０２などの地理的境界を特定又は定義するために使用することができる。地理的境界は、セルの覆域エリアに基づいて定義された任意の多角形形状のエリアなど、いかなる形状又は地理的エリアでもあり得る。各セルは、多数のｅＮｏｄｅＢ  １１６、単一のｅＮｏｄｅＢ  １１６を含み得る。また、各セルは、マクロセルの単一のセクタでもあり得る。
【０２９０】
一次グリッド構造は、一次グリッドセルリストにセルサイト又はセクタのリストを含む／格納することができる。一次グリッドセルリストは、借主セル、貸主セル又はそれらの組合せを含み得る。例えば、一つの実施形態では、一次グリッドセルリストは、借主セルサイトと貸主セルサイトの両方及びそれらのそれぞれの覆域エリアを特定する情報を含み得る。借主及び貸主セルの覆域エリア（一次グリッドセルリストに含まれる）は、完全に重なり合うことも、部分的に重なり合うことも、重なり合わないこともあり得る。また、一次グリッドセルリストは、セルの各々を内部セル又は境界セルとして分類することもできる。例えば、一次グリッドセルリストは、内部セルリスト及び境界セルリストを含むように生成することができる。内部セルは、完全に地理的境界（例えば、一次グリッド境界２２０２）の内側にあるが境界の境界線に隣接しない覆域エリアを有するセルであり得る。境界セルは、境界の境界線に隣接する（又は境界の境界線を越える）覆域エリアを有するセルであり得る。
【０２９１】
バッファゾーン構造は、一次グリッド境界２２０２の外側部分を取り囲む地理的エリアのセルの特定に適した情報を含む／格納する情報構造であり得る。例としてバッファゾーンは、一次グリッドによって特定された地理的境界の外側にあるセル、一次グリッドによって特定されたセルサイト／セクタの覆域エリアの外側にある覆域エリアを有するセル、及び／又は、地理的境界の外側にあり、一次グリッドによって特定されたセルサイト／セクタの覆域エリアと部分的に重なり合う覆域エリアを有するセルのリストを含み得る。さらなる例として、バッファゾーンは、一次グリッドで特定された境界セル／セクタに隣接するセル／セクタの近隣リストを含むが、境界セル又は一次グリッドセルリストに含まれるセルは含まない。
【０２９２】
借主ネットワークと貸主ネットワークの両方の近隣リストは、性能の理由で変更される可能性がある。従って、一次グリッド内のセルの地理的座標（及び／又はセクタの向き）は、バッファゾーンの近隣リストを動的に決定するために使用することができる。すなわち、セル／セクタの近隣リストは、貸主及び借主セルサイト／セクタの地理的座標に基づいて、セル／セクタが貸主システムのグリッドの内方向を向いているか又は外方向を向いているかを判断するために使用されるそれらの向きを用いて、決定することができる。借主ネットワークの場合、セル／セクタのセル／セクタの向きは、貸主ネットワークへのハンドインに対する事前選択のための近隣セルを特定するために使用することができる。
【０２９３】
一つの実施形態では、バッファゾーン構造は、複数のゾーン、レベル又は階層を含むように生成することができる。例えば、バッファゾーン構造は、第１の階層セルのリスト及び第２の階層セルのリストを含むように生成することができる。第１の階層セルのリストは、一次グリッドに含まれるセルに隣接する（ただし、グリッドには含まれない）セルを含み得る。第２の階層セルのリストは、第１の階層セルに隣接するセル（ただし、第１の階層セル自体ではない）を含み得る。複数のゾーン／レベル／階層を含むバッファゾーンの生成及び使用については、以下でさらに詳細に論じる。
【０２９４】
各ＤＳＣ  １４４（例えば、借主及び貸主ＤＳＣ）は、一次グリッド、地理的境界、内部セル、境界セル、バッファゾーン、そのネットワークのバッファゾーンの深度を決定、演算及び／又は生成するように構成することができる。ＤＳＣ  １４４は、メッセージの数を低減するため及び／又はハンドオーバドロップ（例えば、ＲＦ伝播特徴に起因する）の確率を低減するため、バッファゾーンのサイズ／深度を決定するように構成することができる。また、ＤＳＣ  １４４は、ネットワーク／デバイスの性能、混雑及び資源消費特徴の均衡を保つため、バッファゾーンのサイズ／深度を決定するように構成することもできる。
【０２９５】
一つの実施形態では、ＤＳＣ  １４４コンポーネントは、その地理的エリアのワイヤレスデバイス１０２のモビリティーに見合った数の階層を含むバッファゾーンを生成するように構成することができる。例えば、ＤＳＣ  １４４コンポーネントは、グリッドの地理的境界が比較的小さい時又は人々（及びそれらのワイヤレスデバイス）が遠い距離をもしくは高速車両で頻繁に移動する地方／大都市エリアに対して、大多数の階層を含むバッファゾーンを生成するように構成することができる。同様に、ＤＳＣ  １４４コンポーネントは、グリッドの地理的境界が比較的広いもしくは大きい時又は人々が通常短い距離を移動する都市エリアに対して、少数のレベル／階層を含むバッファゾーンを生成するように構成することができる。
【０２９６】
上述したように、ＤＳＡコンポーネントは、一次グリッド構造と、バッファゾーン構造とを含むようにグリッドマップデータ構造を生成するように構成し得る。図２２、図２３Ａ、及び図２３Ｂは、一次グリッド構造及びバッファゾーン構造を生成／更新する方法を示す。
【０２９７】
図２２は、一次グリッド構造のセルサイトのリストを生成／更新するための方法２２００の一つの実施形態を示す。方法２２００は、ＤＳＣ  １４４コンポーネントの処理コアで実行することができる。ブロック２２０２では、処理コアは、一次グリッド境界に相当する地理的エリア（例えば、多角形形状のエリア）を特定するＧＰＳ座標などのリースグリッド境界情報を受信することができる。ブロック２２０４では、処理コアは、一次グリッド境界内にあるセルサイト（又はそれらの覆域エリア）を決定することができる。ブロック２２０６では、処理コアは、セルサイトのリストを生成し、決定されたセルサイトを生成されたセルサイトのリストに追加することができる。ブロック２２０８では、処理コアは、生成されたセルサイトのリストから除外用にマーク付けされた及び／又はブラックリスト入りしたセルサイトを取り除くことができる。あるいは、ブロック２２０６及び２２０８では、処理コアは、除外用にマーク付けされた及び／又はブラックリスト入りしたセルサイトを除外するように、セルサイトのリストを生成することができる。
【０２９８】
ブロック２２１０では、処理コアは、生成されたセルサイトのリストに含まれるセルサイトを、一次グリッド構造によって特定されたものと比較することができる。判断ブロック２２１２では、処理コアは、比較の結果を使用して、生成されたセルサイトのリストで特定されたセルサイトと一次グリッド構造によって特定されたものとの間に違いがあるかどうかを判断することができる。違いはないという判断（すなわち、判断ブロック２２１２＝「いいえ」）に応答して、判断ブロック２２１４では、処理コアは、タイマが切れたかどうかを判断することができる。未だタイマが切れていないという判断（すなわち、判断ブロック２２１４＝「いいえ」）に応答して、処理コアは、待つか又は他のタスクを実行し、後の時間に（例えば、他のタスクを実行した後に）再度タイマを再チェックすることができる。タイマが切れたという判断（すなわち、判断ブロック２２１４＝「はい」）に応答して、処理コアは、ブロック２２０２〜２２１２の動作を繰り返すことができる。
【０２９９】
生成されたセルサイトのリストで特定されたセルサイトと一次グリッド構造によって特定されたものとの間に違いがあるという判断（すなわち、判断ブロック２２１２＝「はい」）に応答して、ブロック２２１６では、処理コアは、一次グリッド境界からある一定の距離（例えば、距離ｘ）内にあり、その境界の方向を向いている境界セルサイトを特定することができる。ブロック２２１８では、処理コアは、生成されたセルサイトのリストのセルサイトを境界又は内部セルサイトとして分類することができる。ブロック２２２０では、処理コアは、境界及び内部セルサイトを含むように一次グリッド構造のセルサイトのリストを追加又は更新することができる。
【０３００】
図２３Ａ及び２３Ｂは、バッファゾーン構造に含めるためのセルサイトを選択することによってバッファゾーンを決定するための方法２３００、２３２０の一つの実施形態を示す。それに加えて、図２３Ａ及び２３Ｂは、ＤＳＣが借主ネットワークにあるか又は貸主ネットワークにあるかに応じて、バッファゾーンを異なる形で決定することができることを示す。この理由は、借主バッファセルは貸主ネットワークへの優美なハンドインプロセスを促進するように選択することができ、貸主バッファセルは借主ネットワークへのバックオフを促進するように選択することができるためである。従って、方法２３００及び２３２０は、一次グリッド境界の周りのワイヤレスデバイス移動性の可変性に対処する。
【０３０１】
図２３Ａを参照すると、ブロック２３０２では、処理コアは、境界セルサイトに隣接する近隣セルサイトを特定することができる。ブロック２３０４では、処理コアは、特定された近隣セルサイトが境界サイトである及び／又は一次グリッド構造のセルサイトのリスト（すなわち、一次グリッドセルサイトリスト）に含まれるセルサイトであるかどうかを判断することができる。ブロック２３０６では、処理コアは、特定された近隣セルサイトを含むように、第１の階層サイトのリストを生成することができる。処理コアは、境界サイトであると判断されたセルサイト及び一次グリッドセルサイトリストに含まれるセルサイトを除外するように、第１の階層サイトのリストを生成することができる。
【０３０２】
判断ブロック２３０８では、処理コアは、ネットワークオペレータポリシ又はワイヤレスデバイス１０２のモビリティーを評価するなどによって、複数のバッファレベルが要求される又は必要とされるかどうかを判断することができる。複数のバッファレベルが要求されない又は必要とされないという判断（すなわち、判断ブロック２３０８＝「いいえ」）に応答して、ブロック２３１０では、処理コアは、第１の階層サイトを含むようにバッファゾーン構造のセルサイトのリストを追加又は更新することができる。
【０３０３】
複数のバッファレベルが要求される又は必要とされるという判断（すなわち、判断ブロック２３０８＝「はい」）に応答して、ブロック２３１２では、処理コアは、第１の階層セルサイトに隣接するセルサイトを特定することができる。ブロック２３１２では、処理コアは、第１の階層セルサイトであるサイト、境界サイトであるサイト及び一次グリッドセルサイトリストに含まれるサイトを除いて、これらの特定された近隣セルサイトを含むように、第２の階層サイトのリストを生成することができる。ブロック２３１４では、処理コアは、第１の階層サイト及び第２の階層サイトを含むように、バッファゾーン構造のセルサイトのリストを更新することができる。上記の例は２つのレベル／階層について論じているが、任意の数のレベル／階層をサポートするように方法２３００を実行できることを理解すべきである。
【０３０４】
図２３Ｂは、バッファゾーン構造のセルサイトのリストを生成又は更新するための方法２３２０の別の実施形態を示す。方法２３２０は、貸主ＤＳＣ  １４４コンポーネントの処理コアで実行することができる。上記で論じられる方法２３００と同様に、ブロック２３０２では、処理コアは、境界セルサイトに隣接するセルサイトを特定することができ、ブロック２３０４では、処理コアは、特定された近隣セルサイトが境界サイト及び／又は一次グリッド構造のセルサイトのリストに含まれるセルサイトであるかどうかを判断することができる。
【０３０５】
ブロック２３２２では、処理コアは、境界サイトであると判断されたセルサイト及び一次グリッド構造のセルサイトのリストに含まれないセルサイトを除いて、特定された近隣セルサイトを第１の階層サイトのリストに追加することができる。判断ブロック２３０８では、処理コアは、複数のバッファレベルが要求される又は必要とされるかどうかを判断することができる。複数のバッファレベルが要求されない又は必要とされないという判断（すなわち、判断ブロック２３０８＝「いいえ」）に応答して、ブロック２３１０では、処理コアは、第１の階層サイトを含むようにバッファゾーン構造のセルサイトのリストを追加又は更新することができる。複数のバッファレベルが要求される又は必要とされるという判断（すなわち、判断ブロック２３０８＝「はい」）に応答して、ブロック２３１２では、処理コアは、第１の階層セルサイトに隣接するセルサイトを特定することができる。
【０３０６】
ブロック２３２４では、処理コアは、第１の階層セルサイト、境界サイト又はセルサイトのリストに含まれていないサイトを除いて、特定された近隣セルサイトを第２の階層サイトのリストに追加することができる。ブロック２３１４では、処理コアは、第１の階層サイト及び第２の階層サイトを含むように、バッファゾーン構造のセルサイトのリストを更新することができる。
【０３０７】
一つの実施形態では、ＤＳＣ  １４４は、セルサイトが保守のために取り除かれる際又は停止していたセクタを作動させる際など、グリッドの変化を記述するため、内部、境界及びバッファゾーンセルの特定を定期的に再評価するように構成することができる。
【０３０８】
様々な実施形態では、ＤＳＡコンポーネントは、インテリジェントな対象セル選択及びハンドオーバ動作を実行するように構成することができる。すなわち、失敗及びレイテンシを低減するようにハンドオーバ動作を実行することが重要である。また、対象ネットワークのＤＳＣ  １４４がＤＳＣ  １４４のポリシ、混雑レベル、負荷平衡基準などに基づいて対象セルを選べるようにすることも望ましい。しかし、あらゆるネットワーク間Ｓ１ハンドオーバ手順に対象ＤＳＣ  １４４を関与させることは、レイテンシをもたらす及び／又はハンドオーバ失敗を引き起こす可能性がある。
【０３０９】
これらの及び他の制限を克服するため、一つの実施形態では、ｅＮｏｄｅＢ  １１６は、ワイヤレスデバイス１０２から測定レポートを受信し（対象ネットワークのため）、受信した測定レポートを使用して対象セルを選択する及び／又は対象セルへのネットワーク間ハンドオーバ（ハンドイン又はバックオフ）手順を開始するように構成することができる。別の実施形態では、ＤＳＣ  １４４は、安全なピアツーピア接続（入札存続期間の間確立される）を使用して対象セル選択動作を調整するように構成することができる。測定レポートに基づいて及び／又はＤＳＣ調整動作に基づいて対象セルを選択することにより、様々な実施形態では、レイテンシを低減し、性能を改善し、ポリシ、混雑レベル、負荷平衡基準などに基づく対象セル選択が可能となる。
【０３１０】
一つの実施形態では、ＤＳＣ  １４４コンポーネントは、そのネットワークのｅＮｏｄｅＢ  １１４から混雑状態情報を受信し、この混雑状態情報を使用して資源をインテリジェントに割り当て、ｅＮｏｄｅＢのユーザトラフィックを管理し、ハンドオーバに対する対象ｅＮｏｄｅＢを選択し、ｅＮｏｄｅＢに取り付けられたワイヤレスデバイスに提供すべきサービス品質（ＱｏＳ）レベルを決定し、ならびに／あるいは、様々なネットワークによる資源の割り当て及び使用をインテリジェントに管理するために他の同様の動作を実行するように構成することができる。混雑状態情報は、ｅＮｏｄｅＢの現在の混雑状態（例えば、正常な、小規模な、大規模な、危険ななど）を特定することができる。各混雑状態は、混雑レベルと関連付けることができる。例えば、「正常な」混雑状態は、ｅＮｏｄｅＢが正常な負荷の下で動作している（例えば、５０％以下の使用閾値）ことを示し得る。「小規模な」混雑状態は、ネットワークコンポーネントが混雑を経験している及び／又は平均を上回る負荷の下で動作している（例えば、５０％を超える使用閾値）ことを示し得る。「大規模な」混雑状態は、ネットワークコンポーネントがかなりの混雑を経験している及び／又は重い負荷の下で動作している（例えば、７０％を超える使用閾値）ことを示し得る。「危険な」混雑状態は、ネットワークコンポーネントが激しい混雑を経験している、緊急事態を経験している又は極めて重い負荷の下で動作している（例えば、９０％を超える使用閾値）ことを示し得る。
【０３１１】
ＤＳＡコンポーネントは、ｅＮｏｄｅＢ混雑状態が変化するたびに様々な動作を実行するように構成することができる。従って、これらの混雑状態の頻繁な変化は、ＤＳＡシステムの性能に対してかなりの悪影響を有し得る。例として、ｅＮｏｄｅＢ  １１６は、使用レベルが５１％まで増加するたびに「小規模な」混雑状態を入力し、使用レベルが４９％まで降下するたびに「正常な」混雑状態に戻すことができる。これらの状態移行（すなわち、正常から小規模へ、及び、小規模から正常へ）の各々は、大多数の動作又は事象（例えば、ハンドイン、バックオフなどに対する）をトリガし得る。従って、使用レベル５１％〜４９％の頻繁な変動は、ネットワーク及びＤＳＡシステムの性能に対してかなりの悪影響を有し得る。
【０３１２】
同じ２つの状態間の頻繁な変動を回避するため、ＤＳＡコンポーネントは、混雑状態の移行を引き起こすアップ及びダウントリガに対して異なる閾値を適用することによってヒステリシス間隙を追加するように構成することができる。例えば、ｅＮｏｄｅＢ  １１６は、混雑に対するサンプルを平均化し、サンプルがある一定の閾値、遅れ又はヒステリシス値（例えば、１０％）を超えた際に混雑状態間を移行するように構成することができる。
【０３１３】
図２４は、状態変化間の遅れ又はヒステリシス間隙を導入するためにアップ及びダウントリガに異なる閾値を使用できることを示す。Ｙ軸は、ｅＮｏｄｅＢ  １１６における負荷率（例えば、混雑レベル）ならびに混雑状態（小規模な、大規模な及び危険な）に対するアップ及びダウントリガポイントを示す。Ｘ軸は、タイムライン（ｔ）を説明する。左側の曲線２４０２は、負荷の増加（例えば、ｅＮｏｄｅＢにおける混雑の増加レベル）を示す。右側の曲線２４０４は、負荷／混雑の減少を示す。
【０３１４】
また、図２４は、小規模な、大規模な及び危険な混雑状態の各々のアップ及びダウントリガ間の間隙も示す。例えば、小規模な、大規模な及び危険な混雑状態のアップトリガはそれぞれ５０％、７０％及び９０％に設定することができ、小規模な、大規模な及び危険な混雑状態のダウントリガはそれぞれ４０％、６０％及び８０％に設定することができる。これにより、１０％のヒステリシス間隙が構築され、それにより、ＤＳＡシステムは、頻繁な混雑状態変化を回避することができる。ＤＳＡコンポーネントは、頻繁な状態変化を回避するためにアップ及びダウントリガ間のそのようなヒステリシス間隙を使用するように構成することができる。ヒステリシス間隙は、ｅＮｏｄｅＢ  １４４によって設定することができる。このヒステリシス間隙は、ＤＳＣ  １４４によって設定又は上書きすることができる。
【０３１５】
ＤＳＣ  １４４は、ネットワーク全体にわたって同じヒステリシスレベルを実施するためにｅＮｏｄｅＢ  １４４によって設定されたヒステリシス間隙を上書きするように構成することができる。また、ＤＳＣ  １４４は、セルサイト特有のトラフィックモデルに基づいて異なるセルサイトに対するヒステリシス間隙を増加又は減少するように構成することもできる。スタジアムの近くのトラフィック使用レベルは大爆発的に増加／減少する可能性があるため、ＤＳＣ  １４４は、スタジアムを取り囲むエリアへのサービス提供を行うコンポーネントに対して、より大きなヒステリシス間隙（例えば、１５％対１０％）を使用することができる。
【０３１６】
図２５は、ピンポン回避動作の実施形態の実行が有益なグリッド境界（例えば、一次グリッド境界２２０２）の近くに位置するワイヤレスデバイス１０２の図解である。具体的には、図２５は、借主ネットワーク２５０２と貸主ネットワーク２５０４との間でワイヤレスデバイス１０２を移動するため、借主ワイヤレスデバイス１０２が境界を越えて移動するたびに、ＤＳＡシステムがハンドイン及びバックオフ動作を実行できることを示す。ワイヤレスデバイス１０２がグリッド境界を頻繁に越える場合は、そのようなハンドイン及びバックオフ動作の実行は、資源の非効率的な使用であり得る。一つの実施形態では、ＤＳＡコンポーネントは、バッファゾーン構造（例えば、グリッドマップの）を使用してハンドイン又はバックオフ動作を実行するかどうかを判断するように構成することができ、その結果、同じグリッド境界を頻繁に越えるワイヤレスデバイス１０２によって引き起こされるピンポン効果を低減することができる。すなわち、ＤＳＡコンポーネントは、バッファゾーン構造を使用してピンポン回避動作を実行するように構成することができる。
【０３１７】
また、ＤＳＡコンポーネントは、タイマを使用して、ピンポン効果をさらに低減するように構成することもできる。例えば、借主ＤＳＣ  １４４は、時間を使用して、ワイヤレスデバイス１０２がグリッド境界を越えた後「Ｘ」秒（例えば、１〜６００秒）間は同じ借主ワイヤレスデバイス１０２に対するハンドイン動作を開始しないように構成することができる。同様に、貸主ＤＳＣは、タイマを使用して、ワイヤレスデバイス１０２がグリッド境界を越えた後「Ｙ」秒（例えば、１〜６００秒）間は借主ワイヤレスデバイスに対するバックオフ動作を開始しないように構成することができる。
【０３１８】
一つの実施形態では、ＤＳＡコンポーネントは、ネットワーク間のモビリティーに基づいて負荷バランシング動作を実行するように構成することができる。例えば、借主ＤＳＣ  １４４は、そのネットワーク負荷の負荷平衡のためにハンドイン手順を実行するように構成することができる。例えば、貸主ＤＳＣ  １４４は、一次ユーザと二次ユーザの両方によって生成された全負荷に基づいて、ワイヤレスデバイス１０２の負荷平衡を行うことができる。また、貸主ＤＳＣ  １４４は、一次ワイヤレスデバイス１０２と二次ワイヤレスデバイス１０２の両方によって生成される全負荷の平衡を維持しながら、セルの二次ワイヤレスデバイス１０２による資源使用を制限することによって、ワイヤレスデバイス１０２の負荷平衡を行うこともできる。
【０３１９】
図２６は、覆域間隙が、借主セルの覆域エリアの貸主セル／セクタ（リースグリッド内の）からのＲＦ覆域の欠如によって生じ得ることも示す。これらの事例では、借主ワイヤレスデバイスを貸主セル／セクタに引き渡すことを試みることにより、貸主セルに引き渡した直後にハンドオーバ失敗が引き起こされ得る。覆域間隙によって引き起こされたこれらの及び他の条件を克服するため、ＵＥ／ワイヤレスデバイスは、ハンドイン動作を開始する前に、対象ネットワーク（この場合は、貸主ネットワーク）に関する測定レポートを送信するように構成することができる。測定レポートは、ＵＥ／ワイヤレスデバイスによって測定された重なり合った貸主セルの信号強度を含み得る。ＤＳＣ  １４４は、これらの測定レポートを受信及び使用して、ワイヤレスデバイスを引き渡す予定の対象貸主セル／セクタを特定するように構成することができる。
【０３２０】
さらなる実施形態では、システムは、対象ネットワークからのセル／セクタに関する、ワイヤレスデバイスからの２つの連続的な測定レポートを要求するように構成することができる。借主セルは、ワイヤレスデバイスからの第２の測定レポートの受信に応答して及び／又は信号強度レポートに基づいて（例えば、２つの連続的な測定レポートが同じ又はより高いＲＳＲＰ／ＲＳＲＱを有する際）、ハンドイン動作を開始するように構成することができる。
【０３２１】
様々な実施形態では、ＤＳＡコンポーネントは、ハンドインの間の貸主ネットワーク（リースグリッド内）における覆域間隙の取り扱い、ハンドオフの間の貸主ネットワーク（リースグリッド内）における覆域間隙の取り扱い、バックオフの間の借主ネットワーク（リースグリッド内）における覆域間隙の取り扱い、セルの機能停止によって生じる覆域間隙の取り扱い、及び、セルのブラックリスト入りに起因する覆域間隙の取り扱いのための動作を実行するように構成することができる。ＤＳＡコンポーネントは、ハンドイン、ハンドオフ及びバックオフ動作の間、借主ネットワークと貸主ネットワークの両方に対して適用可能であり得る、セルの機能停止及びブラックリスト入りによって生じる覆域間隙に応答するように構成することができる。
【０３２２】
一つの実施形態では、ＤＳＡコンポーネントは、ハンドオフ動作の間に覆域間隙を管理するように構成することができる。一般に、借主ワイヤレスデバイスが貸主ネットワークに引き渡された後は、貸主ネットワーク内のいかなる覆域間隙も、貸主ネットワークのＲＦ計画及びハンドオーバアルゴリズムによって処理されることが予想される。例えば、３ＧＰＰのＳＯＮは、覆域間隙を自動的に見出して対処するために多くの手法を指定する。３ＧＰＰ  ＬＴＥリリース１０及び１１のＳＯＮの覆域及び容量最適化（ＣＣＯ）機能は、アンテナの傾きの修正、アンテナ電力の増加又は減少、ならびに、ワイヤレスデバイス測定及び場所報告機能を取り入れることによるドライブテストの最小化（ｍｉｎｉｍｉｚａｔｉｏｎ  ｏｆ  ｄｒｉｖｅ  ｔｅｓｔｓ）など、覆域間隙に対処するためにＳＯＮ手法のうちのいくつかを説明する。一つの実施形態では、ネットワークは連続的に測定値を収集してパラメータ変更（アンテナの傾き及び電力制御パラメータの変更など）を提案するため、ＤＳＡコンポーネントは、ＣＣＯのこれらの及び他の機能を使用するように構成することができる。
【０３２３】
様々な実施形態では、ＤＳＡコンポーネントは、ワイヤレスデバイスのモビリティーに起因するバックオフ、貸主ネットワークの混雑に起因するバックオフ、入札取消又は入札撤回に起因するバックオフ及び入札終了に起因するバックオフを含むバックオフ動作の間に覆域間隙を管理するように構成することができる。ＤＳＡコンポーネントは、ワイヤレスデバイス測定レポートに基づいて対象セルを選択することによって、ワイヤレスデバイス移動性によって引き起こされたバックオフ動作の間に覆域間隙を管理するように構成することができる。ＤＳＡコンポーネントは、バックオフ動作を強制すること及び／又はハンドオーバ失敗に至らないようにバックオフ動作を素早く実行することによって、貸主ネットワークの混雑によって引き起こされたバックオフ動作の間に覆域間隙を管理するように構成することができる。ＤＳＡコンポーネントは、バックオフ動作を強制することによって又は借主ネットワークからのセクタに関するワイヤレスデバイス測定レポートに基づいて対象セルを選択すること及び２つの連続的な測定レポートが同じ又はより高いＲＳＲＰ／ＲＳＲＱを有することを要求することによって、入札取消又は撤回によって引き起こされたバックオフ動作の間に覆域間隙を管理するように構成することができる。
【０３２４】
ＤＳＡコンポーネントは、入札終了時刻の少し前の借主ネットワーク上の信号強度（ＲＳＲＰ／ＲＳＲＱ）を測定するようにワイヤレスデバイス１０２を準備することによって、入札終了によって引き起こされたバックオフ動作の間に覆域間隙を管理するように構成することができる。
【０３２５】
様々な実施形態では、ＤＳＡコンポーネントは、ハンドイン及びバックオフ動作の間にワイヤレスデバイス選択に対するオペレータポリシを適用するように構成することができる。例えば、借主ＤＳＣ  １４４は、ワイヤレスデバイスのサービスパッケージ（すなわち、アクティブな通話のためにワイヤレスデバイスが使用しているサービス）、そのＤＳＡ適格及び／又はその優先度を使用することができる。これらの３つのパラメータの順番は、ＤＳＣ  １４４において構成可能であり得る。システムは、上記の３つのパラメータの順番を選択することができ、ワイヤレスデバイス１０２は、そのパラメータ順番に従って、ソートされたワイヤレスデバイスリストにソートすることができる。このソートされたワイヤレスデバイスリストは、ハンドインなどのネットワーク間ハンドオーバに使用することができる。
【０３２６】
一つの実施形態では、ＤＳＡコンポーネントは、対象ネットワーク上のそのワイヤレスデバイスの測定レポートに基づいて、ワイヤレスデバイス１０２のネットワーク間ハンドオーバに対する対象セルを選択するように構成することができる。
【０３２７】
様々な実施形態では、ＤＳＡコンポーネントは、ブラックリストを生成して使用するように構成することができる。セルサイトのブラックリスト入りは、ハンドオーバの間のワイヤレスデバイスによる及び近隣セルサイトによる使用に対してネットワークから締め出されたセルサイトをリストアップすることを指す。ブラックリスト入りは、一時的なもの又は長期間のものであり得る。このことは、セルサイト保守に起因して、セルサイトにおける大惨事に起因して又は深刻な性能問題に起因して起こり得る。
【０３２８】
貸主ネットワークオペレータは、何らかの特別な事象又は既知の性能問題に起因してなど、ブラックリストに含まれていないセルを特定することができる。また、ＤＳＣ  １４４は、ネットワーク状態に基づいて、動的にブラックリストに含まれるべきセル／サイトを決定することもできる。例えば、ＤＳＣ  １４４は、現在オフラインであるサイトをブラックリストに追加することができる。また、ＤＳＣ  １４４は、サイトがサービスを再開した際など、ＤＳＡ使用のために一般的なプールに戻すため、ブラックリストからセル／サイトを外すこともできる。
【０３２９】
ブラックリストは、貸主ネットワークと借主ネットワークとの間で伝達することができる。このことは、ＤＰＣ  １４６又は借主ＤＳＣ  １４４と貸主ＤＳＣ  １４４との間で確立された通信トンネル（入札継続時間の間アクティブである）を介して実現することができる。対象セル選択の調整に対しても同じトンネルを使用することができる。借主及び貸主ＤＳＣ  １４４は、ブラックリストを使用して、ブラックリスト入りしたセルによる影響を受けるセル／セクタの近隣のｅＮｏｄｅＢ  １１６に通知することができる。それらのｅＮｏｄｅＢ  １１６は、ハンドイン又はバックオフ動作に対する対象資源を考慮する間、ブラックリスト入りしたセルをパートナネットワークから除外することができる。ブラックリストを使用すること及び２つの（又はそれ以上の）連続的な測定レポートがワイヤレスデバイス１０２から受信されることを保証することにより、ＤＳＡコンポーネントは、ＤＳＡシステムの性能及びユーザ経験に対する覆域間隙の影響をより良く管理することができる。
【０３３０】
異なる事例は、セル／セクタが動作停止するか又はサイレントセルになった際に生じる。ＤＳＣ  １４４はｅＮｏｄｅＢ  １１６に接続することができるため、ＤＳＣ  １４４は、動作停止しつつあるか又はサイレントセルになりつつあるセルを検出することができる。それに加えて、ネットワークオペレータは、セル／セクタの動作状態が変化したことをＤＳＣ  １４４に通知することができる。ＤＳＣ  １４４は、一次グリッド又はバッファゾーン内のセル／セクタに対するブラックリストと動作状態変化の両方を他のＤＳＣ  １４４に伝達することができる。例えば、ＤＳＣ  １４４がセルの動作状態に関する情報を受信した後、ＤＳＣ  １４４は、入札のためのパートナＤＳＣ  １４４にこの情報を伝達することができる。次いで、パートナＤＳＣ  １４４は、他のネットワークのセル／セクタの近隣の全ての関連ｅＮｏｄｅＢ  １１６にセル／セクタ状態を伝達することができる。次いで、ｅＮｏｄｅＢ  １１６は、この情報を使用して、より知的なハンドオーバ決定を行うことができる。
【０３３１】
ワイヤレスデバイス１０２はサイレントセルをその測定レポートに含み得るため、ソースｅＮｏｄｅＢ  １１６は、そのようなセルの存在を検出することができない場合がある。休止セルは、ｅＮｏｄｅＢ  １１６が送信しているが、ハンドインを受諾しないものである。これらの及び他の条件を克服するため、ＤＳＡコンポーネントは、ハンドイン事前計画動作を実行するように構成することができる。
【０３３２】
借主ＤＳＣ  １４４は、入札グリッド内及びその周りのセルに現在取り付けられている、資源割り当てに適格な借主ワイヤレスデバイス１０２を記録するように構成することができる。これは、ハンドインに対する候補ワイヤレスデバイスのリストである。このリストは、ワイヤレスデバイスがこれらのセル／セクタのうちの１つから取り外された場合にワイヤレスデバイスを取り除くように更新し、新しいワイヤレスデバイスがこれらのセルのうちの１つに取り付けられた場合に新しいワイヤレスデバイスをリストに追加することができる。同様に、ＤＳＣ  １４４は、バッファゾーンのセルに現在取り付けられているワイヤレスデバイス１０２のリストを格納することができる。
【０３３３】
入札開始時刻前（例えば、入札開始時刻のＸ分前）には、借主ＤＳＣ  １４４は、貸主のリースグリッド内の借主セルに取り付けられたＤＳＡ適格ワイヤレスデバイス１０２のリストを回収するため、そのネットワークのＭＭＥ  １３０へのクエリを行う。このワイヤレスデバイスのリストは、ハンドイン候補リストに含めることができる。ワイヤレスデバイスがリースグリッド内の借主セルから取り外されるか又はリースグリッド内の借主セルに取り付けられる際は、ＭＭＥ  １３０の通知は、ＤＳＣ  １４４がハンドイン候補リストを更新するようにトリガすることになる。「Ｘ」分は、ハンドインを準備する時間であるが、ワイヤレスデバイスが動き回る過程においてリストは常に変化する。従って、入札開始時刻になると、ＤＳＣ  １４４は、ハンドイン候補リストにあるワイヤレスデバイスに対するハンドイン動作を開始することができる。このリストは、ワイヤレスデバイスのサービスパッケージ、ＤＳＡ適格及び優先度に対して選ばれた順番のオペレータポリシに基づいてソートすることができる。
【０３３４】
ＤＳＣ  １４４は、ハンドイン候補リストへの特定のワイヤレスデバイス１０２の包含に基づいて特定され得る、特定のワイヤレスデバイス１０２に対するハンドイン動作を開始するようにグリッドのｅＮｏｄｅＢ  １１６に要求することができる。ＤＳＣ  １４４は、グリッドの中心からバッファゾーンのエッジに向けて外方向にハンドインを開始するように構成することができる。候補リストで特定された全てのワイヤレスデバイス１０２が移動又は転移した後、ＤＳＣ  １４４は、バッファゾーンのセル／セクタに取り付けられたワイヤレスデバイス１０２に対するハンドイン動作を開始することができる。
【０３３５】
一つの実施形態では、ＤＳＣ  １４４は、ハンドイン候補リストに含まれるワイヤレスデバイス１０２を好むか又はより高い優先度を与えるように構成することができる。例として、バッファゾーンのセル／セクタに取り付けられたワイヤレスデバイス１０２に対するハンドイン動作をＤＳＣ  １４４が実行している間、新しいワイヤレスデバイスをグリッドのセル／セクタに取り付けることができる。従って、これらの新しいワイヤレスデバイスは、ハンドイン候補リストがＤＳＣ  １４４によって処理された後にこのリストに追加することができる。そのような事例では、ＤＳＣ  １４４は、バッファゾーンのセル／セクタに取り付けられたワイヤレスデバイス１０２に対するさらなるハンドインを停止し、ハンドイン候補リストに追加された新しいワイヤレスデバイス１０２に対するハンドイン動作を開始するように構成することができる。
【０３３６】
貸主ｅＮｏｄｅＢ  １１６は、ワイヤレスデバイスの測定レポートに基づいて及び／又はワイヤレスデバイスによって報告された貸主セルの中で最も高いＲＳＲＰ／ＲＳＲＱ値を対象セルが有するという判断に応答して、対象セルを選択するように構成することができる。
【０３３７】
様々な実施形態では、ＤＳＡコンポーネントは、ハンドオフ事前計画動作を実行するように構成することができる。例として、貸主ネットワークは、ワイヤレスデバイス１０２がグリッド境界を出る場合（グリッドマップで特定することができる）にバックオフ動作を素早く開始できるように、借主ワイヤレスデバイス１０２が貸主ネットワークに引き渡された後に、借主ワイヤレスデバイス１２０の場所を厳密に追跡することができる。これは、グリッド境界の外側の貸主ネットワークの無線及びネットワーク資源を保護するためのものである。しかし、貸主資源は、バックオフの間バッファゾーンで未だ使用中である可能性があり（これもまたグリッドマップを介して特定することができる）、それにより、バックオフ動作が遅れるか又はハンドオーバ失敗が生じる可能性がある。ハンドオフ事前計画動作を実行することにより、様々な実施形態は、グリッド境界を出るワイヤレスデバイス１０２を素早く、正確に及び効率的に引き渡せることを保証するため、借主ワイヤレスデバイス１０２のバックオフに備える。
【０３３８】
ハンドオフ事前計画動作の実行は、混雑状態情報及び取り付けられたワイヤレスデバイスリストをＤＳＣ  １４４に送信することによってなど、各ｅＮｏｄｅＢ  １１６がその負荷率についてＤＳＣ  １４４に定期的に報告するように構成されることを含み得る。ＤＳＣ  １４４は、近隣の各ｅＮｏｄｅＢ  １１６又はセル（グリッドマップの近隣セルリストによって特定することができる）にこの情報を送信するように構成することができる。ｅＮｏｄｅＢ  １１４は、ネットワーク内ハンドオーバに対する対象セルを選択する際にこの情報を使用することができる。次いで、ｅＮｏｄｅＢ  １１４は、借主ワイヤレスデバイス１０２を対象貸主ｅＮｏｄｅＢ  １１６に引き渡すかどうか又はワイヤレスデバイスのバックオフに備えるかどうかを判断することができる（ＤＳＣ  １４４の関与なしで）。
【０３３９】
例えば、ｅＮｏｄｅＢ  １１６は、近隣の対象ｅＮｏｄｅＢ  １１６又はセルがリースグリッド内にある（例えば、一次グリッドセルリストに含まれる）という判断に応答して、ハンドオーバ動作を実行するように構成することができる。ｅＮｏｄｅＢ  １１６は、近隣の対象ｅＮｏｄｅＢ  １１６又はセルがバッファゾーンにある（例えば、バッファゾーンセルリストに含まれる）という判断に応答して、バックオフ動作を実行するように構成することができる。ｅＮｏｄｅＢ  １１４がハンドオフに対する対象セルを選択できるようにすることにより、様々な実施形態は、レイテンシを低減し、性能を改善する。
【０３４０】
様々な実施形態では、ＤＳＡコンポーネントは、バックオフ事前計画動作を実行するように構成することができる。バックオフ手順は、ワイヤレスデバイス移動性、混雑、入札取消／撤回及び入札終了を含む多くの理由／事例で開始することができる。ＤＳＡコンポーネントは、これらの事例の各々に特有のバックオフ事前計画動作を実行するように構成することができる。
【０３４１】
一つの実施形態では、ＤＳＡコンポーネントは、ワイヤレスデバイス移動性に起因して開始されるバックオフ動作をより良くサポートするためにバックオフ事前計画動作を実行するように構成することができる。これらの動作の一部として、貸主ＤＳＣ  １４４は、借主ワイヤレスデバイス１０２が一次グリッドのセル／セクタからバッファゾーンのセル／セクタに引き渡される際、そのワイヤレスデバイス１０２をバックオフ候補リストに追加することができる。借主ＤＳＣ  １４４は、バックオフ要求をその対応するｅＮｏｄｅＢ  １１６に送信することによって、バックオフ候補リストにリストアップされるワイヤレスデバイス１０２に対するバックオフ動作を開始することができる。バッファゾーンの貸主ｅＮｏｄｅＢ  １１６は、近隣の借主セル／セクタ情報及び対象ネットワークに関するワイヤレスデバイスの測定レポートを使用して、対象セルを選択し、ハンドオーバ動作を開始することができる。一つの実施形態では、ｅＮｏｄｅＢ  １４４は、対象セルとして最も強いＲＳＲＰ／ＲＳＲＱ値を有するものとしてワイヤレスデバイス測定レポートで特定された借主セルを選択するように構成することができる。
【０３４２】
一つの実施形態では、ＤＳＡコンポーネントは、そのネットワークの混雑に起因してＤＳＣ  １４４によって開始されるバックオフ動作をより良くサポートするためにバックオフ事前計画動作を実行するように構成することができる。これらの動作の一部として、ｅＮｏｄｅＢ  １１４は、近隣の借主セル／セクタのリスト及び各借主ワイヤレスデバイス１０２に対する測定レポートを受信して格納するように構成することができる。一次グリッド及びバッファゾーンのｅＮｏｄｅＢ  １１４は、近隣の借主セル／セクタのリストから対象セルを選択することができる。貸主ｅＮｏｄｅＢ  １１６は、ワイヤレスデバイス１０２からの最も最近の（ここ数百ミリ秒の時間内）測定レポートを使用して、最良の対象セルを選択することができる。ワイヤレスデバイス１０２に対してそのような測定レポートが利用可能でない場合（存在していないか又は測定レポートが構成された時間ウィンドウより古いため）は、貸主ｅＮｏｄｅＢ  １１６は、適切ないかなる対象ｅＮｏｄｅＢ  １１６も近隣の借主セルのリストから選択することができる。
【０３４３】
一つの実施形態では、ＤＳＡコンポーネントは、入札終了に起因して開始されるバックオフ動作をより良くサポートするためにバックオフ事前計画動作を実行するように構成することができる。すなわち、入札終了の頃、ＤＳＣ  １４４は、バックオフに対して選択することができる一次グリッド及びバッファゾーンのセル／セクタに取り付けられた借主ワイヤレスデバイス１０２を選択することができる。バックオフ動作は、グリッド境界からグリッドの中心まで実行することができる。この理由は、グリッド上の境界セルに取り付けられたワイヤレスデバイス１０２が、グリッド外へ移動し、バッファゾーンに入る可能性が高い（５０％の確率で）ためである。
【０３４４】
様々な実施形態では、ＤＳＡコンポーネントは、ワイヤレスデバイスのサービスパッケージ、デバイスのＴＰＡ優先度、グリッド内のワイヤレスデバイスの場所（すなわち、グリッドの境界上又はグリッド内部（及びグリッドが大きなサイズのものである場合はどれくらい内部に位置するか））、グリッドのセル／セクタに未だ取り付けられているワイヤレスデバイスの総数、入札終了までの残りの時間及びバックオフの対象ペーシングレート（ＣＰＵ処理時間を制限するため）を含む様々なパラメータに基づいて、バックオフ動作を実行するように構成することができる。
【０３４５】
一つの実施形態では、ＤＳＡコンポーネントは、ワイヤレスデバイスがアイドル状態であるという判断に応答して、バックオフ動作を実行するように構成することができる。アイドル状態のワイヤレスデバイスは、ＥＣＭアイドル状態にある（すなわち、ＲＲＣ接続なし）デバイスであり得る。また、借主ワイヤレスデバイス１０２も、貸主ネットワークに引き渡された後はアイドル状態になり得る。貸主ＤＳＣ  １４４及び／又はｅＮｏｄｅＢ  １１６コンポーネントは、一定の時間にワイヤレスデバイス１０２がデータを送信又は受信しなかったという判断に応答して、ワイヤレスデバイスがアイドル状態であると判断するように構成することができる。貸主ＤＳＣ  １４４は、入札が終了した後又は入札資源が事前に構成された閾値を上回って消費された後、アイドル状態のワイヤレスデバイス１０２を特定して借主ネットワークに逆転移するように構成することができる。
【０３４６】
図２７は、貸主の一次グリッド２７０２及び完全に又は部分的に一次グリッド２７０２内にある追跡エリア１〜１１に関する様々なワイヤレスデバイス１０２ａ〜１０２ｃの場所を示す。ＤＳＡコンポーネントは、異なる追跡エリア１〜１１及びワイヤレスデバイス移動性を使用して、入札終了後の借主ネットワークへのアイドル状態のワイヤレスデバイスの逆転移をより良く管理するように構成することができる。
【０３４７】
図２７に示される例では、ワイヤレスデバイス１０２ａ〜１０２ｃの各々はアイドル状態である。ワイヤレスデバイス１０２ａは、可動ではないため、入札終了後も一次グリッド１０２ａ内に配置されている。ワイヤレスデバイス１０２ｂは、トラフィックエリア８から一次グリッド２７０２内のトラフィックエリア７に移動した。ワイヤレスデバイス１０２ｃは、トラフィックエリア６から一次グリッド２７０２外のトラフィックエリア１１に移動した。
【０３４８】
ワイヤレスデバイス１０２ａ〜１０２ｃは、異なる追跡エリアに入るたびに、又は、そのＭＭＥ  １３０に未だ登録されていない追跡エリアに入るたびに、ＭＭＥ  １３０に報告するように構成することができる。ＭＭＥ  １３０は、ワイヤレスデバイス１０２が横断する追跡エリアの各々を特定する情報を格納することができる。
【０３４９】
例えば、ワイヤレスデバイス１０２ｂは、追跡エリア８から追跡エリア７に移動したと判断し、追跡エリア７が以前にＭＭＥ  １３０に報告／登録されているかどうかを判断し、追跡エリア７が以前にＭＭＥ  １３０に報告／登録されていないという判断に応答して追跡エリア更新メッセージをＭＭＥ  １３０に送信するように構成することができる。ＭＭＥ  １０３は、追跡エリア更新メッセージを受信し、ワイヤレスデバイス１０２ｂが借主デバイスであると判断し（そのＩＭＳＩ値を介して）、追跡エリア更新メッセージの有効性確認を行うためにＭＭＥ−ＳＰ（グリッドの追跡エリアに関する以前の知識を有するもの）と通信することができる。ＭＭＥ  １３０は、ワイヤレスデバイス１０２ｂに対して追跡エリア７を登録し、受信された追跡エリア更新メッセージが有効であるという判断に応答して追跡エリア更新受諾メッセージをワイヤレスデバイス１０２ｂに送信することができる。
【０３５０】
別の例として、ワイヤレスデバイス１０２ｃは、追跡エリア６から追跡エリア１１に移動したと判断し、追跡エリア１１が以前にＭＭＥ  １３０に報告／登録されているかどうかを判断し、追跡エリア１１が以前にＭＭＥ  １３０に報告／登録されていないという判断に応答して追跡エリア更新メッセージをＭＭＥ  １３０に送信するように構成することができる。ＭＭＥ  １０３は、追跡エリア更新メッセージを受信し、ワイヤレスデバイス１０２ｂが借主デバイスであると判断し（そのＩＭＳＩ値を介して）、追跡エリア更新メッセージの有効性確認を行うためにＭＭＥ−ＳＰ（グリッドのトラフィックエリアに関する以前の知識を有するもの）と通信することができる。この場合、ＭＭＥ−ＳＰは、追跡エリア１１が一次グリッド境界２７０２の外側にあり、従って、追跡エリア更新メッセージの有効性確認を行わないと判断する。従って、ＭＭＥ  １３０は、その追跡エリアでのローミングは許可されないことを示すために追跡エリア更新拒否メッセージをワイヤレスデバイス１０２ｃに送信する。ワイヤレスデバイス１０２ｃは、借主ワイヤレスデバイスがグリッド境界２７０２の外側をローミングすることは許可されないため、追跡エリア更新拒否メッセージの受信に応答してＰＬＭＮ選択動作を実行するように構成することができる。
【０３５１】
入札終了（又は入札取消／撤回）の頃、ＤＳＣ  １４４は、借主ワイヤレスデバイス１０２ａ及び１０２ｂに対する逆移動動作を開始するようにＭＭＥ−ＳＰに要求することができる（ワイヤレスデバイス１０３ｃは一次グリッド２７０２外に移動している）。ＤＳＣ  １４４は、アイドル状態のデバイスの順番付けされたリストをＭＭＥ−ＳＰに送信することによって、借主ワイヤレスデバイス１０２ａ及び１２０ｂが借主ネットワークに引き戻される順番を選択することができる。
【０３５２】
ＭＭＥ−ＳＰは、アイドル状態の借主ワイヤレスデバイス１０２ａ及び１０２ｂに対する逆移動動作をＭＭＥ  １３０に実行させるように通信メッセージを送信することができる。それに応答して、ＭＭＥ  １３０は、ワイヤレスデバイス１０２ａ及び１０２ｂを呼び出し、ＭＭＥ  １３０におけるＥＣＭアイドル状態からＥＣＭ接続状態への移行をワイヤレスデバイス１０２ａ及び１０２ｂに行わせることができる。ＭＭＥ  １２０は、ワイヤレスデバイス１０２ａ及び１０２ｂに対するＥＣＭ状態変化についてＭＭＥ−ＳＰに通知することができる。次いで、ＭＭＥ−ＳＰは、ＥＣＭ状態変化を示すために通信メッセージをＤＳＣ  １３０に送信することができる。ＤＳＣ  １４４は、借主ワイヤレスデバイス１０２ａ及び１０２ｂに対するＥＣＭ状態が変化したと判断し、次いで、これらのデバイスを借主ネットワークに転移するためにそれらのｅＮｏｄｅＢ  １１４がバックオフ動作を実行するように要求することによってこれらのデバイスに対するバックオフ手順を開始することができる。
【０３５３】
一般に、ＤＳＡ動作の実行の結果として落札がある際（例えば、借主ネットワークが資源を落札した／購入した後）には、借主及び貸主ＤＳＣ  １４４は、その中でワイヤレスデバイスが特定の借主又は貸主ネットワークに引き渡される予定の地理的境界を確立するための様々な動作を実行することができる。一つの実施形態では、地理的境界を確立するための動作は、上記で論じられるグリッドマップ構造を生成することを含み得る。
【０３５４】
地理的境界が確立され、ＤＰＣが地理的エリアの借主ネットワークによるアクセス及び使用のために落札された／購入された資源を割り当てた後、借主ＤＳＣ  １４４は、地理的エリア（すなわち、入札グリッド、入札エリア、一次グリッドなど）内のアクティブなワイヤレスデバイス１０２及び貸主ネットワークに引き渡すべき候補（すなわち、ハンドインに対する候補）を特定する必要があり得る。
【０３５５】
図２８Ａは、入札の地理的境界にあるワイヤレスデバイス及びハンドインに対する候補を知的に特定するための方法２８００の一つの実施形態を示す。方法２８００は、ＤＳＣ  １４４コンポーネントの処理コアで実行することができる。
【０３５６】
ブロック２８０２では、処理コアは、入札エリア又は入札グリッドの地理的境界の内側にあるかそれと重なり合う覆域エリアを有する全てのｅＮｏｄｅＢを特定することができる。例えば、処理コアは、そのネットワークの及び／又はＤＳＣ  １４４が責任を有する／管理するｅＮｏｄｅＢの（例えば、ｅＮｏｄｅＢのセルタワーの）ＧＰＳ位置を格納するデータベースへのクエリを行うことができる。処理コアは、ｅＮｏｄｅＢの場所を特定し、それらの覆域エリアを演算し、それらの覆域エリアが地理的境界の内側にあるか、地理的境界と重なり合うか又は地理的境界の近くにあるかを判断するため、このデータベースへのクエリを行うことができる。処理コアは、そのセルのセル半径（単位：マイル）を使用してセルの覆域エリアを演算することができる。別の実施形態では、処理コアは、グリッドマップ構造を介してｅＮｏｄｅＢを特定することができる。
【０３５７】
ブロック２８０４では、処理コアは、特定されたｅＮｏｄｅＢの各々からの適格かつアクティブなワイヤレスデバイスのリストを要求することができる。ブロック２８０６では、処理コアは、特定されたｅＮｏｄｅＢの各々から適格かつアクティブなワイヤレスデバイスのリストを受信することができる。ブロック２８０８では、処理コアは、特定されたｅＮｏｄｅＢから受信された適格かつアクティブなワイヤレスデバイスのリストのワイヤレスデバイスの各々に対する測定レポート及び位置情報を受信することができる。ブロック２８１０では、処理コアは、受信された位置情報に基づいて、受信された適格かつアクティブなワイヤレスデバイスのリストに含まれるワイヤレスデバイスが地理的境界の内側にあるか、境界上にあるか又は地理的境界の外側にあるかを判断することができる。また、一つの実施形態では、処理コアは、ワイヤレスデバイスが地理的境界のどれくらい外側に位置するかを判断することもできる。ブロック２８１２では、処理コアは、受信された測定レポートに基づいて、貸主ｅＮｏｄｅＢの信号強度（すなわち、貸主ＡＲＦＣＮ）を決定することができる。
【０３５８】
ブロック２８１４では、処理コアは、決定された信号強度及び／又は地理的境界に関するワイヤレスデバイスの場所に基づいて、受信された適格かつアクティブなワイヤレスデバイスのリストに含まれるワイヤレスデバイスをハンドイン動作に対して選択することができる。ブロック２８１６では、処理コアは、ハンドイン動作に対して選択されたワイヤレスデバイスにサービス提供するｅＮｏｄｅＢの各々に「ハンドイン開始」コマンドを送信することができる。
【０３５９】
図２８Ｂは、ハンドイン動作を知的に形成するためのｅＮｏｄｅＢ方法２８２０の一つの実施形態を示す。方法２８２０は、ｅＮｏｄｅＢ  １１６コンポーネントの処理コアで実行することができる。
【０３６０】
ブロック２８２２では、処理コアは、ＤＳＣ  １４４コンポーネントからの適格かつアクティブなワイヤレスデバイスのリストに対する要求を受信することができる。ブロック２８２４では、処理コアは、ｅＮｏｄｅＢ  １１６に取り付けられたアクティブなワイヤレスデバイスの各々に対する往復遅延（ＲＴＤ）値を演算又は推定することができる。このことは、ＬＴＥ測位技法、強化セルＩＤ（ＥＣＩＤ）、補助全地球的航法衛星システム（Ａ−ＧＮＳＳ）、到来観測時間差（ＯＴＤＯＡ）、ＬＴＥ測位プロトコル（ＬＰＰ）、安全なユーザプレーン場所（ＳＵＰＬ）プロトコル又はこれらの技法の任意の組合せを使用することによって実現することができる。
【０３６１】
ブロック２８２６では、処理コアは、アクティブなワイヤレスデバイスの各々から測定レポート及び位置情報を要求して受信することができる。ブロック２８２８では、処理コアは、ＲＴＤ値、測定レポート及び／又は位置情報に基づいて、適格かつアクティブなワイヤレスデバイスを特定することができる。ブロック２８３０では、処理コアは、特定されたワイヤレスデバイスを含む適格かつアクティブなワイヤレスデバイスのリストを生成することができる。ブロック２８３２では、処理コアは、適格かつアクティブなワイヤレスデバイスのリスト、測定レポート及び位置情報をＤＳＣ  １４４コンポーネントに送信することができる。ブロック２８３４では、処理コアは、ＤＳＣ  １４４コンポーネントから適格かつアクティブなワイヤレスデバイスのリストに含まれるワイヤレスデバイスに対する「ハンドイン開始」コマンドを受信することができる。
【０３６２】
図２９は、第２の通信ネットワークによるアクセス及び使用のために第１の通信ネットワークの資源を割り当てるＤＳＡ方法２９００の一つの実施形態を示す。ＤＳＡ方法２９００の動作は、ＤＰＣ  １４６コンポーネントの処理コアによって実行することができる。
【０３６３】
動作２９０２では、ＤＰＣ  １４６コンポーネントは、第１の通信ネットワークのＤＳＣ  １４４ａへの通信リンクを確立することができる。動作２９０４では、ＤＰＣ  １４６は、通信リンクを介して受信された情報に基づいて、第１の通信ネットワークの電気通信資源が割り当てに対して利用可能であるかどうかを判断することができる。一つの実施形態では、ＤＰＣ  １４６は、後の日時において電気通信資源が割り当てに対して利用可能であると判断することができる。
【０３６４】
動作２９０６では、ＤＰＣ  １４６は、オークションを介して割り当てに対して電気通信資源が利用可能であることを多数の通信ネットワークに通知するのに適した情報を含み、オークションに対するオークション開始時刻を含む通信信号を放送することができる。動作２９０８では、ＤＰＣ  １４６は、通信メッセージの放送に応答して、放送通信信号に含まれるオークション開始時刻後に、割り当てに対して利用可能であると判断された電気通信資源に対して、多数の通信ネットワークから入札を受信することができる。一つの実施形態では、多数の通信ネットワークから入札を受信することは、後の日時において判断された電気通信資源のアクセス及び使用に対する入札を受信することを含み得る。
【０３６５】
動作２９１０では、ＤＰＣ  １４６は、オークションへの参加資格を有すると判断された認可ネットワークから受信された入札のみを受諾することができる。例えば、ＤＰＣ  １４６は、電気通信資源が多数の通信ネットワークの各々との互換性を有するかどうかを判断し、電気通信資源とのネットワークの互換性に基づいてオークションへの参加資格を有するものとして多数の通信ネットワークのうちのいくつかネットワークを許可し、認可ネットワークからの入札のみを受諾することができる。
【０３６６】
動作２９１２では、ＤＰＣ  １４６は、受諾された入札に基づいて、多数の通信ネットワークのうちの第２の通信ネットワークによるアクセス及び使用のために、第１の通信ネットワークの電気通信資源を割り当てることができる。一つの実施形態では、電気通信資源を割り当てることは、後の日時において第２の通信ネットワークによるアクセス及び使用のために第１の通信ネットワークの電気通信資源を割り当てることを含み得る。動作２９１４では、ＤＰＣ  １４６は、割り当てられた電気通信資源の使用を開始できることを第２の通信ネットワークに通知するのに適した情報を含む通信メッセージを第２の通信ネットワークに送信することができる。動作２９１６では、ＤＰＣ  １４６は、第２の通信ネットワークによる使用のために割り当てられるものとして電気通信資源を特定するトランザクションをトランザクションデータベースに記録することができる。
【０３６７】
動作２９１８では、ＤＰＣ  １４６は、割り当てられた電気通信資源の返却を要求することができる。動作２９２０では、ＤＰＣ  １４６は、電気通信資源が第２のオークションを介して再割り当てに対して利用可能であることを多数の通信ネットワークに通知するため、第２の通信信号を放送することができる。
【０３６８】
図３０は、第２の通信ネットワークによるアクセス及び使用のために第１の通信ネットワークの資源を割り当てるＤＳＡ方法３０００の別の実施形態を示す。ＤＳＡ方法３０００の動作は、ＤＰＣ  １４６コンポーネントの処理コアによって実行することができる。
【０３６９】
ブロック３００２では、ＤＰＣ  １４６コンポーネントは、第１の通信ネットワークのＤＳＣ  １４４ａへの通信リンクを確立することができる。ブロック３００４では、ＤＰＣ  １４６コンポーネントは、第１の通信ネットワークの資源が割り当てに対して利用可能であると判断することができる。ブロック３００６では、ＤＰＣ  １４６コンポーネントは、資源が割り当てに対して利用可能であることや、資源と関連付けられた地理的エリアについて、多数の通信ネットワークに通知する第１の通信信号を放送することができる。ブロック３００８では、ＤＰＣ  １４６コンポーネントは、多数の通信ネットワークのうちの第２の通信ネットワークによるアクセス及び使用のために第１の通信ネットワークの資源を割り当てることができる。ブロック３０１０では、ＤＰＣ  １４６コンポーネントは、割り当てられた電気通信資源の使用を地理的エリアで開始できることを第２の通信ネットワークに通知する第２の通信信号を放送することができる。ブロック３０１２では、ＤＰＣ  １４６コンポーネントは、第２の通信ネットワークによる使用のために割り当てられるものとして電気通信資源を特定するトランザクションをトランザクションデータベースに記録することができる。
【０３７０】
動作３０１４では、ＤＰＣ  １４６コンポーネントは、割り当てられた電気通信資源の返却を要求することができる。動作３０１６では、ＤＰＣ  １４６は、電気通信資源が第２のオークションを介して再割り当てに対して利用可能であることを多数の通信ネットワークに通知するため、第２の通信信号を放送することができる。
【０３７１】
一つの実施形態では、ＤＳＡ方法３０００は、ＤＰＣ  １４６コンポーネントが、第１の通信ネットワークの第１のＤＳＣ  １４４から、資源割り当てスキームに関連する資源構成情報を受信すること、及び、第２の通信ネットワークの第２のＤＳＣ  １４４に資源構成情報を送信することをさらに含み得る。さらなる実施形態では、ＤＳＡ方法３０００は、ＤＰＣ  １４６コンポーネントが、第１のＤＳＣ  １４４から地理的エリアに基づいて電気通信資源の利用可能性に関連する調整情報を受信すること、及び、調整構成情報を第２のＤＳＣ  １４４に送信することを含み得る。
【０３７２】
さらなる実施形態では、ＤＰＣ  １４６コンポーネントは、資源の使用に対して第１の通信ネットワークと第２の通信ネットワークとの間で資源リーススキームについて交渉し、資源リーススキームで定義される地理的境界に基づいて第１の通信ネットワークと第２の通信ネットワークとの間でモバイルデバイスのハンドオーバを調整するように構成することができる。ＤＰＣ  １４６は、地理的エリアへの加入者デバイスの近接度、加入者デバイスで利用可能なサービス品質レベル及び／又は資源リーススキームに含まれる情報に基づいて、第２の通信ネットワークの加入者デバイス（例えば、ワイヤレスデバイス１０２）の有効性を判断するようにさらに構成することができる。
【０３７３】
様々な実施形態では、ＤＰＣ  １４６は、地理的エリアへの加入者デバイスの近接度、加入者デバイスで利用可能なサービス品質レベル及び／又は資源リーススキームの諸条件に基づいて、ネットワークを変更するか又は第１の通信ネットワークの資源への通信リンクを確立するように加入者デバイスに指示するように構成することができる。ＤＰＣ  １４６は、地理的エリアへの加入者デバイスの近接度に基づいて、ネットワークを変更する及び／又は別の資源に取り付けるように、電気通信資源に能動的に接続されるか又は電気通信資源を使用している加入者デバイスに指示するように構成することができる。
【０３７４】
様々な実施形態は、ＤＳＡシステムの効率及び速度を向上させるため、２つ以上のＤＳＡコンポーネント（例えば、ＤＰＣ、ＤＳＣ、ｅＮｏｄｅＢ、ＭＭＥ、ＨＳＳなど）間の通信を可能にする、促進する、サポートする又は増大するように構成された動的スペクトルアービトラージアプリケーションパート（ＤＳＡＡＰ）プロトコル及び／又はコンポーネントを含むか又は使用することができる。ＤＳＡコンポーネントは、本出願で論じられるいかなるコンポーネントでも及び／又は本出願で論じられるＤＳＡ動作、通信もしくは方法のいずれかに参加するいかなるコンポーネントでもあり得る。従って、ＤＳＡＡＰコンポーネントは、本出願で論じられるいかなるコンポーネント間の通信（ＤＰＣコンポーネントとＤＳＣコンポーネントとの間、ＤＳＣコンポーネントとｅＮｏｄｅＢコンポーネントとの間、ＤＳＣコンポーネントとＭＭＥコンポーネントとの間、ＤＳＣコンポーネントとＨＳＳコンポーネントとの間、ＭＭＥコンポーネントとＨＳＳコンポーネントとの間、ｅＮｏｄｅＢコンポーネントとワイヤレスデバイスとの間などの通信を含む）も可能にする、促進する、サポートする又は増大するように構成することができる。
【０３７５】
２つ以上のＤＳＡコンポーネント間の通信を促進するため、ＤＳＡＡＰコンポーネントは、アプリケーションプログラミングインタフェース（ＡＰＩ）を公開すること及び／又はＤＳＡコンポーネント間の通信を促進するクライアントモジュールを含むことができる。それに加えて、ＤＳＡＡＰコンポーネントは、ＤＳＡコンポーネントが特定の情報の伝達、使用特有の通信メッセージの使用、ならびに／あるいは、ＤＳＡシステム及び参加ネットワークの効率及び速度をさらに向上する様々なＤＳＡ機能を共に提供する特定の動作の実行を行えるように構成することができる。
【０３７６】
例として、ＤＳＡＡＰコンポーネントは、ｅＮｏｄｅＢがＤＳＣコンポーネントと（例えば、Ｘｅインタフェースを介して）、他のｅＮｏｄｅＢと（例えば、Ｘ２インタフェースを介して）及び様々な他のコンポーネントと（例えば、Ｓ１インタフェースを介して）と通信できるように構成することができる。さらなる例として、ＤＰＣ及び／又はＤＳＣコンポーネントが異なるネットワークにわたって資源をより良くプールできるように、様々なネットワークにおけるトラフィック及び資源使用をより良くモニタできるように、入札及び入札情報についてより効率的に伝達できるように、素早く且つ効率的にコンポーネントの登録及び登録解除を行えるように、ならびに、バックオフ動作をより良く実行できるように、ＤＳＡＡＰコンポーネントは、ＤＳＣコンポーネントとＤＰＣコンポーネントとの間の通信を可能にする、促進する、サポートする又は増大するように構成することができる。また、ＤＳＡＡＰコンポーネントは、入札、インボイスの生成、資源の広告、資源の要求、資源の購入、入札認証情報の有効性の確認などの手順の性能及び効率を向上することによって、ＤＳＡ資源オークション動作を改善することもできる。
【０３７７】
様々な実施形態では、全て又は一定の部分のＤＳＡＡＰコンポーネントは、ＤＰＣコンポーネント、ＤＳＣコンポーネント、ｅＮｏｄｅＢコンポーネント、ＭＭＥコンポーネント、ＨＳＳコンポーネントなどの１つ又は複数のＤＳＡコンポーネントに含めることができる。ＤＳＡＡＰコンポーネントは、ハードウェア、ソフトウェア、又は、ハードウェアとソフトウェアの組合せで実装することができる。一つの実施形態では、ＤＳＡＡＰコンポーネントは、Ｘｅ、Ｘｄ及び／又はＸ２基準点上で定義することができるＤＳＡＡＰプロトコルを実装するように構成することができる。様々な実施形態では、ＤＳＣとｅＮｏｄｅＢとの間のＸｅ基準点は、ＤＳＡＡＰプロトコル、ＴＲ−０６９プロトコル及び／又はＴＲ−１９２データモデル拡張を使用して、ｅＮｏｄｅＢにおける利用可能な資源のリストアップ及びｅＮｏｄｅＢへの入札／買い確認の通知をサポートすることができる。ＤＳＣとＤＰＣとの間のＸｄ基準点は、動的スペクトル及び資源アービトラージ動作のためのＤＳＡＡＰプロトコルを使用することができる。ｅＮｏｄｅＢ間のＸ２インタフェース／基準点もまた、ＤＳＡＡＰプロトコルを使用して、情報を伝達することができる。
【０３７８】
様々な実施形態では、ＤＳＡＡＰコンポーネントは、様々なＤＳＡコンポーネント（例えば、ＤＳＣ、ＤＰＣ、ｅＮｏｄｅＢなど）がＤＳＡＡＰプロトコルをした通信及び／又は様々なＤＳＡＡＰ方法の実行を行えるように構成することができる。ＤＳＡＡＰ方法は、第１の電気通信ネットワーク（例えば、借主ネットワーク）の第１のＤＳＣサーバ、第２の電気通信ネットワーク（例えば、貸主ネットワーク）の第２のＤＳＣサーバ、ならびに、第１及び第２の電気通信ネットワーク外のＤＰＣサーバを含むシステムなど、本出願で論じられるいずれのＤＳＡシステムでも実行することができる。
【０３７９】
様々な実施形態は、各種のモバイルワイヤレスコンピューティングデバイス上で実装することができ、その例を図３１に示す。具体的には、図３１は、一つの実施形態のいずれかでの使用に適したスマートフォン／セルフォン３１００の形態のモバイルトランシーバデバイスのシステムブロック図である。セルフォン３１００は、内部メモリ３１０２と結合されたプロセッサ３１０１と、ディスプレイ３１０３と、スピーカ３１０４とを含み得る。それに加えて、セルフォン３１００は、ワイヤレスデータリンクに接続することができる電磁放射線を送信及び受信するためのアンテナ３１０５及び／又はプロセッサ３１０１と結合されたセルラフォントランシーバ３１０６を含み得る。また、セルフォン３１００は、通常、ユーザ入力を受信するためのメニュー選択ボタン又はロッカスイッチ３１０７も含み得る。
【０３８０】
また、典型的なセルフォン３１００は、マイクロフォンから受信された音声をワイヤレス伝送に適したデータパケットにデジタル化し、受信された音声データパケットを復号してアナログ信号を生成し、音声を生成するためにスピーカ３１０４にアナログ信号を提供する音声符号化／復号（ＣＯＤＥＣ）回路３１０８も含み得る。また、プロセッサ３１０１、ワイヤレストランシーバ３１０６及びＣＯＤＥＣ  ３１０８のうちの１つ又は複数は、デジタル信号プロセッサ（ＤＳＰ）回路（別々に図示せず）を含み得る。セルフォン３１００は、ワイヤレスデバイス間の低出力狭域通信のためのＺｉｇＢｅｅトランシーバ（すなわち、ＩＥＥＥ８０２．１５．４トランシーバ）又は他の同様の通信回路（例えば、Ｂｌｕｅｔｏｏｔｈ（登録商標）もしくはＷｉＦｉプロトコルなどを実装している回路）をさらに含み得る。
【０３８１】
スペクトルアービトラージ機能を含む上記で説明される実施形態は、図３２に示されるサーバ３２００などの各種の市販のサーバデバイス上の放送システム内で実装することができる。そのようなサーバ３２００は、通常、揮発性メモリ３２０２及び大容量不揮発性メモリ（ディスクドライブ３２０３など）と結合されたプロセッサ３２０１を含む。また、サーバ３２００は、プロセッサ３２０１と結合されたフロッピー（登録商標）ディスクドライブ、コンパクトディスク（ＣＤ）又はＤＶＤディスクドライブ３２０４も含み得る。また、サーバ３２００は、他の通信システムコンピュータ及びサーバと結合されたローカルエリアネットワークなどのネットワーク３２０７とのデータ接続を確立するためにプロセッサ３２０１と結合されたネットワークアクセスポート３２０６も含み得る。
【０３８２】
プロセッサ３１０１、３２０１は、以下で説明される様々な実施形態の機能を含む各種の機能を実行するようにソフトウェア命令（アプリケーション）によって構成することができる、いかなるプログラマブルマイクロプロセッサ、マイクロコンピュータ又は複数のプロセッサチップもしくはチップでもあり得る。いくつかのワイヤレスデバイスでは、あるプロセッサはワイヤレス通信機能専用であり、あるプロセッサは他のアプリケーションの実行専用である、複数のプロセッサ３２０１を提供することができる。通常、ソフトウェアアプリケーションは、アクセスされたり、プロセッサ３１０１、３２０１にロードされたりする前に、内部メモリ３１０２、３２０２に格納することができる。プロセッサ３１０１、３２０１は、アプリケーションソフトウェア命令の格納に十分な内部メモリを含み得る。いくつかのサーバでは、プロセッサ３２０１は、アプリケーションソフトウェア命令の格納に十分な内部メモリを含み得る。いくつかのレシーバデバイスでは、セキュアメモリが、プロセッサ３１０１と結合された別々のメモリチップにあり得る。内部メモリ３１０２、３２０２は、揮発性又は不揮発性メモリ（フラッシュメモリなど）あるいは両方の混合物であり得る。この説明の目的のため、メモリへの一般的な言及は、プロセッサ３１０１、３２０１によるアクセスが可能な全てのメモリを指し、内部メモリ３１０２、３２０２、デバイスに差し込まれた取り外し可能メモリ及びプロセッサ３１０１、３２０１自体内のメモリを含む。
【０３８３】
前述の方法説明及びプロセスフロー図は、単に例示的な例として提供され、提示される順番で様々な実施形態のステップを実行しなければならないことを必要とするか又は含意することを意図しない。当業者によって理解されるように、前述の実施形態のステップの順番は、いかなる順番でも実行することができる。「その後」、「次いで」「次に」などの用語は、ステップの順番を限定することを意図しない。すなわち、これらの用語は、単に、方法の説明を通じて読者を導くために使用される。さらに、例えば、冠詞（「ａ」、「ａｎ」又は「ｔｈｅ」）を使用した単数形でのクレーム要素へのいかなる言及も、要素を単数形に限定するものと解釈してはならない。
【０３８４】
本明細書で開示される一つの実施形態に関連して説明される様々な例示的な論理ブロック、モジュール、回路及びアルゴリズムステップは、電子ハードウェア、コンピュータソフトウェア又は両方の組合せとして実装することができる。ハードウェアとソフトウェアのこの互換性を明確に示すため、上記では、様々な例示的なコンポーネント、ブロック、モジュール、回路及びステップについて、一般に、それらの機能性の観点から説明してきた。そのような機能性がハードウェアとして実装されるか又はソフトウェアとして実装されるかは、全システムに課される特定のアプリケーション及び設計制約に依存する。当業者は、特定のアプリケーションの各々に対して様々な方法で説明される機能性を実装することができるが、そのような実装決定は、本発明の範囲からの逸脱を引き起こすものと解釈すべきではない。
【０３８５】
本明細書で開示される一つの実施形態に関連して説明される様々な例示的な論理、論理ブロック、モジュール及び回路を実装するために使用されるハードウェアは、汎用プロセッサ、デジタル信号プロセッサ（ＤＰＣ）、特定用途向け集積回路（ＡＳＩＣ）、フィールドプログラマブルゲートアレイ（ＦＰＧＡ）もしくは他のプログラマブル論理デバイス、離散ゲートもしくはトランジスタ論理、離散ハードウェアコンポーネント、又は、本明細書で説明される機能を実行するように設計されたそれらの任意の組合せで実装又は実行することができる。汎用プロセッサは、マイクロプロセッサであり得るが、代替の方法では、プロセッサは、いかなる従来のプロセッサ、コントローラ、マイクロコントローラ又は状態マシンでもあり得る。また、プロセッサは、コンピューティングデバイスの組合せ（例えば、ＤＰＣとマイクロプロセッサの組合せ、多数のマイクロプロセッサ、ＤＰＣコアと連結された１つもしくは複数のマイクロプロセッサ、又は、他の任意のそのような構成）として実装することもできる。あるいは、いくつかのステップ又は方法は、所与の機能に特有の回路によって実行することができる。
【０３８６】
１つ又は複数の例示的な態様では、説明される機能は、ハードウェア、ソフトウェア、ファームウェア又はそれらの任意の組合せで実装することができる。ソフトウェアで実装される場合は、機能は、非一時的なコンピュータ可読媒体又は非一時的なプロセッサ可読媒体上に１つ又は複数の命令又はコードとして格納することができる。本明細書で開示される方法又はアルゴリズムのステップは、非一時的なコンピュータ可読又はプロセッサ可読記憶媒体上に存在し得るプロセッサ実行可能ソフトウェアモジュールで実施することができる。非一時的なコンピュータ可読又はプロセッサ可読記憶媒体は、コンピュータ又はプロセッサによるアクセスが可能ないかなる記憶媒体でもあり得る。限定ではなく、例として、そのような非一時的なコンピュータ可読又はプロセッサ可読媒体は、ＲＡＭ、ＲＯＭ、ＥＥＰＲＯＭ、フラッシュメモリ、ＣＤ−ＲＯＭもしくは他の光ディスク記憶装置、磁気ディスク記憶装置もしくは他の磁気記憶デバイス、又は、命令もしくはデータ構造の形態での所望のプログラムコードの格納に使用することができ、コンピュータによるアクセスが可能な他の任意の媒体を含み得る。ディスク（「Ｄｉｓｋ」及び「ｄｉｓｃ」）は、本明細書で使用されるように、コンパクトディスク（ＣＤ）、レーザディスク、光ディスク、デジタル多用途ディスク（ＤＶＤ）、フロッピーディスク及びブルーレイディスクを含み、通常はディスクはデータを磁気的に再生するが、ディスクはレーザを用いてデータを光学的に再生する。上記の組合せもまた、非一時的なコンピュータ可読及びプロセッサ可読媒体の範囲内に含まれる。それに加えて、方法又はアルゴリズムの動作は、非一時的なプロセッサ可読媒体及び／又はコンピュータ可読媒体上にコード及び／又は命令の１つ、任意の組合せ又はセットとして存在することができ、コンピュータプログラム製品に組み込むことができる。
【０３８７】
開示される実施形態の先行する説明は、当業者が本発明を作成又は使用できるようにするために提供される。これらの実施形態への様々な変更は、当業者であれば容易に明らかであり、本明細書で定義される一般原理は、本発明の精神又は範囲から逸脱することなく、他の実施形態に適用することができる。従って、本発明は、本明細書に示される実施形態に限定されることを意図しないが、以下の請求項の範囲ならびに本明細書で開示される原理及び新規の特徴と一致する最も広い範囲が与えられるべきである。
【図１Ａ】
2016525820.tif 000003
【図１Ｂ】
2016525820.tif 000004
【図１Ｃ】
2016525820.tif 000005
【図１Ｄ】
2016525820.tif 000006
【図１Ｅ】
2016525820.tif 000007
【図２Ａ】
2016525820.tif 000008
【図２Ｂ】
2016525820.tif 000009
【図３】
2016525820.tif 000010
【図４】
2016525820.tif 000011
【図５】
2016525820.tif 000012
【図６】
2016525820.tif 000013
【図７】
2016525820.tif 000014
【図８Ａ】
2016525820.tif 000015
【図８Ｂ】
2016525820.tif 000016
【図８Ｃ】
2016525820.tif 000017
【図９Ａ】
2016525820.tif 000018
【図９Ｂ】
2016525820.tif 000019
【図１０Ａ】
2016525820.tif 000020
【図１０Ｂ】
2016525820.tif 000021
【図１１Ａ】
2016525820.tif 000022
【図１１Ｂ】
2016525820.tif 000023
【図１２Ａ】
2016525820.tif 000024
【図１２Ｂ】
2016525820.tif 000025
【図１２Ｃ】
2016525820.tif 000026
【図１２Ｄ】
2016525820.tif 000027
【図１３Ａ】
2016525820.tif 000028
【図１３Ｂ】
2016525820.tif 000029
【図１４Ａ】
2016525820.tif 000030
【図１４Ｂ】
2016525820.tif 000031
【図１５Ａ】
2016525820.tif 000032
【図１５Ｂ】
2016525820.tif 000033
【図１６Ａ】
2016525820.tif 000034
【図１６Ｂ】
2016525820.tif 000035
【図１７Ａ】
2016525820.tif 000036
【図１７Ｂ】
2016525820.tif 000037
【図１８Ａ】
2016525820.tif 000038
【図１８Ｂ】
2016525820.tif 000039
【図１９Ａ】
2016525820.tif 000040
【図１９Ｂ】
2016525820.tif 000041
【図１９Ｃ】
2016525820.tif 000042
【図１９Ｄ】
2016525820.tif 000043
【図２０】
2016525820.tif 000044
【図２１】
2016525820.tif 000045
【図２２】
2016525820.tif 000046
【図２３Ａ】
2016525820.tif 000047
【図２３Ｂ】
2016525820.tif 000048
【図２４】
2016525820.tif 000049
【図２５】
2016525820.tif 000050
【図２６】
2016525820.tif 000051
【図２７】
2016525820.tif 000052
【図２８Ａ】
2016525820.tif 000053
【図２８Ｂ】
2016525820.tif 000054
【図２９】
2016525820.tif 000055
【図３０】
2016525820.tif 000056
【図３１】
2016525820.tif 000057
【図３２】
2016525820.tif 000058
【国際調査報告】
2016525820.tif 000059
2016525820.tif 000060